(57)【要約】【課題】無線通信ネットワークの空間処理によるセル間多重化利得を利用するシステムを提供する。【解決手段】空間処理によるセル間多重化利得を利用して、無線通信ネットワークの容量を増大させる、マルチユーザ（ＭＵ）送信を有する複数アンテナシステム（ＭＡＳ）（「ＭＵ−ＭＡＳ」）。過去３０年において、無線セルラ市場は、世界的な加入者数の増加、並びに音声からウェブブラウジング及びリアルタイムＨＤビデオストリーミングへ移行するより良いサービスの需要を経験している。より高いデータレート、低遅延、及び信頼性の向上を必要とするサービスに対するこの需要の増加は、異なる規格によって無線技術の急激な進化を牽引してきた。【選択図】図１３
2019216477.tif 000002
【特許請求の範囲】
【請求項１】
空間処理によるセル間多重化利得を利用して無線通信ネットワークの容量を増大させる、マルチユーザ（ＭＵ）送信を有する複数アンテナシステム（ＭＡＳ）（「ＭＵ−ＭＡＳ」）。
【請求項２】
基地局ネットワーク（ＢＳＮ）を介して集中型プロセッサ（ＣＰ）に相互連結され、複数のクライアント装置と通信するためにプリコーディングを使用する、複数の分散アンテナを備えることを特徴とする、請求項１に記載のシステム。
【請求項３】
前記無線通信ネットワークはＬＴＥネットワークなどのセルラネットワークであり、前記クライアント装置はＬＴＥユーザ機器（ＵＥ）であり、前記分散アンテナはＬＴＥ強化されたＮｏｄｅＢ（ｅＮｏｄｅＢ）又はモビリティ管理エンティティ（ＭＭＥ）であり、前記ＣＰはＬＴＥゲートウェイ（ＧＷ）であり、前記ＢＳＮはＳ１又はＸ１のインターフェースであることを特徴とする、請求項２に記載のシステム。
【請求項４】
ｅＮｏｄｅＢは「アンテナクラスタ」にグループ分けされ、異なるセルＩＤが各アンテナクラスタに関連付けられていて同一のアンテナクラスタからの全てのｅＮｏｄｅＢが同一のセルＩＤをプライマリ同期信号（Ｐ−ＳＳ）及びセカンダリ同期信号（Ｓ−ＳＳ）を介して伝送することを特徴とする、請求項３に記載のシステム。
【請求項５】
ＤＬリソースブロック（ＲＢ）の全て又はサブセットはあらゆるＵＥに割り当てられ、同時の非干渉データストリームは前記ＢＴＳから前記ＵＥへプリコーディングを介して送信されることを特徴とする、請求項３に記載のシステム。
【請求項６】
ユーザ毎のデータレートを増大させるために、プリコーディングをキャリアアグリゲーション（ＣＡ）と組み合わせて用いて、前記無線周波数（ＲＦ）スペクトルの異なる部分（帯域間ＣＡ）又は同一スペクトル内の異なる帯域（イントラバンドＣＡ）に適用することを特徴とする、請求項５に記載のシステム。
【請求項７】
ＭＵ−ＭＡＳ技術が徐々に既存のＬＴＥネットワークに統合されることを特徴とする、請求項２に記載のシステム。
【請求項８】
前記ｅＮｏｄｅＢ及びＵＥは、ＬＴＥとの互換性を有することを特徴とする、請求項７に記載のシステム。
【請求項９】
前記ｅＮｏｄｅＢ及びＵＥは、ＬＴＥ規格の変形を利用することを特徴とする、請求項７に記載のシステム。
【請求項１０】
前記ＬＴＥ  ＵＥは、ＭＵ−ＭＡＳとの互換性を有するように更新されることを特徴とする、請求項７に記載のシステム。
【請求項１１】
ＭＵ−ＭＡＳとの互換性を有するＵＥの新世代が配備されることを特徴とする、請求項７に記載のシステム。
【請求項１２】
ＬＴＥスペクトルを細分化して、１ブロックのスペクトルでセルラ構成の従来のＬＴＥ  ｅＮｏｄｅＢを、及び別ブロックのスペクトルでＭＵ−ＭＡＳ  ＬＴＥ  ｅＮｏｄｅＢをサポートすることを特徴とする、請求項７に記載のシステム。
【請求項１３】
前記従来のセルラＬＴＥ  ｅＮｏｄｅＢは、ＭＵ−ＭＡＳ  ＬＴＥ  ｅＮｏｄｅＢと協調して、同じスペクトルを共有するが時間分割多元接続（ＴＤＭＡ）方式で動作するように構成されることを特徴とする、請求項７に記載のシステム。
【請求項１４】
ＭＵ−ＭＡＳは、ＬＴＥ小セルに対するＬＯＳ又はＮＬＯＳの無線バックホールとして使用されることを特徴とする、請求項７に記載のシステム。
【請求項１５】
ＬＴＥ小セルは徐々にｅＮｏｄｅＢに置き換えられることを特徴とする、請求項７に記載のシステム。
【請求項１６】
前記ＣＰは、前記ＤＬ又はＵＬチャネル上の伝送について前記ＵＥをスケジューリングするために、ラウンドロビン又はプロポーショナル・フェア（proportional fair）スケジューラ又は貪欲法を使用することを特徴とする、請求項３に記載のシステム。
【請求項１７】
前記スケジューラは、ＣＱＩ、サウンディング参照信号（ＳＲＳ）、空間選択性指標（ＳＳＩ）、又はそれらの組み合わせを、前記スケジューリング方法の性能測定基準として使用することを特徴とする、請求項１６に記載のシステム。
【請求項１８】
前記スケジューラは、無線リンク上で伝送するためにスケジューリングされるｅＮｏｄｅＢ及びＵＥの最適なサブセットを、ＳＳＩ性能測定基準に基づいて選択することを特徴とする、請求項１７に記載のシステム。
【請求項１９】
前記スケジューラは、アンテナクラスタ又はアンテナサブクラスタ間での干渉を最小限にするために、前記無線リンク上で対応するＵＥを選択することを特徴とする、請求項１６に記載のシステム。
【請求項２０】
全てのｅＮｏｄｅＢにわたって送信アンテナ選択方法を適用して、前記ＤＬチャネル上の現行の伝送のための最適なｅＮｏｄｅＢを選択することを特徴とする、請求項３に記載のシステム。
【請求項２１】
前記アンテナ選択方法は、対応する優先番号を有するアンテナサブセットＩＤのキューを含み、前記アンテナ選択は制限された数のアンテナサブセットのみにわたって適用されて、計算の複雑さを低下させることを特徴とする、請求項２０に記載のシステム。
【請求項２２】
前記アンテナ選択アルゴリズムによって使用される制限された数のアンテナサブセットを選択するために、前記キューはラウンドロビン規則及び分類方法を使用して２つ又は複数のグループに細分化されることを特徴とする、請求項２１に記載のシステム。
【請求項２３】
１組のｅＮｏｄｅＢをより低い搬送波周波数で動作させ、別の組のｅＮｏｄｅＢをより高い搬送波周波数で動作させて、２つの組が交差するか、又は一方のセットが他方のセットのサブセットとなるように使用することで、帯域間ＣＡを可能とすることを特徴とする、請求項６に記載のシステム。
【請求項２４】
プリコーディングを有する前記ＭＵ−ＭＡＳは、ＣＡ方法を周波数ホッピングパターンと合わせて使用し、周波数選択性フェージング又は干渉に対する堅牢性を向上させることを特徴とする、請求項６に記載のシステム。
【請求項２５】
前記ＭＵ−ＭＡＳは、線形プリコーディング方法（例えば、ゼロフォーシング、ブロック対角化、行列反転等）を使用することを特徴とする、請求項３に記載のシステム。
【請求項２６】
前記ＭＵ−ＭＡＳは、非線形プリコーディング方法（例えば、ダーティペーパコーディング又はトムリソン−原島プリコーディング、格子技術又はトレリスプリコーディング、ベクトル摂動技法）を使用することを特徴とする、請求項３に記載のシステム。
【請求項２７】
前記ＭＵ−ＭＡＳは、前記アンテナクラスタ及びユーザクラスタにおけるＵＥ及びｅＮｏｂｅＢの数に基づいて線形及び非線形プリコーディング方法間で動的に切り替えて、前記ＣＰにおける計算の複雑さを低下させることを特徴とする、請求項３に記載のシステム。
【請求項２８】
前記ＭＵ−ＭＡＳは、良好なチャネル品質を経験するＵＥのためのプリコーディング多重化方法（例えば、ｅＮｏｄｅＢの近位にて）と、リンク品質の悪いＵＥ（例えば、ｅＮｏｄｅＢから遠い）のためのビームフォーミング又はダイバーシティ方法との間で切り替わることを特徴とする、請求項３に記載のシステム。
【請求項２９】
同一のアンテナクラスタ又はアンテナサブクラスタ内の全てのｅＮｏｄｅＢのうちの１つのｅＮｏｄｅＢのみが、全てのＵＥに前記ＬＴＥブロードキャストチャネル（例えば、Ｐ−ＳＳ及びＳ−ＳＳ）を伝送することを特徴とする、請求項４に記載のシステム。
【請求項３０】
前記ＬＴＥブロードキャストチャネルを伝送する前記ｅＮｏｄｅＢは、ブロードキャストチャネル上で前記ＵＥにて受信される電力を最大化するように選択されることを特徴とする、請求項２９に記載のシステム。
【請求項３１】
弱め合う干渉が前記ＵＥにて回避されるように、全てのＵＥに前記ＬＴＥブロードキャストチャネルを同時に伝送するために限定されたＢＴＳの組しか選択されない、請求項２９に記載のシステム。
【請求項３２】
前記ＬＴＥブロードキャストチャネルは、同一のアンテナクラスタ又はアンテナサブクラスタ内の全ての前記ＵＥに到達するようにペイロードよりも高い電力で送信されることを特徴とする、請求項４に記載のシステム。
【請求項３３】
空間処理によるセル間多重化利得を利用して無線通信ネットワークの容量を増大させる、マルチユーザ（ＭＵ）送信を有する複数アンテナシステム（ＭＡＳ）（「ＭＵ−ＭＡＳ」）内にて実装される方法。
【請求項３４】
基地局ネットワーク（ＢＳＮ）を介して集中型プロセッサ（ＣＰ）に相互連結され、複数のクライアント装置と通信するためにプリコーディングを使用する複数の分散アンテナを備えることを特徴とする、請求項３３に記載の方法。
【請求項３５】
前記無線通信ネットワークはＬＴＥネットワークなどのセルラネットワークであり、前記クライアント装置はＬＴＥユーザ機器（ＵＥ）であり、前記分散アンテナはＬＴＥ強化されたＮｏｄｅＢ（ｅＮｏｄｅＢ）又はモビリティ管理エンティティ（ＭＭＥ）であり、前記ＣＰはＬＴＥゲートウェイ（ＧＷ）であり、前記ＢＳＮはＳ１又はＸ１のインターフェースであることを特徴とする、請求項３４に記載の方法。
【請求項３６】
ｅＮｏｄｅＢは「アンテナクラスタ」にグループ分けされ、異なるセルＩＤが各アンテナクラスタに関連付けられていて同一のアンテナクラスタからの全てのｅＮｏｄｅＢが同一のセルＩＤをプライマリ同期信号（Ｐ−ＳＳ）及びセカンダリ同期信号（Ｓ−ＳＳ）を介して伝送することを特徴とする、請求項３５に記載の方法。
【請求項３７】
ＤＬリソースブロック（ＲＢ）の全て又はサブセットはあらゆるＵＥに割り当てられ、同時の非干渉データストリームは前記ＢＴＳから前記ＵＥへプリコーディングを介して送信されることを特徴とする、請求項３５に記載の方法。
【請求項３８】
ユーザ毎のデータレートを増大させるために、プリコーディングをキャリアアグリゲーション（ＣＡ）と組み合わせて用いて、前記無線周波数（ＲＦ）スペクトルの異なる部分（帯域間ＣＡ）又は同一スペクトル内の異なる帯域（イントラバンドＣＡ）に適用することを特徴とする、請求項３７に記載の方法。
【請求項３９】
ＭＵ−ＭＡＳ技術が徐々に既存のＬＴＥネットワークに統合されることを特徴とする、請求項３４に記載の方法。
【請求項４０】
前記ｅＮｏｄｅＢ及びＵＥは、ＬＴＥとの互換性を有する、請求項３９に記載の方法。
【請求項４１】
前記ｅＮｏｄｅＢ及びＵＥは、ＬＴＥ規格の変形を利用することを特徴とする、請求項３９に記載の方法。
【請求項４２】
前記ＬＴＥ  ＵＥは、ＭＵ−ＭＡＳとの互換性を有するように更新される、請求項３９に記載の方法。
【請求項４３】
ＭＵ−ＭＡＳとの互換性を有するＵＥの新世代が配備されることを特徴とする、請求項３９に記載の方法。
【請求項４４】
ＬＴＥスペクトルを細分化して、１ブロックのスペクトルでセルラ構成の従来のＬＴＥ  ｅＮｏｄｅＢを、及び別ブロックのスペクトルでＭＵ−ＭＡＳ  ＬＴＥ  ｅＮｏｄｅＢをサポートすることを特徴とする、請求項３９に記載の方法。
【請求項４５】
前記従来のセルラＬＴＥ  ｅＮｏｄｅＢは、ＭＵ−ＭＡＳ  ＬＴＥ  ｅＮｏｄｅＢと協調して、同じスペクトルを共有するが時間分割多元接続（ＴＤＭＡ）方式で動作するように構成されることを特徴とする、請求項３９に記載の方法。
【請求項４６】
ＭＵ−ＭＡＳは、ＬＴＥ小セルに対するＬＯＳ又はＮＬＯＳの無線バックホールとして使用されることを特徴とする、請求項３９に記載の方法。
【請求項４７】
ＬＴＥ小セルは徐々にｅＮｏｄｅＢに置き換えられることを特徴とする、請求項３９に記載の方法。
【請求項４８】
前記ＣＰは、前記ＤＬ又はＵＬチャネル上の伝送について前記ＵＥをスケジューリングするために、ラウンドロビン又はプロポーショナル・フェア（proportional fair）スケジューラ又は貪欲法を使用することを特徴とする、請求項３５に記載の方法。
【請求項４９】
前記スケジューラは、ＣＱＩ、サウンディング参照信号（ＳＲＳ）、空間選択性指標（ＳＳＩ）、又はそれらの組み合わせを、前記スケジューリング方法の性能測定基準として使用することを特徴とする、請求項４８に記載の方法。
【請求項５０】
前記スケジューラは、無線リンク上で伝送するためにスケジューリングされるｅＮｏｄｅＢ及びＵＥの最適なサブセットを、ＳＳＩ性能測定基準に基づいて選択することを特徴とする、請求項４９に記載の方法。
【請求項５１】
前記スケジューラは、アンテナクラスタ又はアンテナサブクラスタ間での干渉を最小限にするために、前記無線リンク上で対応するＵＥを選択することを特徴とする、請求項４８に記載の方法。
【請求項５２】
全てのｅＮｏｄｅＢにわたって送信アンテナ選択方法を適用して、前記ＤＬチャネル上の現行の伝送のための最適なｅＮｏｄｅＢを選択することを特徴とする、請求項３５に記載の方法。
【請求項５３】
前記アンテナ選択方法は、対応する優先番号を有するアンテナサブセットＩＤのキューを含み、前記アンテナ選択は制限された数のアンテナサブセットのみにわたって適用されて、計算の複雑さを低下させることを特徴とする、請求項５２に記載の方法。
【請求項５４】
前記アンテナ選択アルゴリズムによって使用される制限された数のアンテナサブセットを選択するために、前記キューはラウンドロビン規則及び分類方法を使用して２つ又は複数のグループに細分化されることを特徴とする、請求項５３に記載の方法。
【請求項５５】
１組のｅＮｏｄｅＢをより低い搬送波周波数で動作させ、別の組のｅＮｏｄｅＢをより高い搬送波周波数で動作させて、２つの組が交差するか、又は一方のセットが他方のセットのサブセットとなるように使用することで、帯域間ＣＡを可能とすることを特徴とする、請求項３８に記載の方法。
【請求項５６】
プリコーディングを有する前記ＭＵ−ＭＡＳは、ＣＡ方法を周波数ホッピングパターンと合わせて使用し、周波数選択性フェージング又は干渉に対する堅牢性を向上させることを特徴とする、請求項３８に記載の方法。
【請求項５７】
前記ＭＵ−ＭＡＳは、線形プリコーディング方法（例えば、ゼロフォーシング、ブロック対角化、行列反転等）を使用することを特徴とする、請求項３５に記載の方法。
【請求項５８】
前記ＭＵ−ＭＡＳは、非線形プリコーディング方法（例えば、ダーティペーパコーディング又はトムリソン−原島プリコーディング、格子技術又はトレリスプリコーディング、ベクトル摂動技法）を使用することを特徴とする、請求項３５に記載の方法。
【請求項５９】
前記ＭＵ−ＭＡＳは、前記アンテナクラスタ及びユーザクラスタにおけるＵＥ及びｅＮｏｂｅＢの数に基づいて線形及び非線形プリコーディング方法間で動的に切り替えて、前記ＣＰにおける計算の複雑さを低下させることを特徴とする、請求項３５に記載のシステム。
【請求項６０】
前記ＭＵ−ＭＡＳは、良好なチャネル品質を経験するＵＥのためのプリコーディング多重化方法（例えば、ｅＮｏｄｅＢの近位にて）と、リンク品質の悪いＵＥ（例えば、ｅＮｏｄｅＢから遠い）のためのビームフォーミング又はダイバーシティ方法との間で切り替わることを特徴とする、請求項３５に記載の方法。
【請求項６１】
同一のアンテナクラスタ又はアンテナサブクラスタ内の全てのｅＮｏｄｅＢのうちの１つのｅＮｏｄｅＢのみが、全てのＵＥに前記ＬＴＥブロードキャストチャネル（例えば、Ｐ−ＳＳ及びＳ−ＳＳ）を伝送することを特徴とする、請求項３６に記載の方法。
【請求項６２】
前記ＬＴＥブロードキャストチャネルを伝送する前記ｅＮｏｄｅＢは、ブロードキャストチャネル上で前記ＵＥにて受信される電力を最大化するように選択されることを特徴とする、請求項６１に記載の方法。
【請求項６３】
弱め合う干渉が前記ＵＥにて回避されるように、全てのＵＥに前記ＬＴＥブロードキャストチャネルを同時に伝送するために限定されたＢＴＳの組しか選択されない、請求項６１に記載の方法。
【請求項６４】
前記ＬＴＥブロードキャストチャネルは、同一のアンテナクラスタ又はアンテナサブクラスタ内の全ての前記ＵＥに到達するようにペイロードよりも高い電力で送信されることを特徴とする、請求項３６に記載の方法。
【発明の詳細な説明】
【技術分野】
【０００１】
［関連出願］
本出願は、以下の同時係属中の米国特許出願／米国特許に関連し得る。
【０００２】
米国特許出願第１３／６３３，７０２号、表題「Ｓｙｓｔｅｍｓ  ａｎｄ  Ｍｅｔｈｏｄｓ  ｆｏｒ  ｗｉｒｅｌｅｓｓ  ｂａｃｋｈａｕｌ  ｉｎ  ｄｉｓｔｒｉｂｕｔｅｄ−ｉｎｐｕｔ  ｄｉｓｔｒｉｂｕｔｅｄ−ｏｕｔｐｕｔ  ｗｉｒｅｌｅｓｓ  ｓｙｓｔｅｍｓ」。
【０００３】
米国特許出願第１３／４７５，５９８号、表題「Ｓｙｓｔｅｍｓ  ａｎｄ  Ｍｅｔｈｏｄｓ  ｔｏ  ｅｎｈａｎｃｅ  ｓｐａｔｉａｌ  ｄｉｖｅｒｓｉｔｙ  ｉｎ  ｄｉｓｔｒｉｂｕｔｅｄ−ｉｎｐｕｔ  ｄｉｓｔｒｉｂｕｔｅｄ−ｏｕｔｐｕｔ  ｗｉｒｅｌｅｓｓ  ｓｙｓｔｅｍｓ」。
【０００４】
米国特許出願第１３／２３３，００６号、表題「Ｓｙｓｔｅｍ  ａｎｄ  Ｍｅｔｈｏｄｓ  ｆｏｒ  ｐｌａｎｎｅｄ  ｅｖｏｌｕｔｉｏｎ  ａｎｄ  ｏｂｓｏｌｅｓｃｅｎｃｅ  ｏｆ  ｍｕｌｔｉｕｓｅｒ  ｓｐｅｃｔｒｕｍ」。
【０００５】
米国特許出願第１３／２３２，９９６号、表題「Ｓｙｓｔｅｍｓ  ａｎｄ  Ｍｅｔｈｏｄｓ  ｔｏ  Ｅｘｐｌｏｉｔ  Ａｒｅａｓ  ｏｆ  Ｃｏｈｅｒｅｎｃｅ  ｉｎ  Ｗｉｒｅｌｅｓｓ  Ｓｙｓｔｅｍｓ」。
【０００６】
米国特許出願第１３／４６４，６４８号、表題「Ｓｙｓｔｅｍ  ａｎｄ  Ｍｅｔｈｏｄｓ  ｔｏ  Ｃｏｍｐｅｎｓａｔｅ  ｆｏｒ  Ｄｏｐｐｌｅｒ  Ｅｆｆｅｃｔｓ  ｉｎ  Ｄｉｓｔｒｉｂｕｔｅｄ−Ｉｎｐｕｔ  Ｄｉｓｔｒｉｂｕｔｅｄ  Ｏｕｔｐｕｔ  Ｓｙｓｔｅｍｓ」。
【０００７】
米国特許出願第１２／９１７，２５７号、表題「Ｓｙｓｔｅｍｓ  Ａｎｄ  Ｍｅｔｈｏｄｓ  Ｔｏ  Ｃｏｏｒｄｉｎａｔｅ  Ｔｒａｎｓｍｉｓｓｉｏｎｓ  Ｉｎ  Ｄｉｓｔｒｉｂｕｔｅｄ  Ｗｉｒｅｌｅｓｓ  Ｓｙｓｔｅｍｓ  Ｖｉａ  Ｕｓｅｒ  Ｃｌｕｓｔｅｒｉｎｇ」。
【０００８】
米国特許出願第１２／８０２，９８８号、表題「Ｉｎｔｅｒｆｅｒｅｎｃｅ  Ｍａｎａｇｅｍｅｎｔ，Ｈａｎｄｏｆｆ，Ｐｏｗｅｒ  Ｃｏｎｔｒｏｌ  Ａｎｄ  Ｌｉｎｋ  Ａｄａｐｔａｔｉｏｎ  Ｉｎ  Ｄｉｓｔｒｉｂｕｔｅｄ−Ｉｎｐｕｔ  Ｄｉｓｔｒｉｂｕｔｅｄ−Ｏｕｔｐｕｔ（ＤＩＤＯ）Ｃｏｍｍｕｎｉｃａｔｉｏｎ  Ｓｙｓｔｅｍｓ」。
【０００９】
米国特許出願第１２／８０２，９７４号、表題「Ｓｙｓｔｅｍ  Ａｎｄ  Ｍｅｔｈｏｄ  Ｆｏｒ  Ｍａｎａｇｉｎｇ  Ｉｎｔｅｒ−Ｃｌｕｓｔｅｒ  Ｈａｎｄｏｆｆ  Ｏｆ  Ｃｌｉｅｎｔｓ  Ｗｈｉｃｈ  Ｔｒａｖｅｒｓｅ  Ｍｕｌｔｉｐｌｅ  ＤＩＤＯ  Ｃｌｕｓｔｅｒｓ」。
【００１０】
米国特許出願第１２／８０２，９８９号、表題「Ｓｙｓｔｅｍ  Ａｎｄ  Ｍｅｔｈｏｄ  Ｆｏｒ  Ｍａｎａｇｉｎｇ  Ｈａｎｄｏｆｆ  Ｏｆ  Ａ  Ｃｌｉｅｎｔ  Ｂｅｔｗｅｅｎ  Ｄｉｆｆｅｒｅｎｔ  Ｄｉｓｔｒｉｂｕｔｅｄ−Ｉｎｐｕｔ−Ｄｉｓｔｒｉｂｕｔｅｄ−Ｏｕｔｐｕｔ（ＤＩＤＯ）Ｎｅｔｗｏｒｋｓ  Ｂａｓｅｄ  Ｏｎ  Ｄｅｔｅｃｔｅｄ  Ｖｅｌｏｃｉｔｙ  Ｏｆ  Ｔｈｅ  Ｃｌｉｅｎｔ」。
【００１１】
米国特許出願第１２／８０２，９５８号、表題「Ｓｙｓｔｅｍ  Ａｎｄ  Ｍｅｔｈｏｄ  Ｆｏｒ  Ｐｏｗｅｒ  Ｃｏｎｔｒｏｌ  Ａｎｄ  Ａｎｔｅｎｎａ  Ｇｒｏｕｐｉｎｇ  Ｉｎ  Ａ  Ｄｉｓｔｒｉｂｕｔｅｄ−Ｉｎｐｕｔ−Ｄｉｓｔｒｉｂｕｔｅｄ−Ｏｕｔｐｕｔ（ＤＩＤＯ）Ｎｅｔｗｏｒｋ」。
【００１２】
米国特許出願第１２／８０２，９７５号、表題「Ｓｙｓｔｅｍ  Ａｎｄ  Ｍｅｔｈｏｄ  Ｆｏｒ  Ｌｉｎｋ  ａｄａｐｔａｔｉｏｎ  Ｉｎ  ＤＩＤＯ  Ｍｕｌｔｉｃａｒｒｉｅｒ  Ｓｙｓｔｅｍｓ」。
【００１３】
米国特許出願第１２／８０２，９３８号、表題「Ｓｙｓｔｅｍ  Ａｎｄ  Ｍｅｔｈｏｄ  Ｆｏｒ  ＤＩＤＯ  Ｐｒｅｃｏｄｉｎｇ  Ｉｎｔｅｒｐｏｌａｔｉｏｎ  Ｉｎ  Ｍｕｌｔｉｃａｒｒｉｅｒ  Ｓｙｓｔｅｍｓ」。
【００１４】
米国特許出願第１２／６３０，６２７号、表題「Ｓｙｓｔｅｍ  ａｎｄ  Ｍｅｔｈｏｄ  Ｆｏｒ  Ｄｉｓｔｒｉｂｕｔｅｄ  Ａｎｔｅｎｎａ  Ｗｉｒｅｌｅｓｓ  Ｃｏｍｍｕｎｉｃａｔｉｏｎｓ」。
【００１５】
２０１２年５月１日発行の米国特許第８，１７０，０８１号、表題「Ｓｙｓｔｅｍ  Ａｎｄ  Ｍｅｔｈｏｄ  Ｆｏｒ  Ａｄｊｕｓｔｉｎｇ  ＤＩＤＯ  Ｉｎｔｅｒｆｅｒｅｎｃｅ  Ｃａｎｃｅｌｌａｔｉｏｎ  Ｂａｓｅｄ  Ｏｎ  Ｓｉｇｎａｌ  Ｓｔｒｅｎｇｔｈ  Ｍｅａｓｕｒｅｍｅｎｔｓ」。
【００１６】
２０１２年４月１７日発行の米国特許第８，１６０，１２１号、表題「Ｓｙｓｔｅｍ  ａｎｄ  Ｍｅｔｈｏｄ  Ｆｏｒ  Ｄｉｓｔｒｉｂｕｔｅｄ  Ｉｎｐｕｔ−Ｄｉｓｔｒｉｂｕｔｅｄ  Ｏｕｔｐｕｔ  Ｗｉｒｅｌｅｓｓ  Ｃｏｍｍｕｎｉｃａｔｉｏｎｓ」。
【００１７】
２０１１年２月８日発行の米国特許第７，８８５，３５４号、表題「Ｓｙｓｔｅｍ  ａｎｄ  Ｍｅｔｈｏｄ  Ｆｏｒ  Ｅｎｈａｎｃｉｎｇ  Ｎｅａｒ  Ｖｅｒｔｉｃａｌ  Ｉｎｃｉｄｅｎｃｅ  Ｓｋｙｗａｖｅ（「ＮＶＩＳ」）Ｃｏｍｍｕｎｉｃａｔｉｏｎ  Ｕｓｉｎｇ  Ｓｐａｃｅ−Ｔｉｍｅ  Ｃｏｄｉｎｇ」。
【００１８】
２０１０年５月４日発行の米国特許第７，７１１，０３０号、表題「Ｓｙｓｔｅｍ  ａｎｄ  Ｍｅｔｈｏｄ  Ｆｏｒ  Ｓｐａｔｉａｌ−Ｍｕｌｔｉｐｌｅｘｅｄ  Ｔｒｏｐｏｓｐｈｅｒｉｃ  Ｓｃａｔｔｅｒ  Ｃｏｍｍｕｎｉｃａｔｉｏｎｓ」。
【００１９】
２００９年１２月２２日発行の米国特許第７，６３６，３８１号、表題「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎ」。
【００２０】
２００９年１２月１５日発行の米国特許第７，６３３，９９４号、表題「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎ」。
【００２１】
２００９年１０月６日発行の米国特許第７，５９９，４２０号、表題「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎ」。
【００２２】
２００８年８月２６日発行の米国特許第７，４１８，０５３号、表題「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎ」。
【背景技術】
【００２３】
過去３０年において、無線セルラ市場は、世界的な加入者数、並びに音声からウェブブラウジング及びリアルタイムＨＤビデオストリーミングへ移行するより良いサービスに対する需要の増加を経験している。より高いデータレート、低遅延、及び信頼性の向上を必要とするサービスに対するこの需要の増加は、様々な規格によって無線技術の急激な進化を牽引してきた。１９８０年代初期における第１世代の（音声サービスのための）アナログＡＭＰＳ及びＴＡＣＳから始まり、１９９０年代における２Ｇ及び２．５ＧのデジタルＧＳＭ（登録商標）、（音声及びデータサービスのための）ＩＳ−９５及びＧＰＲＳ、２０００年代前半における（ウェブブラウジングのための）ＵＭＴＳ及びＣＤＭＡ２０００に関する３Ｇに、そして、最後に、現在世界中の様々の国において配備されている（高速のインターネット接続のための）ＬＴＥに移行してきた。
【００２４】
ロングタームエボリューション（ＬＴＥ）は、第４世代（４Ｇ）無線セルラシステムに関する第３世代パートナーシッププロジェクト（３ＧＰＰ）によって開発された規格である。ＬＴＥは、理論上では、複数入力複数出力（ＭＩＭＯ）技術により無線チャネルの空間部品を利用することによって、ダウンリンクスペクトル効率において、以前の３Ｇ及びＨＳＰＡ＋規格に対して、４倍までの改善を実現することができる。ＬＴＥ−Ａｄｖａｎｃｅｄは、ＬＴＥの進化版であり、現在規格化中であるが、理論的には、スペクトル効率において、３Ｇ規格システムに対して８倍までの増加を可能にするであろう。
【００２５】
この技術の進化にもかかわらず、次の３年において、無線キャリアは、リアルタイムＨＤビデオストリーミング、テレビ会議及びゲームのような更にデータが必要なアプリケーションを提供するスマートフォン及びテーブルの市場浸透の増加により、データレートに対する増大する需要を満たすことができない強い可能性がある。無線ネットワークの容量は、ＬＴＥなどの改善された技術、並びに政府によって利用可能となる更なるスペクトルによって、２０１１年から２０１５年まで、ヨーロッパにおいて５倍に拡張することが推定されている［２５］。例えば、ＦＣＣは、全米ブロードバンド計画［２４］の一部として、米国全体にわたる無線インターネットの接続性を進めるために、２０２０年までに５００ＭＨｚ（そのうち３００ＭＨｚが２０１５年までに利用可能となる予定）のスペクトルを解放する予定になっている。残念なことに、２０１５年までの容量使用の予想は、ヨーロッパにおいて２０１１年に対して２３倍であり［２５］、そして、同様のスペクトルの欠乏は、２０１４年までに米国において起こることが予想される［２６〜２７］。このデータ危機の結果、無線キャリアに関する収益は、それらの資本支出（ＣＡＰＥＸ）及び営業経費（ＯＰＥＸ）を下回る可能性があり、無線市場に潜在的に衝撃的な影響を及ぼす［２８］。
【００２６】
ＬＴＥの配備と増加したスペクトル可用性によって提供される容量利得が不十分なため、この近づくスペクトル危機を防止する唯一の予見できる解決策は、新しい無線技術を推進することである［２９］。ＬＴＥ−Ａｄｖａｎｃｅｄ（ＬＴＥ規格の進化版）は、より高度なＭＩＭＯ技術によって、かつ、「小セル」の密度を増加させることによって、ＬＴＥに対する更なる利得を約束する［３０］。しかし、セル間の協調を可能にするために、干渉問題を招くことなく又はバックホールの複雑さを増大することなく、特定の領域に適合することができるセルの数には限度がある。
【００２７】
従来のセルラシステムの制約なしで、無線リンクを介するスペクトル効率の大規模な増加を提供する１つの有望な技術は、分散入力分散出力（ＤＩＤＯ）技術（上述の［０００２〜００２０］で引用された関連特許及び出願を参照）である。従来の無線システムに対する著しい性能の利益を提供するために、本発明は、セルラ規格の制約の中でも外でも共に、（ＬＴＥ又はＬＴＥ−Ａｄｖａｎｃｅｄなどの）セルラシステムに関連して使用されるＤＩＤＯ技術を記載する。ＭＩＭＯの概要から始めて、ＬＴＥ及びＬＴＥ−Ａｄｖａｎｃｅｄによって使用される種々の空間処理技術を検討する。その次に、本発明が、従来のアプローチと比較して、次世代無線通信システムに関する著しい容量利得を提供する方法を示す。
【００２８】
ＭＩＭＯは、無線リンクの送信側と受信側で複数のアンテナを使用して、ダイバーシティ技術（すなわちダイバーシティ利得）によってリンク信頼性を改善するか、又は、多重化方式（すなわち多重化利得）によってより高いデータレートを提供するために、空間処理を使用する［１〜２］。ダイバーシティ利得は、信号フェージングに対する強化された堅牢性の尺度であり、固定データレートに関してより高い信号対雑音比（ＳＮＲ）をもたらす。多重化利得は、固定エラー確率でデータレートを増大するために、無線チャネルの更なる空間自由度を利用することによって得られる。ＭＩＭＯシステムにおけるダイバーシティと多重化の間の基本的なトレードオフは、［３〜４］に記載している。
【００２９】
実用的なＭＩＭＯシステムにおいて、リンク適応技術は、伝搬条件に基づいて、ダイバーシティと多重化方式の間で、動的に切り替えるために使うことができる［２０〜２３］。例えば［２２〜２３］に記載されたリンク適応方式は、低空間選択性によって特徴づけられる低ＳＮＲレジーム又はチャネルにおいて、ビームフォーミング又は直交空間時間ブロックコード（ＯＳＴＢＣ）が好ましい方式であることを示した。一方、空間多重化は高いＳＮＲ及び高い空間選択性を有するチャネルに関するデータレートにおいて、著しい利得を提供することができる。例えば、図１ではセルを２つの領域に分けることができることを示す。ｉ）データレートを増加させるためにチャネルの空間自由度を空間多重化によって利用することができる高ＳＮＲ（セルタワー又は基地局への近接によるもの）で特徴づけられる、多重化領域１０１、ｉｉ）空間多重化技術がそこまで有効ではなく、ダイバーシティ方法をＳＮＲ及びカバレッジを向上させるのに用いることができる（データレートにおいてわずかな増加しか生み出さない）、ダイバーシティ領域１０２又はセル端。なお、図１におけるマクロセルの円が、円の陰影のついた中央を「多重化領域」として標識し、陰影がない外の領域を「ダイバーシティ領域」として標識することに注意されたい。陰影のついた領域は「多重化領域」であり、陰影がない領域は「ダイバーシティ領域」であるとするこの同じ領域指定は、たとえ標識をつけられていなくとも、図１、図３〜５を通して使用される。例えば、同じ指定は図１における小セル１０４についても用いられる。
【００３０】
ＬＴＥ（リリース８）とＬＴＥ−Ａｄｖａｎｃｅｄ（リリース１０）規格は、ダイバーシティ又は多重化方式のいずれを含む１０の伝送モード（ＴＭ）のセットを定義している［３５、８５〜８６］。
・モード１。単一アンテナ・ポート、ポート０
・モード２。ダイバーシティを送信
・モード３。大遅延巡回遅延ダイバーシティ（ＣＤＤ）、シングルユーザＭＩＭＯ（ＳＵ−ＭＩＭＯ）に関する開ループ空間多重化の拡張
・モード４。ＳＵ−ＭＩＭＯに関する閉ループ空間多重化
・モード５。マルチユーザＭＩＭＯ（ＭＵ−ＭＩＭＯ）
・モード６。閉ループ空間多重化、単一の送信レイヤ使用
・モード７。単一アンテナ・ポート、ＵＥ固有ＲＳ（ポート５）
・モード８。シングル又はデュアルレイヤ送信、ＵＥ固有ＲＳ（ポート７及び／又は８）
・モード９。単一又は最大８層までの閉ループＳＵ−ＭＩＭＯ（リリース１０で追加）  ・モード１０。８層までのマルチレイヤ閉ループＳＵ−ＭＩＭＯ（リリース１０で追加）
【００３１】
以下で、セルラシステムにおいて通常使用されるダイバーシティ及び多重化方式、並びに、上述で概説されたＬＴＥで使用される具体的な方法を記載して、ＤＩＤＯ通信に特有な技術と比較する。まず最初に２種類の伝送方法を識別する。ｉ）複数のアンテナを用いて、１つのセル内におけるリンクの信頼性又はデータレートを向上させる、（セルラシステムにおけるマイクロダイバーシティを利用する）イントラセル方法、ｉｉ）追加のダイバーシティ又は多重化利得を提供するようにセル間での協調を可能とする、（マクロダイバーシティを利用する）インターセル方法。次に、本発明が先行技術に対して著しい利点（スペクトル容量利得を含む）を提供する方法を記載する。
【００３２】
１．イントラセルダイバーシティ方法
イントラセルダイバーシティ方法は、１つのセルの中で動作し、劣悪なリンク品質（例えば、中央塔又は基地局からの高い経路損失を受けるセル端のユーザ）を有するシナリオにおいてＳＮＲを増強するようになっている。ＭＩＭＯ通信において使用される代表的なダイバーシティ方式は、ビームフォーミング［５〜１１］及び直交空間時間ブロックコード（ＯＳＴＢＣ）［１２〜１５］である。
【００３３】
ＬＴＥ規格によってサポートされるダイバーシティ技術は、送信ダイバーシティ、閉ループランク−１プリコーディング、及び専用のビームフォーミング［３１〜３５］である。送信ダイバーシティ方式は、ダウンリンク（ＤＬ）上で、２つ又は４つの送信アンテナをサポートし、アップリンク（ＵＬ）に関しては、２つのアンテナのみをサポートする。それは、ＤＬチャネルにおいて、空間並びに周波数選択性を利用するために、周波数切換送信ダイバーシティ（ＦＳＴＤ）と組み合わされた空間周波数ブロック符号（ＳＦＢＣ）によって、実現される［３１］。ランク−１プリコーディングは、ユーザ機器（ＵＥ）から送受信基地局（図１におけるＢＴＳ  １０５、すなわち、ＬＴＥ用語を用いるとｅＮｏｄｅＢ）までのフィードバックのオーバーヘッドを低減するために、（制限されたフィードバック技術を用いて予めデザインされた［３６〜４２］）コードブックから選択される量子化された重みに基づいて、一人のユーザに専用のビームを生成する。あるいは、専用のビームフォーミングの重みを、ＵＥ固有の参照信号に基づいて計算することができる。
【００３４】
２．イントラセル多重化方法
ＭＩＭＯ多重化方式［１、１９］は、無線リンク上の複数の並列データストリームをサポートするために、高いＳＮＲレジームにおいて、及び、チャネルにおける十分な空間自由度を有するシナリオ（例えば、高い空間選択性［１６〜１８］を有する豊かなマルチパスの環境）において、データレートの利得を提供する。
【００３５】
ＬＴＥ規格は、シングルユーザＭＩＭＯ（ＳＵ−ＭＩＭＯ）及びマルチユーザＭＩＭＯ（ＭＵ−ＭＩＭＯ）のための種々の多重化技術をサポートする［３１］。ＳＵ−ＭＩＭＯ方式は、２つの動作モードを有する。ｉ）閉ループ。ＤＬプリコーディング重みを選択するためにＵＥからのフィードバック情報を利用する。ｉｉ）開ループ。ＵＥからのフィードバックが利用できないか、又は、閉ループ方式をサポートするには、ＵＥがあまりに速く移動しているときに使用。閉ループ方式は、コードブックから選択される一組の予め計算された重みを使用する。これらの重みは、ＵＥの要求及びＢＴＳのスケジューラの判断に応じて、２つ又は４つの送信アンテナ、並びに、１〜４つの並列のデータストリーム（プリコーディングマトリックスの層数によって特定される）をサポートすることができる。ＬＴＥ−Ａｄｖａｎｃｅｄは、空間処理によって、８倍までのスペクトル効率の増加を提供するために、最大ＭＩＭＯ  ８×８までの新しい伝送モードを含むことができる［６２］。
【００３６】
ＭＵ−ＭＩＭＯ方式は、ＵＬとＤＬチャネルの双方について規定されている［３１、５０］。ＵＬでは、あらゆるＵＥは、ＢＴＳに参照信号（Ｚａｄｏｆｆ−Ｃｈｕ系列［３３］を循環シフトさせたバージョンからなる）を送信する。それらの参照信号は、ＢＴＳが全てのＵＥからのチャネルを推定し、空間処理によって、同時に複数のＵＥからのデータストリームを復調することができるように、直交している。ＤＬでは、種々のＵＥに関するプリコーディング重みは、ＵＥ及びスケジューラからのフィードバックに基づいて、コードブックから選択され（閉ループＳＵ−ＭＩＭＯ方式と同様に）、ランク−１プリコーディングだけがあらゆるＵＥについて可能となっている（例えば、各ＵＥは、１つのデータストリームだけを受信する）。
【００３７】
空間処理を使用しているイントラセル多重化技術は、高いＳＮＲ（又はＳＩＮＲ）及び高い空間選択性（マルチパスの豊富な環境）によって特徴づけられる伝搬シナリオにおいてのみ良好な性能を提供する。従来のマクロセルに関しては、これらの状況は、ＢＴＳがＵＥから通常は遠くて、ＳＩＮＲの分布は通常低い値に集中化するので、実現するのがより難しい可能性がある［４３］。これらのシナリオにおいて、ＭＵ−ＭＩＭＯ方式又はダイバーシティ技術は、空間多重化を有するＳＵ−ＭＩＭＯよりも良い選択であるかもしれない。
【００３８】
（ＭＩＭＯによる空間処理を必要とすることなく）更なる多重化利得を実現するためにＬＴＥ−Ａｄｖａｎｃｅｄによって考えられる別の技術及びネットワークソリューションは、キャリアアグリゲーション（ＣＡ）及び小セルである。ＣＡ［３０、４４〜４７］は１００ＭＨｚ［８５］まで信号帯域幅を増強するためにＲＦスペクトルの異なる部分を組み合わせ、それによってより高いデータレートを与える。帯域内ＣＡは、スペクトルの同じ部分の範囲内で、異なる帯域を組み合わせる。したがって、それは多重チャネルについて同じＲＦチェーンを使うことができ、複数のデータストリームはソフトウェアにおいて再結合される。帯域間ＣＡは、スペクトルの異なる部分において動作することを異なるＲＦチェーンに要求し、並びに、異なる帯域から複数のデータストリームを再結合することを信号処理に要求する。
【００３９】
小セルの主要な考え［３０、４７］は、従来のマクロセルの大きさを低下させることであり、それによって、カバレッジの領域につき、より高いセル密度、及び、より大きなスループットを可能にする。小セルは、マクロセルに使用される背の高い高価なセルタワーと対照的に、通常は、（図１で表されるように）低電力伝送による安価なアクセスポイント１０６を通して配備される。２種類の小セルはＬＴＥ−Ａｄｖａｎｃｅｄにて規定されている。ｉ）都市部における野外設置のための、３２〜６４の同時ユーザをサポートするメトロセル、及びｉｉ）屋内使用のための、最大で４人のアクティブユーザに対応することができるフェムトセル。小セルの１つの利点はＢＴＳの近くのＵＥの密度が統計的により高いということであり、それによって、データレートを増強するために空間多重化を通して利用することができるより良いＳＮＲを与える。しかし、小セルの実際的な配備に関して、なお多くの懸念、特にバックホールに関連した懸念がある。実際、高速の有線接続を通してあらゆる小セルのＢＴＳに届くことは、特に、所定のカバレッジ領域におけるメトロセル及びフェムトセルの高密度を考慮すると、挑戦的かもしれない。有線バックホールと比較して、見通しのある（ＬＯＳ）バックホールを小セルに使用することは安価に実現できることが多いが、好ましい小セルＢＴＳの配置について利用可能な実際的なＬＯＳバックホールパスのないことが多く、かつ、小セルＢＴＳへの見通しのない（ＮＬＯ）無線バックホールのための一般解がない。更に、小セルは、自己組織化ネットワーク（ＳＯＮ）［３０、５１〜５２］におけるように、干渉を避けるために、ＢＴＳ間の複雑なリアルタイム協調を必要とし、それらの最適場所を計画するために、高度なセル計画ツール（小セルの高密度化により、従来のセルラシステムより更に複雑な）を必要とする［４８、４９］。最後に、ハンドオフは小セル配備の限定的な因子であり、特に何グループもの加入者が同時にセルを切り替えることでバックホールを超えて大量のオーバーヘッドのハンドオフが引き起こされ、結果として待機時間が長くなり、電話に出られないことが不可避となるシナリオにおいてそうである。
【００４０】
小セルがマクロセルと共存し、最適な又は必然的に更に改善されたスループットを実現することを可能にする実際的な一般解がないことは、自明に示すことができる。無数のそのような非可解状況の内の一つとして、そのＵＥがマクロセル伝送と不可避的に重なるように小セルが位置し、小セル及びマクロセルは、それぞれのＵＥに届くために同じ周波数を使用するという状況がある。この状況において明らかに、マクロセル伝送は小セル伝送と干渉することになる。特定のマクロセル、特定の小セル、関係する特定のマクロセル及び小セルＵＥ、それらのＵＥのスループット要求、並びに環境状況等、の特定の状況に関するそのような干渉を軽減する多少のアプローチがあるかもしれない。しかし、マクロセル及び小セルの静的な計画にとってだけでなく、特定の時間間隔の動的な状況にとっても、あらゆるそのようなアプローチは非常に特異である。通常は、各ＵＥに対するチャネルの完全なスループットは、実現することができない。
【００４１】
３．インターセルダイバーシティ方法
マクロセルが小セル（例えば、メトロセル、ピコセル及びフェムトセル）と共存する不均一ネットワーク（ＨｅｔＮｅｔ）［９０］では、セル間干渉を排除するために種々の技術を利用する必要がある。ＨｅｔＮｅｔは小セルを通してより良いカバレッジを提供する一方で、データレートにおける利得はわずかでしかない。なぜなら、異なる形態の周波数繰り返しパターンを介してスペクトルを共用すること、又は多重化利得を得ることよりも干渉を排除するために空間処理を用いることを必要とするためである。ＬＴＥ規格は、特にセル端にて干渉を排除するために、セル間干渉制御（ＩＣＩＣ）方式を利用する。ＩＣＩＣ法には、セル自立式及びＢＴＳ間で協調されるものの２種類の方法がある。
【００４２】
セル自立式ＩＣＩＣ方式は、図２に示す異なる周波数繰り返しパターンを介してセル間干渉を回避する。図２において、六角形はセルを表し、色は様々な搬送波周波数を表す。ＬＴＥでは３つの方式が検討されている。ｉ）図２ａに示すようにセルが利用可能な帯域幅を全て用いて、セル端で高干渉を生成する完全周波数繰り返し（又は繰り返し１）、ｉｉ）図２ｂに示すようにあらゆるセルに異なる周波数帯が（典型的に３の繰り返し因子を有して）割り当てられるハード周波数繰り返し（ＨＦＲ）、ｉｉｉ）セルの中心が周波数繰り返し１のように利用可能な帯域幅全体に割り当てられている一方で、セル端は図２ｃに示すようにセル間干渉を軽減するようにＨＦＲモードで動作する、フラクショナル周波数繰り返し（ＦＦＲ）。
【００４３】
協調ＩＣＩＣ方法は、ＢＴＳ間の協調が無線ネットワークの性能を改善することを可能にする。これらの技術は、同時に全員が同じ周波数を使用している多重ＵＥのための分散アンテナネットワークの一般的なケースにおいて、無線送受信機間の協調を可能にするために関連特許及び出願［０００２〜００２２］で教示される方法の特例である。所定の周波数及び所定の時刻における単一のＵＥに関するセルラシステムの特定のケースについて、セル間干渉を除去するＢＴＳ間の協調について［５３］で記載した。［５３］におけるシステムは、あらゆるマクロセルを複数のサブセルに分割し、協調ＢＴＳからの専用のビームフォーミングを使用することによって、サブセル間の柔軟なハンドオフを可能にする。そして、協調したＢＴＳからの専用のビームフォーミングを使用することによって、単一のＵＥがサブセルの境界に沿って移動するときに、単一の周波数及び単一のＵＥにおけるリンクの堅牢性を改善する。
【００４４】
最近では、協調する無線セルラネットワークのこのクラスは、「ネットワークＭＩＭＯ（ＭＩＭＯ）」又は「協調マルチポイント」（ＣｏＭＰ）システムとして、ＭＩＭＯ文献において明確にされている。セル間干渉を除去することによってネットワークＭＩＭＯで得られる利益に関する理論的な分析及びシミュレーションされた結果は、［５４〜６１］に示される。ネットワークＭＩＭＯ及びＣｏＭＰの優位点は、マクロセル３０２について、図３にて「干渉領域」３０１と記載するセルの重複領域におけるセル間干渉を排除することである。
【００４５】
ＣｏＭＰネットワークは、次世代セルラネットワークにおいてセル間干渉を軽減する解決策として、能動的にＬＴＥ−Ａｄｖａｎｃｅｄ規格の一部になりつつある［６２〜６４］。セル間干渉を排除するために、規格において今まで３つのＣｏＭＰ解決策が提案されている。ｉ）ＵＥがそのデータストリームを１つのＢＴＳのみからビームフォーミングを介して受信し、ＢＴＳにわたる協調は、干渉をビームフォーミング又はスケジューリング技術を介して除去可能にされる協調スケジューリング／ビームフォーミング（ＣＳ／ＣＢ）、ｉｉ）あらゆるＵＥについて、ＵＥに透過的に、サブフレームベースでセルを動的に選択する、動的セル選択（ＤＣＳ）、ｉｉｉ）所定のＵＥについてのデータが複数のＢＴＳから連帯的に伝送されて、受信された信号品質を向上させてセル間干渉を排除する、ジョイントトランスミッション（ＪＴ）。ＣｏＭＰ−ＪＴは、ＢＴＳ間での協調を可能にするために、バックホールにおいてより高いオーバーヘッドを犠牲にして、ＣｏＭＰ−ＣＳ／ＣＢより大きな利得をもたらす。
【００４６】
４．インターセル多重化方法
先行技術のマルチユーザ無線システムは、無線ネットワークに複雑さを追加し、制約を導入し、結果として、その領域における別のユーザによるスペクトルの利用によって、所定のユーザの経験（例えば利用可能なスループット、遅延、予測性、信頼性）が影響を受ける状況になる。マルチユーザと共有する無線スペクトル内のスループットの総計に対する増加する要求、並びに、所定のユーザに関するマルチユーザ無線ネットワークの信頼性、予測性及び低遅延に依存することができるアプリケーションの成長の増加を考慮すると、先行技術のマルチユーザ無線技術が多くの制約を被ることは明らかである。確かに、特定の種類の無線通信（例えば、建物の壁を貫通するのに有効な波長における）に適切なスペクトルの制限された可用性に関して、先行技術の無線技術は、信頼性が高く予測可能で低遅延である帯域幅に対する増加する要求に応ずるには不十分であろう。
【００４７】
先行技術のイントラセルダイバーシティ及び多重化方法は、ＬＴＥに関する現行のセルラネットワーク（ＭＩＭＯ  ４×４による）上のスループットにおいて、理論的に最大で４倍の増加、ＬＴＥ−Ａｄｖａｎｃｅｄ（ＭＩＭＯ  ８×８による）に関しては、多くても理論的に８倍を提供することができるだけである。なお、高次のＭＩＭＯに関しては、所定のマルチパス環境において、特に（スマートフォンなどの）ＵＥがより小さくなり、アンテナ配置に関してより拘束されるようになるにつれて、スループットの増加に関する改善効果は減少する。次世代セルラシステムにおける他のわずかなスループット利得は、キャリアアグリゲーション技術によって利用される更なるスペクトル割当て（例えば、ＦＣＣ全米ブロードバンド計画）、及び小セルネットワーク及びＳＯＮによるＢＴＳのより高密度の分布から得られるかもしれない［３０、４６］。しかし、空間処理によって得られるスペクトル効率利得が制限されるので、全ての上述の技術は、マルチユーザ伝送を可能にするスペクトル又は時間の共有技術にまだ非常に依存している。
【００４８】
先行技術のインターセル方法（例えば、ネットワークＭＩＭＯ及びＣｏＭＰシステム［５３〜６４］）は、セル間干渉を除去することによってセルラネットワークの信頼性を改善することができるが、それらの容量利得はほんの少しだけである。実際、それらのシステムは、セル境界の範囲内に含まれるあらゆるＢＴＳから送信される電力を制約して、セル間の電力漏洩によるセル間干渉を除去するために有効なだけである。図３は、３つのＢＴＳを有するセルラネットワークの１つの例を示し、それぞれが自分自身のカバレッジ領域又はセルで特徴づけられる。各ＢＴＳから送信される電力は、セルが重なる領域によって図３で表されるセル間の干渉の量を制限するために、制約される。これらのシステムは、干渉領域における低ＳＩＮＲレジームにおいて動作するので、ＳＵ−ＭＩＭＯに関するイントラセル方式と同様に、それらのスペクトル効率の利得はほんの少しだけである。インターセル協調ネットワークにおいて真に著しい容量利得を得るために、セル−境界に限られている電力制限は、緩和されなければならない。そして、空間多重化技術が、ＳＩＮＲの高い（従来のアプローチにおけるような、ちょうど劣悪なＳＩＮＲ性能を有するセル端ではなく）セルの全体を通じて可能にされなければならない。
【００４９】
図４は、３つのＢＴＳ  ４０１の全てから同じ周波数で同時に送信された電力が増大され、それによって、セル４０２の全体を通じて高水準の干渉を可能にする。先行技術システムにおいて、そのような干渉は、ＢＴＳの干渉領域の全体を通じて、インコヒーレント干渉（ＵＥ信号受信を阻害する）をもたらすが、この干渉は、実は新しいセル間多重化方法による本発明において利用される。この方法は、あらゆるＵＥのまわりでコヒーレント干渉（ＵＥ信号受信を強化する）の領域を生成するために空間処理を使用し、それによって、同時に非干渉データストリームをあらゆるＵＥに提供して、セルを通してそれらのＳＩＮＲを増大する。
【００５０】
図４に図示されるシナリオは、セルラシステムの特定の場合について［８９］に記載されている。［８９］におけるシステムは、クラスタにグループ分けされた様々なセルを識別する幾つかのＢＴＳからなる。協調は、同一クラスタ内の隣接するセルからのＢＴＳ間にのみ許可される。この場合、ＢＴＳから送信される電力が増加すると、セル間多重化方法によって得られる容量（又はスペクトル効率）に制限があることが示された。実際のところ、送信電力が増加すると、クラスタ外干渉は比例的に増加し、ＳＩＮＲについて、結果的には容量についての、飽和レジームを生成する。この効果の結果として、［８９］におけるシステムは理論的には最大で３倍の容量の増加（すなわち、クラスタ内で最大で３つのセル）を得ることができ、クラスタに含まれる任意の追加のセルは増加したクラスタ外干渉によって容量を減少させる（例えば、クラスタ毎に２１セルの場合は、クラスタ毎に３セルの場合よりもより低い容量を得る）。ＢＴＳがセルラシステムと同様に予め規定された位置に制限され、多重化利得がＢＴＳからの増加する送信電力によって得られるため、［８９］における基礎的な容量限度は保持されることを観察した。インターセル多重化方法を介して理論的に無限の容量を得るには、ＢＴＳ配置における制約を排除しなければならず、これによってＢＴＳがどこに配置されてもよいことが便利となる。
【００５１】
したがって、分散ＢＴＳ  ５０１から送信される電力上のあらゆる制約を、それらの配置における制約に加えて除去することによって、空間処理によってセル間多重化利得を利用するスペクトル効率における大規模な増加を実現するシステムを提供することが望ましい。図５は、１つの多くの更なるアクセスポイント５０２がセル５０３の全体を通じて故意にインコヒーレント干渉のレベルを増大するために追加される例を示す。それは、ＵＥのまわりでコヒーレント干渉の領域を生成して、それによって理論的に無限のセル間多重化利得を与えるために、本発明において利用される。追加のアクセスポイントは便利な場所に偶然に配置されており、従来技術に記載されるセルラシステムのように何ら特定のセル設計に制約されない。発明の例示的な実施形態では、その偶然のアクセスポイントは分散入力分散出力（ＤＩＤＯ）のアクセスポイントであり、セル間多重化利得は段落［００１４〜００２０］及び［７７〜７８］に記載されるＤＩＤＯ方法によって得られる。別の実施形態では、それらの偶然のアクセスポイントは、安価なＷｉ−Ｆｉアクセスポイント又は小セル［３０，４７］と同様の低電力送受信機であり、それによって、図５に示すように、マクロセルの中で重なりあうカバレッジのより小さな領域を提供する。
【００５２】
先行技術のインターセル方法［５３〜６４］が、図３のようなあらゆるＢＴＳからの送信電力を故意に制限することによって、インコヒーレント干渉を避け、空間処理によって残りのセル間干渉（セル間のオーバラップ領域に関する）を除去し、それによって、改善されたＳＩＮＲ及びセル間のダイバーシティ利得を提供することが分かる。更に［８９］は送信電力を増加させながらＢＴＳ配置をセル設計に制限することで、クラスタ外干渉による得られる容量を制限し、このようにして、まだ干渉によって制限されることが観察される。一方、本発明は、ＵＥのまわりでコヒーレント干渉を生成するために、偶然に配置されたあらゆるＢＴＳからより高い電力を送信することで、インコヒーレント干渉を利用する。これによって、空間処理によってセル全体にわたってセル間多重化利得を得るための必要条件である、ＵＥにおける信号品質を向上させる。したがって、（ＢＴＳからの制限された送信電力又は送信電力が増加したときのクラスタ外干渉により）セルを通して、本発明のようなセル間多重化方法を可能にする十分なＳＩＮＲがないので、先行技術に記載されるシステムは、空間処理による無制限のセル間多重化利得を実現するために使用することはできない。更に、先行技術に記載されるシステムは、先行技術のシステムが、本発明で実現されるセル間多重化利得を得るために、多重化領域でセル間干渉を利用するよりはむしろ図１及び図３〜５の陰影のついた領域に示されるダイバーシティ領域の中でセル間干渉を避けるようになっていることを考慮すると、図４〜５に示される本発明で実現される多重化利得を実現するように実施することは不可能である。
本発明は、図面とともに以下の詳細な説明から、より良く理解することができる。
【図面の簡単な説明】
【００５３】
【図１】マクロセル及び小セルについての多重化及びダイバーシティ領域を図示する。
【図２ａ】従来のセルラシステムにおける完全周波数繰り返しパターンを図示する。
【図２ｂ】従来のセルラシステムにおけるハード周波数繰り返し（ＨＦＲ）パターンを図示する。
【図２ｃ】従来のセルラシステムにおけるフラクショナル周波数繰り返し（ＦＦＲ）パターンを図示する。
【図３】隣接するマクロセル間の干渉領域を図示する。
【図４】セル間の干渉レベルを上昇させるために高電力で送信する複数のＢＴＳを図示する。
【図５】セルの全体を通じて故意にインコヒーレントな干渉レベルを増大させるために、多くのアクセスポイントが追加される一例を図示する。
【図６】ＬＴＥネットワークにおけるネットワークエレメントを図示する。
【図７ａ】ＦＤＤ動作についてのＬＴＥフレーム構造を図示する。
【図７ｂ】ＴＤＤ動作についてのＬＴＥフレーム構造を図示する。
【図８ａ】ＯＦＤＭ  ＤＬチャネルにおけるＬＴＥ「リソースエレメント」及び「リソースブロック」を図示する。
【図８ｂ】ＳＣ−ＦＤＭＡ  ＵＬチャネルにおけるＬＴＥ「リソースエレメント」及び「リソースブロック」を図示する。
【図９】アンテナクラスタ及びユーザクラスタからなる、マルチユーザ（ＭＵ）複数アンテナシステム（ＭＡＳ）又はＭＵ−ＭＡＳの一実施形態を図示する。
【図１０】異なるセルＩＤがあらゆるアンテナサブクラスタに関連付けられる、ＭＵ−ＭＡＳの一実施形態を図示する。
【図１１】セルＩＤの同一セットが、所定の繰り返しパターンを有してアンテナサブクラスタに割り当てられる、ＭＵ−ＭＡＳの一実施形態を図示する。
【図１２】過疎及び人口密集の地域を有するカルフォルニア州、サンフランシスコの都心部にてＭＵ−ＭＡＳシステムを実際に配備するためのＳＮＲ分布を図示する。
【図１３】ＣＰ、分散ＢＴＳ、及び複数のＵＥからなるＭＵ−ＭＡＳの一実施形態を図示する。
【図１４】ＣＰ、分散ＢＴＳ、複数の装置、及びネットワークインターフェースを介してその複数の装置とＢＴＳに接続される１つのＵＥからなる、ＭＵ−ＭＡＳの一実施形態を図示する。
【図１５】ＵＥがユーザ装置に物理的に装着されるケースの中にある、ＭＵ−ＭＡＳの一実施形態を図示する。
【発明を実施するための形態】
【００５４】
上述の先行技術の限界の多くを克服する１つの解決策は、分散入力分散出力（ＤＩＤＯ）技術の一実施形態である。ＤＩＤＯ技術は、以下の特許及び特許出願に記載され、それら全ては本特許の譲受人に譲渡されており、本明細書に参照により組み込まれる。これらの特許と出願は、本明細書で全体的に「関連特許及び出願」として、幾度か言及する。
【００５５】
米国特許出願第１３／６３３，７０２号、表題「Ｓｙｓｔｅｍｓ  ａｎｄ  Ｍｅｔｈｏｄｓ  ｆｏｒ  ｗｉｒｅｌｅｓｓ  ｂａｃｋｈａｕｌ  ｉｎ  ｄｉｓｔｒｉｂｕｔｅｄ−ｉｎｐｕｔ  ｄｉｓｔｒｉｂｕｔｅｄ−ｏｕｔｐｕｔ  ｗｉｒｅｌｅｓｓ  ｓｙｓｔｅｍｓ」。
【００５６】
米国特許出願第１３／４７５，５９８号、表題「Ｓｙｓｔｅｍｓ  ａｎｄ  Ｍｅｔｈｏｄｓ  ｔｏ  ｅｎｈａｎｃｅ  ｓｐａｔｉａｌ  ｄｉｖｅｒｓｉｔｙ  ｉｎ  ｄｉｓｔｒｉｂｕｔｅｄ−ｉｎｐｕｔ  ｄｉｓｔｒｉｂｕｔｅｄ−ｏｕｔｐｕｔ  ｗｉｒｅｌｅｓｓ  ｓｙｓｔｅｍｓ」。
【００５７】
米国特許出願第１３／２３３，００６号、表題「Ｓｙｓｔｅｍ  ａｎｄ  Ｍｅｔｈｏｄｓ  ｆｏｒ  ｐｌａｎｎｅｄ  ｅｖｏｌｕｔｉｏｎ  ａｎｄ  ｏｂｓｏｌｅｓｃｅｎｃｅ  ｏｆ  ｍｕｌｔｉｕｓｅｒ  ｓｐｅｃｔｒｕｍ」。
【００５８】
米国特許出願第１３／２３２，９９６号、表題「Ｓｙｓｔｅｍｓ  ａｎｄ  Ｍｅｔｈｏｄｓ  ｔｏ  Ｅｘｐｌｏｉｔ  Ａｒｅａｓ  ｏｆ  Ｃｏｈｅｒｅｎｃｅ  ｉｎ  Ｗｉｒｅｌｅｓｓ  Ｓｙｓｔｅｍｓ」。
【００５９】
米国特許出願第１３／４６４，６４８号、表題「Ｓｙｓｔｅｍ  ａｎｄ  Ｍｅｔｈｏｄｓ  ｔｏ  Ｃｏｍｐｅｎｓａｔｅ  ｆｏｒ  Ｄｏｐｐｌｅｒ  Ｅｆｆｅｃｔｓ  ｉｎ  Ｄｉｓｔｒｉｂｕｔｅｄ−Ｉｎｐｕｔ  Ｄｉｓｔｒｉｂｕｔｅｄ  Ｏｕｔｐｕｔ  Ｓｙｓｔｅｍｓ」。
【００６０】
米国特許出願第１２／９１７，２５７号、表題「Ｓｙｓｔｅｍｓ  Ａｎｄ  Ｍｅｔｈｏｄｓ  Ｔｏ  Ｃｏｏｒｄｉｎａｔｅ  Ｔｒａｎｓｍｉｓｓｉｏｎｓ  Ｉｎ  Ｄｉｓｔｒｉｂｕｔｅｄ  Ｗｉｒｅｌｅｓｓ  Ｓｙｓｔｅｍｓ  Ｖｉａ  Ｕｓｅｒ  Ｃｌｕｓｔｅｒｉｎｇ」。
【００６１】
米国特許出願第１２／８０２，９８８号、表題「Ｉｎｔｅｒｆｅｒｅｎｃｅ  Ｍａｎａｇｅｍｅｎｔ，Ｈａｎｄｏｆｆ，Ｐｏｗｅｒ  Ｃｏｎｔｒｏｌ  Ａｎｄ  Ｌｉｎｋ  Ａｄａｐｔａｔｉｏｎ  Ｉｎ  Ｄｉｓｔｒｉｂｕｔｅｄ−Ｉｎｐｕｔ  Ｄｉｓｔｒｉｂｕｔｅｄ−Ｏｕｔｐｕｔ（ＤＩＤＯ）Ｃｏｍｍｕｎｉｃａｔｉｏｎ  Ｓｙｓｔｅｍｓ」。
【００６２】
米国特許出願第１２／８０２，９７４号、表題「Ｓｙｓｔｅｍ  Ａｎｄ  Ｍｅｔｈｏｄ  Ｆｏｒ  Ｍａｎａｇｉｎｇ  Ｉｎｔｅｒ−Ｃｌｕｓｔｅｒ  Ｈａｎｄｏｆｆ  Ｏｆ  Ｃｌｉｅｎｔｓ  Ｗｈｉｃｈ  Ｔｒａｖｅｒｓｅ  Ｍｕｌｔｉｐｌｅ  ＤＩＤＯ  Ｃｌｕｓｔｅｒｓ」。
【００６３】
米国特許出願第１２／８０２，９８９号、表題「Ｓｙｓｔｅｍ  Ａｎｄ  Ｍｅｔｈｏｄ  Ｆｏｒ  Ｍａｎａｇｉｎｇ  Ｈａｎｄｏｆｆ  Ｏｆ  Ａ  Ｃｌｉｅｎｔ  Ｂｅｔｗｅｅｎ  Ｄｉｆｆｅｒｅｎｔ  Ｄｉｓｔｒｉｂｕｔｅｄ−Ｉｎｐｕｔ−Ｄｉｓｔｒｉｂｕｔｅｄ−Ｏｕｔｐｕｔ（ＤＩＤＯ）Ｎｅｔｗｏｒｋｓ  Ｂａｓｅｄ  Ｏｎ  Ｄｅｔｅｃｔｅｄ  Ｖｅｌｏｃｉｔｙ  Ｏｆ  Ｔｈｅ  Ｃｌｉｅｎｔ」。
【００６４】
米国特許出願第１２／８０２，９５８号、表題「Ｓｙｓｔｅｍ  Ａｎｄ  Ｍｅｔｈｏｄ  Ｆｏｒ  Ｐｏｗｅｒ  Ｃｏｎｔｒｏｌ  Ａｎｄ  Ａｎｔｅｎｎａ  Ｇｒｏｕｐｉｎｇ  Ｉｎ  Ａ  Ｄｉｓｔｒｉｂｕｔｅｄ−Ｉｎｐｕｔ−Ｄｉｓｔｒｉｂｕｔｅｄ−Ｏｕｔｐｕｔ（ＤＩＤＯ）Ｎｅｔｗｏｒｋ」。
【００６５】
米国特許出願第１２／８０２，９７５号、表題「Ｓｙｓｔｅｍ  Ａｎｄ  Ｍｅｔｈｏｄ  Ｆｏｒ  Ｌｉｎｋ  ａｄａｐｔａｔｉｏｎ  Ｉｎ  ＤＩＤＯ  Ｍｕｌｔｉｃａｒｒｉｅｒ  Ｓｙｓｔｅｍｓ」。
【００６６】
米国特許出願第１２／８０２，９３８号、表題「Ｓｙｓｔｅｍ  Ａｎｄ  Ｍｅｔｈｏｄ  Ｆｏｒ  ＤＩＤＯ  Ｐｒｅｃｏｄｉｎｇ  Ｉｎｔｅｒｐｏｌａｔｉｏｎ  Ｉｎ  Ｍｕｌｔｉｃａｒｒｉｅｒ  Ｓｙｓｔｅｍｓ」。
【００６７】
米国特許出願第１２／６３０，６２７号、表題「Ｓｙｓｔｅｍ  ａｎｄ  Ｍｅｔｈｏｄ  Ｆｏｒ  Ｄｉｓｔｒｉｂｕｔｅｄ  Ａｎｔｅｎｎａ  Ｗｉｒｅｌｅｓｓ  Ｃｏｍｍｕｎｉｃａｔｉｏｎｓ」。
【００６８】
２０１２年５月１日発行の米国特許第８，１７０，０８１号、表題「Ｓｙｓｔｅｍ  Ａｎｄ  Ｍｅｔｈｏｄ  Ｆｏｒ  Ａｄｊｕｓｔｉｎｇ  ＤＩＤＯ  Ｉｎｔｅｒｆｅｒｅｎｃｅ  Ｃａｎｃｅｌｌａｔｉｏｎ  Ｂａｓｅｄ  Ｏｎ  Ｓｉｇｎａｌ  Ｓｔｒｅｎｇｔｈ  Ｍｅａｓｕｒｅｍｅｎｔｓ」。
【００６９】
２０１２年４月１７日発行の米国特許第８，１６０，１２１号、表題「Ｓｙｓｔｅｍ  ａｎｄ  Ｍｅｔｈｏｄ  Ｆｏｒ  Ｄｉｓｔｒｉｂｕｔｅｄ  Ｉｎｐｕｔ−Ｄｉｓｔｒｉｂｕｔｅｄ  Ｏｕｔｐｕｔ  Ｗｉｒｅｌｅｓｓ  Ｃｏｍｍｕｎｉｃａｔｉｏｎｓ」。
【００７０】
２０１１年２月８日発行の米国特許第７，８８５，３５４号、表題「Ｓｙｓｔｅｍ  ａｎｄ  Ｍｅｔｈｏｄ  Ｆｏｒ  Ｅｎｈａｎｃｉｎｇ  Ｎｅａｒ  Ｖｅｒｔｉｃａｌ  Ｉｎｃｉｄｅｎｃｅ  Ｓｋｙｗａｖｅ（「ＮＶＩＳ」）Ｃｏｍｍｕｎｉｃａｔｉｏｎ  Ｕｓｉｎｇ  Ｓｐａｃｅ−Ｔｉｍｅ  Ｃｏｄｉｎｇ」。
【００７１】
２０１０年５月４日発行の米国特許第７，７１１，０３０号、表題「Ｓｙｓｔｅｍ  ａｎｄ  Ｍｅｔｈｏｄ  Ｆｏｒ  Ｓｐａｔｉａｌ−Ｍｕｌｔｉｐｌｅｘｅｄ  Ｔｒｏｐｏｓｐｈｅｒｉｃ  Ｓｃａｔｔｅｒ  Ｃｏｍｍｕｎｉｃａｔｉｏｎｓ」。
【００７２】
２００９年１２月２２日発行の米国特許第７，６３６，３８１号、表題「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎ」。
【００７３】
２００９年１２月１５日発行の米国特許第７，６３３，９９４号、表題「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎ」。
【００７４】
２００９年１０月６日発行の米国特許第７，５９９，４２０号、表題「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎ」。
【００７５】
２００８年８月２６日発行の米国特許第７，４１８，０５３号、表題「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎ」。
【００７６】
本特許出願の量と複雑さを減らすために、関連特許及び出願のいくつかの開示は、明示的に以下で説明しない。その開示の完全な説明については、関連特許及び出願を参照されたい。
【００７７】
本発明は、無線通信ネットワークの空間処理によるセル間多重化利得を利用するシステム及び方法を記載し、マルチユーザ（ＭＵ）送信を有する、複数のアンテナが偶然に配置される複数アンテナシステム（ＭＡＳ）（マルチユーザ多重アンテナシステム、即ち「ＭＵ−ＭＡＳ」）を使用する。本発明の一実施形態において、複数のアンテナから送信される電力は、セル境界（従来のセルラシステムのような）における干渉を最小にするように制約され、セル間干渉を除去するだけのために、空間処理方法が使用される。本発明の別の実施形態において、多重アンテナから送信される電力は、あらゆる特定の電力レベル（それらの電力放出レベルが規制、安全性又は実際の（例えば、可用電力、送信機、及び／又はアンテナ仕様）限界に入る限り）に制約されない。それによって、セル間多重化利得を実現するために利用されたセルを通して故意に高次のセル間干渉を生成して、無線通信ネットワークの容量を増大する。
【００７８】
一実施形態では、無線通信ネットワークは、ＬＴＥ規格に基づくセルラネットワークなど、図１及び図３におけるようなセルラネットワークであり、偶然に配備される複数のアンテナはマクロセル又は小セルの送受信機である。本発明の別の実施形態において、無線通信ネットワークはあらゆる特定のセルレイアウトに拘束されず、セル境界は、図４〜５のようなより大きな領域一面に広がることができる。例えば無線通信ネットワークは、複数のアンテナがＷｉｆｉアクセスポイントとなる無線ローカルエリアネットワーク（ＷＬＡＮ）、又はメッシュ、アドホック若しくはセンサネットワーク、又は分散アンテナシステム、又はあらゆる送信電力制限なしで偶然に配置されたアクセスポイントを有するＤＩＤＯシステムである可能性がある。しかし、そのようなネットワーク構造例は、本発明の無線通信ネットワークへの一般的な適用を制限するものとして考慮されてはならない。本発明は、複数のアンテナからの信号を送信することによって、多重化利得が実現されるようなあらゆる無線ネットワークに適用する。その信号は、複数のＵＥによって受信される所で干渉し、複数のＵＥへの同時非干渉データストリームを生成する。
【００７９】
ＭＵ−ＭＡＳは、集中型プロセッサ、ネットワーク及びＮクライアント装置又はＵＥに無線で通信するＭ送受信機局（又は分散アンテナ）からなる。集中型プロセッサユニットは、様々なネットワークコンテンツに関して、種々のクライアントデバイスについてＮ本の情報のストリーム（例えば、ビデオ、ウェブページ、ビデオゲーム、テキスト、音声等、ウェブサーバ又は他のネットワークソースからのストリーム）を受信する。以下で、我々は、ネットワーク上で送信されるデータのあらゆるストリームに言及するために、「情報のストリーム」という語を使用する。それは、音声、ウェブ及びビデオコンテンツを含むがこれに限らずあらゆるデータを生成するために、特定の変調／符号方式又はプロトコルに従って、独立型ストリームのように復調できるか復号化できる情報を含む。一実施形態において、情報のストリームは、独立型ストリームのように復調されることができるか、復号化されることができるネットワークコンテンツを運ぶ一連のビットである。
【００８０】
集中型プロセッサは、ネットワークコンテンツからのＮ本の情報のストリームを、（関連特許及び出願に記載されたようなアルゴリズムによって）Ｍ本のビットのストリームに組み合わせるプリコーディング変換を利用する。例としてであり限定するものではないが、プリコーディング変換は、線形（例えば、ゼロフォーシング［６５］、ブロック対角化［６６〜６７］、行列反転等）とすることができる。又は、非線形（例えば、ダーティペーパコーディング［６８〜７０］又はトムリンソン−原島プリコーディング［７１〜７２］、格子技術又はトレリスプリコーディング［７３〜７４］、ベクトル摂動技法［７５〜７６］）とすることもできる。以下で、情報の何らかの有用なビットを必ずしも含むというわけではないビットの任意のシーケンスに言及する「ビットのストリーム」という語を使用するので、したがって、ネットワークコンテンツを読み出すために、独立型ストリームとして、復号化するか又は復調することができない。本発明の一実施形態において、ビットのストリームは、集中型プロセッサによって生成される複雑なベースバンド信号であり、所定ビット数に量子化されて、Ｍ個の送受信基地局の１つに送信される。
【００８１】
プリコーディングは、チャネル状態情報（ＣＳＩ）を使用し、複数のユーザに対する又は複数のユーザからのデータストリームを多重化するためにＤＬ又はＵＬチャネル上で適用することで、集中型プロセッサにて計算される。本発明の一実施形態では、集中型プロセッサは分散アンテナとクライアント装置との間のＣＳＩを認識しており、ＤＬ又はＵＬチャネル上で送信されたデータをプリコードするためにＣＳＩを用いる。同じ実施形態において、ＣＳＩはクライアント装置で推定され、分散アンテナに戻される。別の実施形態では、ＤＬ−ＣＳＩは、無線周波数（ＲＦ）キャリブレーションを用いて、及びＵＬ／ＤＬチャネル相互作用を使うことによって、ＵＬ−ＣＳＩから分散アンテナにて得られる。
【００８２】
一実施形態において、ＭＵ−ＭＡＳは、関連特許及び出願に記載されるような分散入力分散出力（ＤＩＤＯ）システムである。別の実施形態では、図１３に図示されるＭＵ−ＭＡＳは以下からなる。
・ユーザ機器（ＵＥ）１３０１。固定及び／又はモバイルクライアント用のＲＦ送受信機であって、バックホールからのダウンリンク（ＤＬ）チャネル上でデータストリームを受信し、アップリンク（ＵＬ）チャネルを介してバックホールへデータを送信する。
・送受信基地局（ＢＴＳ）１３０２。ＢＴＳは無線チャネルでバックホールをインターフェースする。一実施形態のＢＴＳは、デジタル−アナログ変換器（ＤＡＣ）／アナログ−デジタル変換器（ＡＤＣ）及びベースバンド信号をＲＦに変換する無線周波数（ＲＦ）チェーンからなるアクセスポイントである。場合によっては、ＢＴＳは、電力増幅器／アンテナを備える簡素なＲＦトランシーバであり、ＲＦ信号は、関連特許及び出願に記載されたＲＦオーバーファイバ技術によって、ＢＴＳへ運ばれる。
・コントローラ（ＣＴＲ）１３０３。ＣＴＲは、下記の特定の特殊な機能のために設計されたＢＴＳの１つの特定のタイプである。その機能とは、ＢＴＳ及び／又はＵＥの時間／周波数同期用のトレーニング信号を送信すること、制御情報をＵＥから受信し、ＵＥへ送信すること、そして、ＵＥからチャネル状態情報（ＣＳＩ）又はチャネル品質情報を受信することである。一つ以上のＣＴＲ局は、任意のＭＵ−ＭＡＳシステムに含めることができる。複数のＣＴＲが利用可能であるとき、それらの局への、又はそれらからの情報はダイバーシティを増大して、リンク品質を改善するために組み合わせることができる。一実施形態において、ＣＳＩ復調を改善する最大比合成（ＭＲＣ）技術によって、ＣＳＩは複数のＣＴＲから受信される。別の実施形態では、制御情報は、受信機側におけるＳＮＲを改善するために、最大比伝送（ＭＲＴ）によって複数のＣＴＲから送信される。発明の範囲は、ＭＲＣ又はＭＲＴに限られておらず、ＣＴＲとＵＥの間の無線リンクを改善するために、任意の他のダイバーシティ技術（例えばアンテナ選択等）を使用することができる。
・集中型プロセッサ（ＣＰ）１３０４。ＣＰは、バックホールとインターネット又は別の種類の外部ネットワーク１３０６を接続するサーバである。一実施形態において、ＣＰはＭＵ−ＭＡＳベースバンド処理を計算して、ＤＬ伝送により、分散ＢＴＳに波形を送信する。
・基地局ネットワーク（ＢＳＮ）１３０５。ＢＳＮは、ＤＬ又はＵＬチャネルのいずれについて情報を運ぶ分散ＢＴＳにＣＰを接続するネットワークである。ＢＳＮは、有線若しくは無線ネットワーク、又は双方の組み合わせである。例えば、ＢＳＮはＤＳＬ、ケーブル、光ファイバーネットワーク、又は見通し内（ＬＯＳ）若しくは見通し外（ＮＬＯ）無線リンクである。更に、ＢＳＮは固有ネットワーク、又はローカルエリアネットワーク、又はインターネットである。
【００８３】
以下で、上述のＭＵ−ＭＡＳ枠組みが、スペクトル効率の付加的な利得を実現するために、セルラシステム（更に、ＬＴＥプロトコルを利用する非セルラシステム）に関するＬＴＥ規格にどのように組み込まれるかを記載する。ＬＴＥ枠組みの一般的な概要並びにＤＬ及びＵＬチャネルで使用される変調技術から始める。その次に、ＬＴＥ規格における物理レイヤフレーム構造及びリソース配分の簡単な説明を行う。最後に、我々は、ＬＴＥ枠組みを使用するマルチユーザシナリオにて、ダウンリンク（ＤＬ）及びアップリンク（ＵＬ）チャネルに関するＭＵ−ＭＡＳプリコーディング方法を明確に述べる。ＤＬ方式に関しては、２つの解決策である、開ループ及び閉ループＤＩＤＯ方式を提案する。
【００８４】
ＬＴＥは、（以前のセルラ規格による階層アーキテクチャとは対照的に）フラットネットワークアーキテクチャによって設計され、以下を提供する。即ち、低減した遅延、ＡＲＱにより低減したパケット損失、低減したコールセットアップ時間、マクロダイバーシティにより改善されたカバレッジ及びスループットである。図６に表されるＬＴＥネットワークにおけるネットワーク要素は、［７９］の通りである。
・ＧＷ（ゲートウェイ）。ＬＴＥネットワークを外部ネットワーク（すなわち、インターネット）に接続するルータである。ＧＷは、ＥＵＴＲＡＮインターフェース６０８の境界をなすサービングゲートウェイ（Ｓ−ＧＷ）６０１及び外部ネットワークとのインターフェースであるＰＤＮゲートウェイ（Ｐ−ＧＷ）６０２に分けられる。Ｓ−ＧＷ及びＰ−ＧＷは、いわゆる進化型パケットコア（ＥＰＣ）６０９の一部である。
・ＭＭＥ（モビリティ管理エンティティ）６０３。移動性、保護パラメータ及びＵＥアイデンティティを管理する。ＭＭＥは、更にＬＴＥ  ＥＰＣの一部である。
・ｅＮｏｄｅＢ（強化されたＮｏｄｅ−Ｂ）６０４。無線リソース管理、ユーザ移動性及びスケジューリングを取り扱う基地局である。
・ＵＥ（ユーザ機器）６０５。移動局である。
・Ｓ１及びＸ２のインターフェース（６０６及び６０７）。ＭＭＥとｅＮｏｄｅＢ（Ｓ１−ＭＭＥ）との間、Ｓ−ＧＷとｅＮｏｄｅＢ（Ｓ１−Ｕ）との間、及び複数のｅＮｏｄｅＢ（Ｘ２）との間の有線又は無線のバックホールである。
【００８５】
本発明の一実施形態では、ＵＥがＬＴＥ  ＵＥである場合に、ＭＵ−ＭＡＳネットワークはＬＴＥネットワークであり、ＢＴＳはＬＴＥ  ｅＮｏｄｅＢであり、ＣＴＲはＬＴＥ  ｅＮｏｄｅＢ又はＭＭＥであり、ＣＰはＬＴＥ  ＧＷであり、ＢＳＮはＳ１又はＸ１インターフェースである。以後、分散アンテナ、ＢＴＳ、及びｅＮｏｄｅＢを、ＭＵ−ＭＡＳ、ＤＩＤＯ、又はＬＴＥシステムにおけるあらゆる基地局に言及するのに入れ替え可能に用いる。
【００８６】
図７に図示するように、ＬＴＥフレームは１０ミリ秒の持続時間を有し、１０のサブフレームからなる［３３、８０］。どのサブフレームも、それぞれ０．５ミリ秒の持続時間の２つのスロットに分割される。ＬＴＥ規格は、ｉ）図７ａ）に示す、全てのサブフレームがＤＬ又はＵＬチャネル用のいずれに指定されるＦＤＤ動作用のタイプ１、ｉｉ）図７ｂ）に示す、サブフレームの一部がＤＬに、一部がＵＬに（選択された構成によって）割り当てられ、幾つかのサブフレームが「特別利用」のために残されるＴＤＤ動作用のタイプ２、の２種類のフレームを規定する。これらは、フレーム毎に少なくとも１つの特別なサブフレームであり、３つのフィールドからなる。ｉ）ＤＬ伝送のために予約されるダウンリンクパイロット時間スロット（ＤｗＰＴＳ）、ｉｉ）ガード期間（ＧＰ）、ｉｉｉ）ＵＬ伝送のためのアップリンクパイロット時間スロット（ＵｐＰＴＳ）。
【００８７】
ＬＴＥは、ＤＬに関しては、直交周波数分割多重（ＯＦＤＭ）及び直交周波数分割多重アクセス（ＯＦＤＭＡ）変調を使用し、ＵＬに関しては、シングルキャリア周波数分割多元接続（ＳＣ−ＦＤＭＡ）を使用する。「リソースエレメント」（ＲＥ）は、ＬＴＥにおける最小の変調構造であり、ＤＬチャネルについては図８ａに示し、ＵＬチャネルについては図８ｂに示すように、周波数における１つのＯＦＤＭサブキャリア及び時間における１つのＯＦＤＭシンボル期間からなる。「リソースブロック」（ＲＢ）は、周波数における１２個のサブキャリア及び時間における１つの０．５ミリ秒のスロット（３〜７つのＯＦＤＭシンボル期間からなる、ＤＬ対ＵＬチャネル及び巡回プリフィックスのタイプによる）から構成されている。あらゆるＵＥについてのリソースブロックはサブフレームベースに割り当てられる。本発明におけるＭＵ−ＭＡＳが様々なＵＥに複数のデータストリームを送信するための空間処理を用いるため、あらゆるサブフレームにて全てのリソースブロックを同一のＵＥに割り当てることができる。一実施形態では、リソースブロックの全て又はサブセットはあらゆるＵＥに割り当てられ、同時の非干渉データストリームはＵＥへプリコーディングを介して送信される。
【００８８】
ＢＴＳとＵＥとの間のリンクを設定するには、ＬＴＥ規格は同期手順を規定する。ＢＴＳは２つの連続する信号、すなわちプライマリ同期チャネル（ＰＳＣＨ）上で送信されるプライマリ同期信号（Ｐ−ＳＳ）とセカンダリ同期チャネル（ＳＳＣＨ）上で送信されるセカンダリ同期信号（Ｓ−ＳＳ）とを、ＵＥに送信する。両方の信号がＵＥによって、セルＩＤの取得に加えて時間／周波数同期のために用いられる。Ｐ−ＳＳは、ＵＥが物理層ＩＤ（０〜２）を得る、長さ６３のＺａｄｏｆｆ−Ｃｈｕシーケンスからなる。Ｓ−ＳＳは、２つの長さ３１のバイナリシーケンスのインターリーブされた連結であり、セルＩＤグループ番号（０〜１６７）を得るのに用いられる。上記２つの識別番号から、ＵＥは物理セルＩＤ（ＰＣＩ、０〜５０３から規定される）を得る。
【００８９】
本発明において記載されるＭＵ−ＭＡＳシステムでは、ＵＥの周りで干渉性領域を生成するのに用いられる干渉を生成するためにＢＴＳから送信される電力が意図的に上昇させられるため、セル境界はない。本発明では、様々なＢＴＳが、関連する２０１２年５月１日に発行された米国特許第８，１７０，０８１号、表題「Ｓｙｓｔｅｍ  Ａｎｄ  Ｍｅｔｈｏｄ  Ｆｏｒ  Ａｄｊｕｓｔｉｎｇ  ＤＩＤＯ  Ｉｎｔｅｒｆｅｒｅｎｃｅ  Ｃａｎｃｅｌｌａｔｉｏｎ  Ｂａｓｅｄ  Ｏｎ  Ｓｉｇｎａｌ  Ｓｔｒｅｎｇｔｈ  Ｍｅａｓｕｒｅｍｅｎｔｓ」に規定される「アンテナクラスタ」又は「ＤＩＤＯクラスタ」にグループ分けされる。例えば、図９は主アンテナクラスタ９０１と、隣接するアンテナクラスタ９０２を１つ示す。あらゆるアンテナクラスタは複数のＢＴＳ  ９０３からなる。
【００９０】
セルＩＤは、アンテナクラスタを区別するためにＭＵ−ＭＡＳ及びＤＩＤＯシステムにおいて用いることができる。本発明の一実施形態では、同一のセルＩＤが同一のアンテナクラスタの全てのＢＴＳからＰ−ＳＳ及びＳ−ＳＳを介して伝送される。同じ実施形態において、異なるアンテナクラスタは異なるセルＩＤを使用する。別の実施形態では、同一のアンテナクラスタ１００１における全てのＢＴＳは、図１０に図示される様々な陰影の色を有する「アンテナサブクラスタ」１００３にグループ分けされ、異なるセルＩＤ  １００４があらゆるアンテナサブクラスタに関連付けられる。一実施形態では、アンテナサブクラスタは予め規定されたクラスタ設計又はＧＰＳ位置情報に従って統計的に規定される。別の実施形態では、アンテナサブクラスタはＢＴＳ間での相対的な信号強度の測定に基づいて、又はＧＰＳ位置情報に基づいて動的に規定される。本発明の異なる実施形態では、ＵＥに関連付けられるあらゆる干渉性領域（関連する同時係属中の米国特許出願第１３／２３２，９９６号、表題「Ｓｙｓｔｅｍｓ  ａｎｄ  Ｍｅｔｈｏｄｓ  ｔｏ  Ｅｘｐｌｏｉｔ  Ａｒｅａｓ  ｏｆ  Ｃｏｈｅｒｅｎｃｅ  ｉｎ  Ｗｉｒｅｌｅｓｓ  Ｓｙｓｔｅｍｓ」に記載）に異なるセルＩＤが割り当てられる。
【００９１】
同一アンテナクラスタ又はアンテナサブクラスタ内の全てのＢＴＳがＬＴＥブロードキャストチャネル（例えば、Ｐ−ＳＳ及びＳ−ＳＳ）をＵＥに送信すると、弱め合う干渉によって、ブロードキャストチャネルによって有効化された時間又は周波数同期の性能が低下する可能性がある。弱め合う干渉は、間隔を有して分散されて幾つかのＵＥ位置にて非干渉的に再び組み合わさるＢＴＳから生成されるマルチパスによって引き起こされ得る。この効果を回避又は軽減するには、本発明の一実施形態では、同一のアンテナクラスタ又はアンテナサブクラスタ内の全てのＢＴＳのうちの１つのＢＴＳのみが、全てのＵＥにＬＴＥブロードキャストチャネル（例えば、Ｐ−ＳＳ及びＳ−ＳＳ）を送信する。同じ実施形態において、ＬＴＥブロードキャストチャネルを送信するＢＴＳは、ブロードキャストチャネル上でＵＥにて受信される電力を最大化するように選択される。別の実施形態では、弱め合う干渉がＵＥにて回避されるように、全てのＵＥにＬＴＥブロードキャストチャネルを同時に送信するために限定されたＢＴＳの組しか選択されない。本発明の異なる実施形態では、ＬＴＥブロードキャストチャネルは、同一のアンテナクラスタ又はアンテナサブクラスタ内の全てのＵＥに到達するようにペイロードよりも高い電力で送信される。
【００９２】
上述のように、ＬＴＥ−Ａｄｖａｎｃｅｄは、ＤＬチャネルにおけるデータレートを向上させるためにキャリアアグリゲーション（ＣＡ）方式をサポートする。ＭＵ−ＭＡＳにおいて、ユーザ毎のデータレートを増大させるためにＣＡをプリコーディングと組み合わせて用いることができる。この発明の一実施形態では、ユーザ毎のデータレートを増大させるために、伝送プリコーディングをＲＳスペクトルの異なる部分（帯域間ＣＡ）又は同一スペクトル内の異なる帯域（イントラバンドＣＡ）に適用する。帯域間ＣＡを使用するときは、異なる帯域でのパスロスは、それらの帯域が異なる搬送波周波数で中心化されるために著しく変わる場合がある。従来のＬＴＥセルラシステムでは、低搬送波周波数での周波数帯域は、高搬送波周波数よりも低いパスロスを経験し得る。よって、セルラシステムに帯域間ＣＡを適用することは、低搬送波周波数にて望ましくないセル間干渉を引き起こす可能性がある。対照的に、本発明のＭＵ−ＭＡＳは、ＢＴＳが分散されてセルの概念が存在しないために、セル境界における干渉によって限定されない。このより柔軟なシステムレイアウトが、ＭＵ−ＭＡＳにおける帯域間ＣＡの様々な方法を可能とする。本発明の一実施形態では、ＭＵ−ＭＡＳは、１組のＢＴＳをより低い搬送波周波数で動作させ、別の組のＢＴＳをより高い搬送波周波数で動作させて、２つの組が交差するか一方のセットが他方のセットのサブセットとなるように使用することで、帯域間ＣＡを可能とする。別の実施形態では、プリコーディングを有するＭＵ−ＭＡＳはＣＡ方法を周波数ホッピングパターンと合わせて使用し、周波数選択性フェージング又は干渉に対する堅牢性を向上させる。
【００９３】
１．ＬＴＥにおけるダウンリンク閉ループＭＵ−ＭＡＳプリコーディング方法
ＭＵ−ＭＡＳ閉ループ方式は、時分割複信（ＴＤＤ）又は周波数分割複信（ＦＤＤ）システムのいずれでも使うことができる。ＦＤＤシステムでは、ＤＬ及びＵＬチャネルは、異なる周波数で動作する。したがって、ＤＬチャネル状態情報（ＣＳＩ）は、ＵＥ側において推定しなければならず、ＵＬチャネルにより、ＢＴＳ又はＣＴＲを介して、ＣＰに折り返して報告しなければならない。ＴＤＤシステムにおいて、ＤＬ及びＵＬチャネルは、同じ周波数で設定し、システムは、チャネル相互性を利用して、閉ループ技術又は開ループ方式のいずれを使用してもよい（以下の節で記載するように）。閉ループ方式の主要な短所は、それらがフィードバックを必要とするということであり、これによって、ＵＬ上の制御情報について、より大きなオーバーヘッドをもたらす。
【００９４】
ＭＵ−ＭＡＳにおける閉ループ方式についての全般的なメカニズムは以下の通りである。ｉ）ＢＴＳはＵＥにシグナリング情報をＤＬ上で送信する、ｉｉ）ＵＥはそのシグナリング情報を利用して、全ての「アクティブＢＴＳ」からＤＬ  ＣＳＩを推定する、ｉｉｉ）ＵＥはＤＬ  ＣＳＩを量子化するか、次の伝送にて用いられるプリコーディング重みを選択するのにコードブックを使用する、ｉｖ）ＵＥは量子化されたＣＳＩ又はコードブックインデックスをＢＴＳ又はＣＴＲにＵＬチャネル上で送信する、ｖ）ＢＴＳ又はＣＴＲは、ＤＬ上でのデータ伝送についてのプリコーディング重みを計算するＣＰに、ＣＳＩ情報又はコードブックインデックスを報告する。「アクティブＢＴＳ」は、所定のＵＥによって到達できる１組のＢＴＳとして定義される。例えば、関連する同時係属中の米国特許出願第１２／８０２，９７４号、表題「Ｓｙｓｔｅｍ  Ａｎｄ  Ｍｅｔｈｏｄ  Ｆｏｒ  Ｍａｎａｇｉｎｇ  Ｉｎｔｅｒ−Ｃｌｕｓｔｅｒ  Ｈａｎｄｏｆｆ  Ｏｆ  Ｃｌｉｅｎｔｓ  Ｗｈｉｃｈ  Ｔｒａｖｅｒｓｅ  Ｍｕｌｔｉｐｌｅ  ＤＩＤＯ  Ｃｌｕｓｔｅｒｓ」、及び関連する同時係属中の米国特許出願第１２／９１７，２５７号、表題「Ｓｙｓｔｅｍｓ  Ａｎｄ  Ｍｅｔｈｏｄｓ  Ｔｏ  Ｃｏｏｒｄｉｎａｔｅ  Ｔｒａｎｓｍｉｓｓｉｏｎｓ  Ｉｎ  Ｄｉｓｔｒｉｂｕｔｅｄ  Ｗｉｒｅｌｅｓｓ  Ｓｙｓｔｅｍｓ  Ｖｉａ  Ｕｓｅｒ  Ｃｌｕｓｔｅｒｉｎｇ」において、「ユーザクラスタ」９０５は、図９に図示するように、所定のＵＥによって到達できる１組のＢＴＳとして定義した。アクティブＢＴＳの数は、ＢＴＳから所定のＵＥに対して推定されるＣＳＩの量を低減するために、ユーザクラスタに限られており、それによって、ＵＬ上のフィードバックオーバーヘッド及びＣＰにおけるＭＵ−ＭＡＳプリコーディング計算の複雑さを低減する。
【００９５】
段落［００８３］にて記載されるように、ＭＵ−ＭＡＳプリコーディングは線形又は非線形の方法のいずれかを使用する。非線形の方法（例えば、ダーティペーパコーディング［６８〜７０］）又はトムリソン−原島プリコーディング［７１〜７２］、格子技術又はトレリスプリコーディング［７３〜７４］、ベクトル摂動技法［７５〜７６］）の場合は、ユーザ間干渉を回避するべく、送信機にて連続的な干渉相殺が適用される。この場合、プリコーディングマトリックスは、アンテナクラスタ内の全てのＵＥへのＣＳＩを説明するように算定される。あるいは、あらゆるＵＥについてのプリコーディング重みがその他のＵＥとは独立して算定されるために、線形プリコーディング方法（例えば、ゼロフォーシング［６５］、ブロック対角化［６６〜６７］、行列反転等）をユーザクラスタベースで使用することができる。アンテナクラスタ及びユーザクラスタ内のＵＥ並びにｅＮｏｄｅＢの数によって、線形対非線形プリコーディング方法は様々な計算性能を提供する。例えば、ＭＵ−ＭＡＳがアンテナクラスタ毎にＫ個のＵＥ、アンテナクラスタ毎にＭ個のｅＮｏｄｅＢ、及びユーザクラスタ毎にＣ個のｅＮｏｂｅＢからなる場合、線形プリコーディングの複雑さはＯ（Ｋ*Ｃ3）である一方で、非線形プリコーディングについてはＯ（Ｍ*Ｋ2）である。よって、２つの種類のプリコーディング技術の間を、ＭＵ−ＭＡＳにおけるＵＥ及びｅＮｏｄｅＢの数に基づいて動的に切り替えて、ＣＰにおける計算の複雑さを軽減させる方法を開発することが望ましい。本発明の一実施形態では、ＭＵ−ＭＡＳは線形プリコーディング方法を使用する。別の実施形態では、ＭＵ−ＭＡＳは非線形プリコーディング方法を使用する。本発明の同じ実施形態において、ＭＵ−ＭＡＳは、線形及び非線形のプリコーディング方法の間を、アンテナクラスタ及びユーザクラスタにおけるＵＥ及びｅＮｏｄｅＢの数に基づいて、ＣＰでの計算の複雑さを軽減させるように動的に切り替える。異なる実施形態では、ＭＵ−ＭＡＳは、良好なチャネル品質を経験するＵＥのためのプリコーディング多重化方法（例えば、ｅＮｏｄｅＢの近位にて）と、リンク品質の悪いＵＥ（例えば、ｅＮｏｄｅＢから遠い）のためのビームフォーミング又はダイバーシティ方法との間を切り替わる。
【００９６】
１．１  ＬＴＥ規格内でのダウンリンクＭＵ−ＭＡＳシグナリング方法
ＬＴＥ規格は、閉ループ方式のＤＬシグナリングについて使用することができる２種類の参照信号（ＲＳ）を定める［３３、５０、８２〜８３］。ｉ）セル固有の参照信号（ＣＲＳ）、ｉｉ）ＵＥ固有のＲＳ、例えばチャネル状態情報（ＣＳＩ）参照信号（ＣＳＩ−ＲＳ）及び復調ＲＳ（ＤＭ−ＲＳ）。セル固有のＲＳはプリコーディングされないが、ＵＥ固有のＲＳはプリコーディングされる［５０］。ＣＲＳは、どのセルも最大４つのアンテナを使用する、ＳＵ／ＭＵ−ＭＩＭＯコードブックに基づく技術を用いるＬＴＥリリース８に使用される。ＬＴＥ−Ａｄｖａｎｃｅｄリリース１０は、最大８つの送信アンテナを有する、非コードブックに基づくＳＵ／ＭＵ−ＭＩＭＯ方式、及びアンテナが異なるセル上に分散されているＣｏＭＰ方式をサポートする。したがって、リリース１０はＣＳＩ−ＲＳによるより柔軟なシグナリング方式を可能にする。本発明において、プリコーディングを可能にするために、ＭＵ−ＭＡＳシステムにおいて、シグナリング方式のいずれのタイプをどのように使用することができるのかを記載する。
【００９７】
１．１．１  ＣＲＳを用いたＭＵ−ＭＡＳシグナリング
ＣＲＳは、ＢＴＳにおける全ての送信アンテナからＵＥへのＣＳＩを推定するために、ＬＴＥ（リリース８）システムで使用される［８０、８４］。ＣＲＳは、二次元の直交シーケンスと二次元の疑似乱数（ＰＲＮ）シーケンスの積として得られる。合計５０４の異なるＣＲＳシーケンスについて、３つの直交シーケンス（つまり、ＯＦＤＭサブキャリアの直交の組の上に配置される）及び１６８の可能なＰＲＮシーケンスがある。どのシーケンスも、１つのセルを一意的に特定する。３つの直交ＣＲＳのそれぞれは、前の小節にて説明するように、異なるセルＩＤを生成する３つの物理層ＩＤ（０〜２）のうちの１つに関連付けられている。ＣＲＳは、全てのスロットの第１及び最後から３番目のＯＦＤＭシンボル、並びに６番目毎のサブキャリアの中で送信される。時間と周波数の直交パターンは、ＵＥが送信アンテナの各々からのＣＳＩを一意的に推定するために、ＢＴＳのあらゆる送信アンテナに関して設計される。リリース８は、ＣＲＳ毎に直交パターンを４つまで、ＭＩＭＯ  ４×４に使用される４つの送信アンテナそれぞれ１つずつ規定する。時間及び周波数において（つまり、全ての０．５ミリ秒のスロット毎、及び第６のサブキャリア毎に送信される）この高密度のＣＲＳは、５％のオーバーヘッドを生成し、時間及び周波数について高速チャネル変動を伴うシナリオをサポートするために意図的に設計されたものである［８３］。
【００９８】
リリース８では、マルチアンテナモードそれぞれについて４つの直交パターンを有する直交ＣＲＳが３つまで（又は単一アンテナモードについて６つの直交ＣＲＳが）あるため、同一カバレッジ領域内で、ＣＲＳに干渉を引き起こすことなく、１２の送信アンテナまでを区別することができる。本発明の一実施形態では、アンテナクラスタ１００１は、図１０に示すように３つのアンテナサブクラスタ１００５に分けられる。異なる物理層ＩＤ（又はセルＩＤ）がそれぞれのアンテナサブクラスタに関連付けられ、それぞれのアンテナサブクラスタは４つの直交パターンを有する３つの直交ＣＲＳのうちの１つに割り当てられる（つまり、各アンテナサブクラスタは４つのＢＴＳまで、その他のＢＴＳからのＣＲＳに対して干渉を引き起こすことなくサポートすることができる）。この実施形態では、あらゆるクラスタが、ＣＲＳに干渉を引き起こすことなく、最大でＢＴＳを１２個までサポートすることができる。
【００９９】
同一のクラスタ内に１２個より多いＢＴＳが配置されるシナリオでは、より大きい数のアクティブＢＴＳをサポートする利用可能な直交ＣＲＳ（つまり、ＵＥにプリコーディングされた信号を同時に送信するＢＴＳ）の数を増やすことが望ましい。これを得る１つの方法としては、アンテナクラスタ１１０１毎に３つを超えるンテナサブクラスタ１００３を規定し、同じ３つの物理層ＩＤ（又は０〜２のセルＩＤ  １１０４）を、図１１に示す繰り返しパターンを有するアンテナサブクラスタ１１０３に割り当てる方法が挙げられる。アンテナサブクラスタは様々な形で得られることが観察され、あらゆるユーザクラスタ１１０２が同一物理層ＩＤを有する２つのアンテナサブクラスタに到達できない方法で規定され、これによってＣＲＳへの干渉が回避される。例えば、これを得る１つの方法は、ユーザクラスタ１１０２よりも大きいアンテナサブクラスタ１１０３の領域を規定して、その隣接するアンテナサブクラスタが同一の物理層ＩＤを用いないように回避する方法が挙げられる。本発明の一実施形態では、複数のアンテナサブクラスタは同一のアンテナクラスタ内に、対応するＣＲＳが干渉しないように繰り返しパターンを有して配置され、これによって１２個を超えるＢＴＳからの非干渉同時送信が可能となる。
【０１００】
実際のＭＵ−ＭＡＳシステムでは、全てのＵＥが、そのユーザクラスタ内の４つのみを超えるＢＴＳを認める場合があり得る。例えば、図１２はカルフォルニア州、サンフランシスコの都市部におけるＤＩＤＯ又はＭＵ−ＭＡＳシステムの実際の配備についてのＳＮＲ分布を示す。伝搬モデルは３ＧＰＰパスロス／シャドウイングモデル［８１］に基づいており、９００ＭＨｚの搬送波周波数を仮定する。地図のドットは、ＤＩＤＯ−ＢＴＳの場所を示す一方、黒丸は、ユーザクラスタ（ＵＥは円の中心に位置する）を示す。過疎地域１２０１に、ＵＥはそのユーザクラスタ（例えば、図１２の例については、わずか３つのＢＴＳ）の中で、ただ２、３のＢＴＳだけを認めるが、その一方で、人口密集地域１２０２では、各ユーザクラスタは、図１２のように２６ものＢＴＳを含むことができる。
【０１０１】
ＣＲＳの高い冗長性は、４より大きな任意の数の送信アンテナからのＣＳＩ推定を可能にするために、ＭＵ−ＭＡＳで利用することができる。例えば、チャネルが固定された無線か又は低ドップラー効果によって特徴づけられるならば、全ての４つの送信アンテナからのＣＳＩを０．５ミリ秒（スロット持続時間）おきに計算する必要はない。同様に、チャネルが周波数フラットであるならば、第６のサブキャリア毎にＣＳＩを推定することは冗長である。その場合、冗長なＣＲＳによって占められるリソースエレメント（ＲＥ）は、ＭＵ−ＭＡＳにおける別の送信アンテナ又はＢＴＳに再配分することができる。本発明の一実施形態では、システムは、冗長なＣＲＳのリソースエレメントを、ＭＵ−ＭＡＳシステムにおける余分のアンテナ又はＢＴＳに割り当てる。別の実施形態では、システムはチャネルの時間及び周波数選択性を推定し、異なるＢＴＳか又はユーザクラスタ内のＢＴＳのみに関するＣＲＳを、異なるリソースエレメントに動的に割り当てる。
【０１０２】
あらゆるユーザクラスタに含まれるＢＴＳの数は、ノイズ出力レベル又は信号対雑音比（ＳＮＲ）に対する、ＵＥにて計測された、ユーザクラスタにおける全てのＢＴＳからの信号出力レベルに依存する。一実施形態では、ＵＥはＳＮＲをその近隣における全てのＢＴＳから推定し、ＳＮＲ情報に基づいて自身のユーザクラスタに属するＢＴＳを選択する。別の実施形態では、ＣＰはＢＴＳからあらゆるＵＥへのＳＮＲを（ＵＥからのフィードバック情報、又はＵＬ／ＤＬチャネル相互性を推測してＵＬチャネルから得られた情報に基づいて）認識し、あらゆるユーザクラスタに含まれるＢＴＳの組を選択する。
【０１０３】
あらゆるユーザクラスタに含まれるＢＴＳの数は、本発明に記載されるＭＵ−ＭＡＳ方法の性能を決める。例えば、ユーザクラスタ毎のＢＴＳの数が低い場合は、ＵＥはより高いレベルのクラスタ外干渉を経験し、結果として高い信号対干渉プラス雑音電力比（ＳＩＮＲ）及び低いデータレートを得る。同様に、あらゆるユーザクラスタについて大きな数のＢＴＳが選択されると、ＵＥにてユーザクラスタの端で測定されるＢＴＳからのＳＮＲは低く、ユーザクラスタの外の隣接するＢＴＳからのクラスタ外干渉によって左右され得る。最も高いＳＩＮＲ及びデータレートを得る、ユーザクラスタ毎のＢＴＳの最適数がある。本発明の一実施形態では、ＣＰは、ＵＥへのＳＩＮＲ及びデータレートを最大化するために、ユーザクラスタ毎のＢＴＳの最適数を選択する。本発明の別の実施形態では、ユーザクラスタ毎のＢＴＳは、伝搬環境又はＵＥモビリティの変化する条件に適合するように動的に選択される。
【０１０４】
ユーザクラスタ毎に大きな数のＢＴＳを用いる別の欠点は、その高い計算の負荷である。実際のところ、ユーザクラスタにより多くのＢＴＳがあると、ＭＵ−ＭＡＳプリコーダの計算の複雑さが増大する。本発明の一実施形態では、ユーザクラスタ毎のＢＴＳは、ＳＩＮＲ又はデータレート性能と、ＭＵ−ＭＡＳプリコーダの計算の複雑さとの間の最適なトレードオフを得るために選択される。別の実施形態では、ユーザクラスタ毎のＢＴＳは、伝搬条件とＭＵ−ＭＡＳにおいて利用可能な計算リソースとの間のトレードオフに基づいて動的に選択される。
【０１０５】
１．１．２  ＣＳＩ−ＲＳ及びＤＭ−ＲＳを用いたＭＵ−ＭＡＳシグナリング
ＬＴＥ−Ａｄｖａｎｃｅｄ（リリース１０）規格において、ＣＳＩ−ＲＳは、ＢＴＳからのＣＳＩを推定するために、あらゆるＵＥによって使用される［３３、８３］。規格はＢＴＳにおける異なる送信器のための直交ＣＳＩ−ＲＳを定めることにより、ＵＥは異なるＢＴＳからのＣＳＩを区別することができる。ＢＴＳにおける最大で８つの送信アンテナは、［３３］の表６．１０．５．２−１、２のように、ＣＳＩ−ＲＳによってサポートされる。ＣＳＩ−ＲＳは、［３３］の表６．１０．５．３−１のように、５〜８０のサブフレームにわたる周期性（つまり、ＣＳＩ−ＲＳは、５〜８０ミリ秒毎に送信される）をもって送信される。ＬＴＥ−ＡｄｖａｎｃｅｄのＣＳＩ−ＲＳの周期性は、制御情報の過度のオーバーヘッドを避けるために、特にこれらの余分のリソースを使用することができない従来のＬＴＥ端末に関して、ＬＴＥのＣＲＳより故意に大きく設計された。ＣＳＩ推定のために使用される別の参照信号は復調ＲＳ（ＤＭ−ＲＳ）である。ＤＭ−ＲＳは、固有のＵＥに意図された復調参照信号であり、そのＵＥへの送信のために割り当てられたリソースブロックの中に入れて、送信されるだけである。
【０１０６】
８つ（ＬＴＥ−Ａｄｖａｎｃｅｄ規格によってサポートされる送信器の最大数）を超えるアンテナがユーザクラスタの中にあるとき、ＬＴＥ−Ａｄｖａｎｃｅｄ規格へのシステム適合性を維持する一方で、ＤＩＤＯプリコーディングを可能にするために、代替の技術を使用しなければならない。発明の一実施形態では、どのＵＥも、それ自身のユーザクラスタにおける全てのアクティブＢＴＳからのＣＳＩを推定するために、ＣＳＩ−ＲＳ又はＤＭ−ＲＳ又は両方の組み合わせを使用する。同じ実施形態において、ＤＩＤＯシステムは、ユーザクラスタ中のＢＴＳの数を検出し、そして、ユーザクラスタがＬＴＥ−Ａｄｖａｎｃｅｄ規格（最大で８つのアンテナをサポートする）に準拠しているかどうかを検出する。準拠していないならば、ＤＩＤＯシステムは、ＢＴＳから現行のＵＥへのＤＬシグナリングを可能にするために、代替の技術を使用する。一実施形態において、最大で８つのＢＴＳがそのユーザクラスタ中のＵＥによって届くようになるまで、ＢＴＳからの送信電力は低減される。しかし、この解決策は、カバレッジが低減するので、データレートの減少をもたらす可能性がある。
【０１０７】
別の解決策は、ユーザクラスタ内のＢＴＳをサブセットに分割して、同時に全てのサブセットに関する１組のＣＳＩ−ＲＳを送信することである。例えば、ＣＳＩ−ＲＳの周期性が［３３］の表６．１０．５．３−１のような５つのサブフレーム（すなわち、５ミリ秒）であるならば、５ミリ秒おきに、ＣＳＩ−ＲＳは、ＢＴＳの新しいサブセットから送信される。この解決策は、ＣＳＩ−ＲＳ周期性が、ＵＥのチャネルコヒーレンス時間（ＵＥのドップラ速度の関数である）内に、全てのＢＴＳサブセットにわたるのに十分短い限り、機能する点に注意されたい。例えば、選択されたＣＳＩ−ＲＳ周期性が５ミリ秒で、チャネルコヒーレンス時間が１００ミリ秒であるならば、ユーザクラスタ中に合計１６０個のＢＴＳを加えながら、各々８つのＢＴＳのサブセットを２０個まで定めることが可能である。発明の別の実施形態では、ＤＩＤＯシステムは、ＵＥのチャネルコヒーレンス時間を推定し、所定のＣＳＩ−ＲＳ周期性に関して、チャネル変動及びドップラー効果による劣化を避けるために、ユーザクラスタの中でどれくらいのＢＴＳをサポートすることができるかについて決定する。
【０１０８】
今までに提案されたＣＳＩ−ＲＳのための解決策は、ＬＴＥ規格に全て準拠し、従来のＬＴＥシステムの枠組みの中で、配備することができる。例えば、ユーザクラスタにつき８つを超えるアンテナを可能にする提案方法は、ＵＥ  ＬＴＥのハードウェア及びソフトウェア実装の修正を必要とせず、いつでもＢＴＳサブセットの選択を可能にするために、ＢＴＳ及びＣＰで使用されるプロトコルのわずかな修正だけを必要とする。これらの修正は、クラウドベースのソフトウェア無線（ＳＤＲ）プラットホームに簡単に実装することができ、それはＤＩＤＯ及びＭＵ−ＭＡＳシステムに関する１つの有望な配備パラダイムである。あるいは、もしＬＴＥ規格の制約を緩和し、ＬＴＥに類似するがＬＴＥに準拠しないＤＩＤＯ又はＭＵ−ＭＡＳ動作モードをサポートするためにＬＴＥ  ＵＥに関するわずかに修正されたハードウェア及びソフトウェアを開発することが可能であるならば、ＵＥが全ＬＴＥ準拠モードか、又は非ＬＴＥ準拠のＤＩＤＯ又はＭＵ−ＭＡＳ動作をサポートする修正されたモードで動作することを可能にする。例えば、システムにおけるより多数のＢＴＳを可能にするために、ＣＳＩ−ＲＳの量を増大する別の解決策を可能とする。発明の別の実施形態では、異なるＣＳＩ−ＲＳパターン及び周期性が、ユーザクラスタ毎にサポートされたＢＴＳの数を増大する手段として可能である。ＬＴＥ規格へのそのようなわずかな修正は十分に小さい可能性があるので、既存のＬＴＥ  ＵＥチップセットを、単にソフトウェア修正によって使用することができる。又は、ハードウェア修正がチップセットに必要であるとしても、その変更は小さいであろう。
【０１０９】
１．２  ＬＴＥ規格内でのアップリンクＭＵ−ＭＡＳ  ＣＳＩフィードバック方法
ＬＴＥ及びＬＴＥ−Ａｄｖａｎｃｅｄ規格では、ＵＥは、その現行のチャネル状況並びにＤＬチャネル上の閉ループ送信に関するプリコーディング重みを通信するために、ＢＴＳへ情報をフィードバックする。３つの異なるチャネル指標がそれらの規格に含まれる［３５］。
・ランク指標（ＲＩ）。いくつの空間ストリームが所定のＵＥへ送信されるかについて示す。この数は、常に、送信アンテナの数と等しいか又は少ない。
・プリコーディングマトリックス指標（ＰＭＩ）。ＤＬチャネル上のプリコーディングに使用されるコードブックのインデックス。
・チャネル品質指標（ＣＱＩ）。所定のチャネル状況に関する定義済み誤り率性能を維持するために、ＤＬ上で使用される変調、及び、前方向誤り訂正（ＦＥＣ）符号方式を定める。
【０１１０】
ただ１つのＲＩが全帯域幅について報告されるのに対して、ＰＭＩ及びＣＱＩの報告は、チャネルの周波数選択性に応じて、広帯域又はサブバンド毎とすることができる。これらの指標は２つの異なるタイプの物理チャネル上でＵＬにおいて送信される。ｉ）制御情報のみに用いられる物理アップリンク制御チャネル（ＰＵＣＣＨ）、ｉｉ）データ及び制御情報の両方に用いられる、１つのリソースブロック（ＲＢ）上に、及びサブフレームベースで割り当てられる、物理アップリンク共有チャネル（ＰＵＳＣＨ）。ＰＵＣＣＨに関して、ＲＩ、ＰＭＩ及びＣＱＩを報告する手順は周期的であり、指標は広帯域である（周波数平坦なチャネルについて）か、又は、サブバンドベースでＵＥ毎に選択されるか（周波数選択性チャネルに関して）いずれでもよい。ＰＵＳＣＨに関しては、フィードバック手順は非周期性であり、サブバンドベース（周波数選択性チャネルについて）か、又は、上位層構成されたサブバンド（例えば、８つの送信器によるＬＴＥ−Ａｄｖａｎｃｅの伝送モード９に関する）で、ＵＥ毎に選択することができる。
【０１１１】
本発明の一実施形態において、ＤＩＤＯ又はＭＵ−ＭＡＳシステムは、現行のチャネル状況、並びに、プリコーディング情報をＢＴＳ及びＣＰへ報告するために、ＲＩ、ＰＭＩ及びＣＱＩを使用する。一実施形態では、ＵＥは、それらの指標をＣＰへ報告するために、ＰＵＣＣＨチャネルを使用する。別の実施形態では、更に多くの指標がＤＩＤＯプリコーディングのために必要な場合には、ＵＥは、ＣＰへの付加的な指標を報告するために、ＰＵＳＣＨを使用する。チャネルが周波数フラットである場合には、ＵＥは、ＤＩＤＯシステムにおける更に多くのアンテナに関するＰＭＩを報告するために、余分のＵＬリソースを利用することができる。発明の一実施形態では、ＵＥ又はＢＴＳ又はＣＰは、チャネル周波数選択性を推定し、チャネルが周波数フラットである場合には、ＵＥは、より多くのＢＴＳに関するＰＭＩを報告するために、余分のＵＬリソースを利用する。
【０１１２】
２．ＬＴＥにおけるダウンリンク開ループＭＵ−ＭＡＳプリコーディング方法
開ループＭＵ−ＭＡＳプリコーディング方式は、ＲＦキャリブレーション及びチャネル相互性を利用する時分割複信（ＴＤＤ）システムで、使用することができるだけである。ＭＵ−ＭＡＳにおける開ループ方式の全般的なメカニズムは以下からなる。ｉ）ＵＥはＵＬ上でＢＴＳ又はＣＴＲにシグナリング情報を送信する、ｉｉ）ＢＴＳ又はＣＴＲはそのシグナリング情報を全てのＵＥからＵＬ  ＣＳＩを推定するために利用する、ｉｉｉ）ＢＴＳ又はＣＴＲはＲＦキャリブレーションを使用してＵＬ  ＣＳＩをＤＬ  ＣＳＩに変換する、ｉｖ）ＢＴＳ又はＣＴＲはＤＬ  ＣＳＩ又はコードブックインデックスをＣＰにＢＳＮを介して送信する、ｖ）そのＤＬ  ＣＳＩに基づいて、ＣＰはＤＬ上でのデータ送信のためのプリコーディング重みを計算する。閉ループＭＵ−ＭＡＳプリコーディング方式と同様に、ユーザクラスタは、ＢＴＳにおいて推定されるＵＥからのＣＳＩの量を低減するために使用することができ、それによって、ＢＴＳにおける計算の負担、並びに、ＵＬ上で必要とされるシグナリングの量を低減する。本発明の一実施形態では、開ループプリコーディング技術は、ＤＬチャネル上で、ＢＴＳからＵＥへ同時非干渉データストリームを送信するために使用される。
【０１１３】
ＬＴＥにおいて、アップリンクチャネルについて２種類の参照信号がある［３１，３３，８７］。ｉ）スケジューリング及びリンク適用に用いられるサウンディング参照信号（ＳＲＳ）、ｉｉ）データ受信に用いられる復調参照信号（ＤＭＲＳ）。本発明の一実施形態では、ＤＭＲは、全てのＵＥから全てのＢＴＳへのＵＬチャネルを推定するために、開ループプリコーディングシステムで使用される。時間領域において、ＤＭＲＳは、全てのＬＴＥスロット（持続時間０．５ミリ秒の）の第４のＯＦＤＭシンボル（通常巡回プリフィックスを使用するとき）において送信される。周波数領域では、ＰＵＳＣＨ上で送信されるＤＭＲＳは、全てのＵＥについて、ＵＬデータ伝送についてそのＵＥによって使用される同じリソースブロック（ＲＢ）へマップされる。
ＤＭＲＳの長さは、ＭRS＝ｍＮRBであり、ここで、ｍは、ＲＢの数であり、ＮRB＝１２は、ＲＢ当たりのサブキャリアの数である。複数のＵＥをサポートするために、基本シーケンスの１２個の可能性のある循環シフトにより、１２個のＤＭＲＳまでは、１つの基本のＺａｄｏｆｆ−Ｃｈｕ［８８］又はコンピュータ生成定振幅ゼロ自己相関（ＣＧ−ＣＡＺＡＣ）シーケンスから生成される。基本シーケンスは３０の群に分割され、隣のＬＴＥセルは、セル間干渉を低減するために、異なる群からのＤＭＲＳを選択する。例えば１つのＯＦＤＭシンボル中のリソースブロックの最大数が１１０であるならば（即ち、２０ＭＨｚの全体的な信号帯域幅を想定すると）、最大１１０×３０＝３３００の異なるシーケンスを生成することが可能である。３０の基本シーケンスは直交である保証はなく、セルにわたる干渉を、完全に排除することなく、減少させるように設計されていることが観察される。対照的に、同一の基本シーケンスの１２の循環シフトは直交であり、それによって１２個までのＵＥを同一ＲＢ上でＵＬにて、干渉なく送信することを可能とする。あらゆるＵＥによって用いられる循環シフトの値は、ＰＤＣＣＨを介して送信されるダウンリンク制御情報（ＤＣＩ）メッセージを通ってＢＴＳによって提供される。リリース８におけるＤＣＩは３ビットから成り、これは、ＵＥに１２個の可能な選択肢のプールにおいて循環シフトを８個までのみ使えるようにする。
【０１１４】
基本ＤＭＲＳシーケンスの循環シフトは、ＵＬチャネル上でＭＵ−ＭＩＭＯ方式を使用可能とし、ＣＩＳを複数のＵＥから、ＴＤＤモードでチャネル相互性が利用されるときにＤＬプリコーディングのために推定することを可能とするために本発明にて利用されている。本発明の一実施形態では、開ループプリコーディング方法は、ＤＬチャネル上で、分散ＢＴＳからＵＥへ同時非干渉データストリームを送信するために使用される。本発明の異なる実施形態では、開ループＭＵ−ＭＩＭＯ方法は、ＵＬチャネル上で、ＵＥからＢＴＳに同時非干渉データストリームを受信するために使用される。ＵＬ上で全てのアクティブＵＥから推定される同一ＣＳＩは、ＤＬプリコーディングの重みに加えて、ＭＵ−ＭＩＭＯ動作についての受信空間フィルタを計算するために用いることができる。リリース８は８つの直交ＤＭＲＳまでしか規定しないため（上記のように、制限されたＤＣＩビットによって）、ＵＬチャネル用のＭＵ−ＭＩＭＯ方式及びＤＬチャネル用のＭＵ−ＭＡＳプリコーディング方式は、全てのＵＥがＵＬ帯域幅全体を活用することを仮定して、最大で８つのＵＥをサポートすることができる。
【０１１５】
ＵＬにおけるＭＵ−ＭＩＭＯ又はＤＬにおけるＭＵ−ＭＡＳプリコーディングを通して同時に対応されるＵＥの数を増加させる方法としては、ＵＥのＤＭＲＳを、周波数ドメイン上で多重化することが挙げられる。例えば、ＴＤＤモードで１０ＭＨｚ帯域幅が用いられる場合、ＵＥに割り当てることができるＲＢは５０ある。この場合、８つのＵＥの１つの組に２５のインターリーブされたＲＢを、そして残る２５のインターリーブされたＲＢを別のＵＥの組に割り当てることができ、合計して同時に対応することができるＵＥは１６になる。次に、ＣＳＩは、インターリーブされたＲＢ上で送信されたＤＭＲＳからの推定を補間することで算定される。より大きい数の同時に対応されるＵＥは、ＵＬ  ＲＢのインターリーブパターンの数を増加させることでサポートすることができる。これらのパターンは静的又は動的に、特定の周波数ホッピングシーケンスによって異なるＵＥに指定することができる。本発明の一実施形態では、ＭＵ−ＭＩＭＯ又はＭＵ−ＭＡＳプリコーディングを介してサポートされるＵＥの数を増加させるために、ＤＭＲＳは直交インターリーブＲＢ上でＵＥに割り当てられる。同じ実施形態で、インターリーブされたＲＢは静的に割り当てられる。別の実施形態では、インターリーブされたＲＢは特定の周波数ホッピングパターンによって動的に割り当てられる。
【０１１６】
代替的な解決策は、異なるＵＥのＤＭＲＳを時間領域において多重化することである。例えば、ＵＥは異なる群に分割され、それらの群に関するＤＭＲＳは連続的な時間スロット（それぞれ０．５ミリ秒の持続時間）上で送信される。しかし、この場合に、異なる群に関するＤＭＲＳ割当ての周期性が、最速で移動中のＵＥのチャネルコヒーレンス時間より低いことを保証することが必要である。実際、これは、ＣＳＩがＤＭＲＳにより推定される時間から、システムがＤＩＤＯプリコーディングによってＵＥへＤＬデータストリームを送信する時間まで、チャネルが全てのＵＥについて変化しないことを保証するための必要条件である本発明の一実施形態では、システムは、アクティブＵＥを群に分割し、連続的な時間スロット上で、ＤＭＲの同じセットを各群へ割り当てる。同じ実施形態では、システムは、全てのアクティブＵＥに関する最も短いチャネルコヒーレンス時間を推定し、並びにＵＥ群の最大数及びその情報に基づくＤＭＲＳの時間多重化の周期性を推定する。
【０１１７】
別の解決策は、同じＤＭＲＳの組を使用するＵＥの異なるグループを空間的に分離させることである。例えば、直交ＤＭＲＳの同じ組を、同一のセルＩＤによって識別される図１１における異なるアンテナサブクラスタからのＵＥの全てに用いることができる。本発明の一実施形態では、直交ＤＭＲＳの同じ組を使用するＵＥのグループは、グループ間での干渉を回避するために空間的に分離されている。同じ実施形態において、直交ＤＭＲＳの同じ組は、同じセルＩＤによって識別される異なるアンテナサブクラスタによって使用される。ＭＵ−ＭＡＳは、ＵＬで使用することができるＤＭＲＳの数を最大にするために、「仮想セル」へＵＥを割り当ててもよい。１つの例示的な実施形態において、仮想セルは、ＵＥのまわりのコヒーレンスエリア（関連する同時係属中の米国特許出願第１３／２３２，９９６号、表題「Ｓｙｓｔｅｍｓ  ａｎｄ  Ｍｅｔｈｏｄｓ  ｔｏ  Ｅｘｐｌｏｉｔ  Ａｒｅａｓ  ｏｆ  Ｃｏｈｅｒｅｎｃｅ  ｉｎ  Ｗｉｒｅｌｅｓｓ  Ｓｙｓｔｅｍｓ」に記載）であり、ＤＩＤＯシステムは、異なるＵＥに関して、最大３３００のコヒーレンスエリアを生成する。本発明の別の実施形態では、隣接したアンテナクラスタ（クラスタは、関連する２０１２年５月１日発行の米国特許第８，１７０，０８１号、表題「Ｓｙｓｔｅｍ  Ａｎｄ  Ｍｅｔｈｏｄ  Ｆｏｒ  Ａｄｊｕｓｔｉｎｇ  ＤＩＤＯ  Ｉｎｔｅｒｆｅｒｅｎｃｅ  Ｃａｎｃｅｌｌａｔｉｏｎ  Ｂａｓｅｄ  Ｏｎ  Ｓｉｇｎａｌ  Ｓｔｒｅｎｇｔｈ  Ｍｅａｓｕｒｅｍｅｎｔｓ」で規定される）間のクラスタ間干渉を低減するために、３０の基本シーケンスの各々が、異なるアンテナクラスタへ割り当てられる。
【０１１８】
３．ＬＴＥにおけるアップリンクＭＵ−ＭＡＳ方法
本発明の実施形態は、全てのＵＥからＢＴＳへの同時ＵＬデータストリームを受信するために、ＵＬチャネル上で開ループＭＵ−ＭＩＭＯ方式を使用する。ＵＬ開ループＭＵ−ＭＩＭＯ方式は、以下の過程からなる。ｉ）ＵＥはシグナリング情報及びデータペイロードを全てのＢＴＳに送信する、ｉｉ）ＢＴＳはシグナリング情報を用いて全てのＵＥからのチャネル推定を計算する、ｉｉｉ）ＢＴＳはチャネル推定及びデータペイロードをＣＰに送信する、ｉｖ）ＣＰはチャネル推定を用いて全てのＵＥのデータペイロードからチャンネル間干渉を空間フィルタリングを介して除去して、全てのＵＥからデータストリームを復調する。一実施形態において、開ループＭＵ−ＭＩＭＯシステムは、ＵＥからＢＴＳへのＵＬチャネルの数を増大するために、単一キャリアの周波数分割多元接続（ＳＣ−ＦＤＭＡ）を使用し、周波数領域でそれらを多重化する。
【０１１９】
一実施形態において、ＵＥの間の同期は、ＤＬからのシグナリングにより実現され、同じクロックへの直接的な配線によるか、又は、ＧＰＳＤＯによる一実施形態において、共通の時間／周波数基準を共有することによるかのいずれでも、全てのＢＴＳが同じ時間／周波数基準クロックに対してロックされているものとみなす。異なるＵＥにわたるチャネル遅延の変動は、異なるＵＥの時間基準の間でジッタを生成する可能性があり、ＵＬ上でＭＵ−ＭＩＭＯ方法の性能に影響を及ぼす可能性がある。一実施形態において、異なるＵＥ間にわたる相対的な伝搬遅延を低減するために、同じアンテナクラスタ（例えば、お互いに隣接したＵＥ）中のＵＥだけが、ＭＵ−ＭＩＭＯ方法によって処理される。別の実施形態において、ＵＥの間の相対的な伝搬遅延は、ＵＥにおいて、又は、ＢＴＳにおいて補償され、ＢＴＳにおいて、異なるＵＥからのデータペイロードの同時受信を保証する。
【０１２０】
ＵＬ上でデータ復調に関するシグナリング情報を可能にするための方法は、以前の節で記載したダウンリンク開ループＤＩＤＯ方式のシグナリングに使用されるものと同じ方法である。ＣＰは、ＵＥデータペイロードからチャンネル間干渉を除去するために、異なる空間処理技術を使用する。本発明の一実施形態では、ＣＰは、最大尤度（ＭＬ）、決定帰還等化（ＤＦＥ）、又は逐次干渉除去（ＳＩＣ）受信機などの非線形空間処理方法を使用する。別の実施形態においてＣＰは、同一チャネル干渉を相殺するために、ゼロフォーシング（ＺＦ）又は最小平均二乗誤差（ＭＭＳＥ）受信機などの線形フィルタを使用し、アップリンクデータストリームを個別に復調する。
【０１２１】
４．既存のＬＴＥネットワークとの統合
アメリカ合衆国及び世界の他の領域で、ＬＴＥネットワークは、すでに稼働中であるか又は、配備される所であるか、及び／又は配備されることになっている。もし、ＬＴＥオペレータがＤＩＤＯ又はＭＵ−ＭＡＳ能力を既存の又はすでに約束された配備の中へ、徐々に配備することができるならば、彼らにとって著しい利益となるであろう。このように、彼らは、ＤＩＤＯ又はＭＵ−ＭＡＳが最も即時の利益を提供する領域に、ＤＩＤＯ又はＭＵ−ＭＡＳを配備することができ、徐々に、より多くのネットワークにわたるようにＤＩＤＯ又はＭＵ−ＭＡＳ能力を拡大する。やがて、彼らが領域に十分なＤＩＤＯ又はＭＵ−ＭＡＳカバレッジを有したら、それらは、完全にセルの使用を廃止することを選び、その代わりに、ＤＩＤＯ又はＭＵ−ＭＡＳへ完全に切り替えて、非常な低コストで非常により高いスペクトル密度を実現することができる。セルラからＤＩＤＯ又はＭＵ−ＭＡＳへのこの完全な移行を通して、ＬＴＥオペレータの無線カスタマは、サービスで損失を被るようなことは決してないであろう。むしろ、彼らはそれらのデータのスループット及び信頼性の改善に単に遭遇するだけであり、一方、オペレータはそのコスト低下に遭遇することになる。
【０１２２】
既存のＬＴＥネットワークへのＤＩＤＯ又はＭＵ−ＭＡＳの段階的な統合を可能にするいくつかの実施形態がある。全ての場合に、ＤＩＤＯ又はＭＵ−ＭＡＳのＢＴＳはＤＩＤＯ−ＬＴＥ  ＢＴＳと呼ばれ、それは、上述のＬＴＥ互換のＤＩＤＯ又はＭＵ−ＭＡＳ実施形態の１つ、又は将来開発される可能性がある他のＬＴＥ互換の実施形態を利用するであろう。又は、ＤＩＤＯ−ＬＴＥ  ＢＴＳは、上述したような、ＬＴＥ規格のわずかな変形を利用することになり、ＵＥは更新されるか（例えばソフトウェアアップデートが、ＤＩＤＯ又はＭＵ−ＭＡＳと互換性を有するようにＵＥを修正するのに十分であるならば）、又は、ＤＩＤＯ又はＭＵ−ＭＡＳ互換であるＵＥの新世代が配備されることのいずれかになる。どちらの場合でも、ＤＩＤＯ又はＭＵ−ＭＡＳをサポートする新しいＢＴＳは、ＬＴＥ規格の制約の中か、又はＬＴＥ規格の変形としてであるかのいずれでも、以下ＤＩＤＯ−ＬＴＥ  ＢＴＳと呼ぶことにする。
【０１２３】
ＬＴＥ規格は、種々のチャネル帯域幅（例えば、１．４、３、５、１０、１５、及び２０ＭＨｚ）をサポートする。一実施形態において、既存のＬＴＥネットワークのオペレータは、ＬＴＥ−ＤＩＤＯ  ＢＴＳに関して新しい帯域幅を割り当てるか、又は、既存のＬＴＥスペクトルを細分化（例えば、２０ＭＨｚは２つの１０ＭＨｚのブロックに細分化でき得る）することのいずれでも、１ブロックのスペクトルでセルラ構成の従来のＬＴＥ  ＢＴＳを、及び別ブロックのスペクトルでＤＩＤＯ  ＬＴＥ  ＢＴＳをサポートするであろう。事実上、これは２つの別個のＬＴＥネットワークを確立し、ＵＥデバイスは一方又は他方のネットワークを使用するか、又は、両者の中から選択するように構成されるであろう。細分化されたスペクトルの場合に、スペクトルは従来のＬＴＥネットワークとＤＩＤＯ−ＬＴＥ  ＢＴＳネットワークの間で、均一に又は不均一に分割され、セルラＬＴＥ  ＢＴＳ及びＤＩＤＯ−ＬＴＥ  ＢＴＳの配備の度合、及び／又はＵＥ使用のパターンを考慮して、最もよく利用することができるネットワークにより多くのスペクトルを割り当てることができる。この細分化は、時間経過の必要に応じて、変わることができ、ある時点で、セルラＢＴＳと同じか又はより良いカバレッジを提供するために配備された十分なＤＩＤＯ−ＬＴＥ  ＢＴＳがあるとき、スペクトルの全ては、ＤＩＤＯ−ＬＴＥ  ＢＴＳへ割り当てることができ、セルラＢＴＳは廃止することができる。
【０１２４】
別の実施形態では、従来のセルラＬＴＥ  ＢＴＳは、ＤＩＤＯ−ＬＴＥ  ＢＴＳと協調し、同じスペクトルを共有するが、交替でそのスペクトルを使用するように構成することができる。例えば、彼らが等しくスペクトルの使用を共有している場合、各ＢＴＳネットワークは、例えばセルラＬＴＥ  ＢＴＳに関する１つの１０ミリ秒のフレームのあと、ＤＩＤＯ−ＬＴＥ  ＢＴＳに関する１つの１０ミリ秒のフレームが続くように、交代で１つの１０ミリ秒のフレーム時間を利用することになる。フレーム時間は、不均一な間隔にも細分化することもできる。この区間分割は、時間経過の必要に応じて、変わることができ、セルラＢＴＳと同じか又はより良いカバレッジを提供するために配備された十分なＤＩＤＯ−ＬＴＥ  ＢＴＳがあるとき、時間の全ては、ＤＩＤＯ−ＬＴＥ  ＢＴＳへ割り当てることができ、セルラＢＴＳは廃止することができる。
【０１２５】
本発明の別の実施形態において、ＤＩＤＯ又はＭＵ−ＭＡＳは、ＬＴＥ及びＬＴＥ−Ａｄｖａｎｃｅｄネットワークの小セルに対するＬＯＳ又はＮＬＯＳの無線バックホールとして、使用される。小セルがＬＴＥネットワークで配備されるにつれて、ＤＩＤＯ又はＭＵ−ＭＡＳはそれらの小セルへ高速の無線バックホールを提供する。より高いデータレートに対する要求が増大するにつれて、無線ネットワークがセル間干渉を引き起こすことなく、それ以上の小セルを所定の領域に追加することができない制限に届くまで、より多くの小セルがネットワークに追加される。本発明の同じ実施形態では、ＤＩＤＯ−ＬＴＥ  ＢＴＳは、徐々に小セルを置き換えるために使用され、それによって、増大されたネットワーク容量を提供するために、セル間干渉を利用する。
【０１２６】
５．ＭＵ−ＭＡＳ  ＬＴＥスケジューラ
ＭＵ−ＭＡＳにおいて、分散アンテナ又はＢＴＳは同時プリコードデータストリームを複数のＵＥに送信する。関連特許及び出願に記載されるように、ＢＴＳの数は、同時データ伝送を可能とするにはＵＥの数と等しいかそれより多くなければならない。実際の配備では、ＵＥの数はＢＴＳの数を超えてもよい。この場合、過剰のＵＥは、特定のスケジューリング方針に従って、異なる時間スロット又は周波数帯域で送信されるように選択することができる。スケジューラは、提供時間及び周波数で対応されるＵＥの最も良い組を判断するために、ＵＥのチャネル品質情報を利用する。本発明では、プロポーショナル・フェア（proportional fair）スケジューラ、ラウンドロビン又は貪欲法を含む、異なるスケジューリング方法が用いられている。
【０１２７】
前の節に記載するように、ＬＴＥ規格は、あらゆるＵＥのリンク品質についてスケジューラに伝える２つのパラメータを規定する。ＣＱＩ及びＳＲＳ。ＣＱＩはＤＬチャネルの品質を測定し、ＵＥからＢＴＳに供給され返される。ＳＲＳはＵＥからＢＴＳに送信される、ＵＬチャネル品質を測定するためのシグナリング情報である。両方の指標は経時及び周波数領域のＵＬ／ＤＬチャネル品質の情報を提供する。ＤＬ及びＵＬチャネル品質は異なる搬送波周波数によって変動し得るため、ＦＤＤシステムにおいてＤＬスケジューラはＣＱＩを性能測度として用いなければならない。ＴＤＤモードでは、ＤＬスケジュールはＣＳＩ又はＳＲＳ若しくは両方の組み合わせのいずれかを利用してスケジューリング判定を行う。同様の性能測定基準をＵＬスケジューリングについても用いることができる。本発明の一実施形態では、ＭＵ−ＭＡＳスケジューラはＣＱＵ及びＳＲＳをスケジューリングアルゴリズムによって用いられる性能測定基準として使用する。
【０１２８】
本発明に記載されるＭＵ−ＭＡＳは、従来技術に開示されない１つの追加のチャネル品質指標を利用可能とする。関連米国特許出願第１３／４７５，５９８号、表題「Ｓｙｓｔｅｍｓ  ａｎｄ  Ｍｅｔｈｏｄｓ  ｔｏ  ｅｎｈａｎｃｅ  ｓｐａｔｉａｌ  ｄｉｖｅｒｓｉｔｙ  ｉｎ  ｄｉｓｔｒｉｂｕｔｅｄ−ｉｎｐｕｔ  ｄｉｓｔｒｉｂｕｔｅｄ−ｏｕｔｐｕｔ  ｗｉｒｅｌｅｓｓ  ｓｙｓｔｅｍｓ」に記載の空間選択性指標（ＳＳＩ）。ＳＳＩはフィードバックメカニズムを介して全てのＵＥから取得されるＣＩＳに基づいて、又はＵＬチャネルから（ＵＬ／ＤＬチャネル相互性を適用して）計算することができる。本発明の一実施形態では、スケジューラはＳＳＩを性能測定基準として利用する。ＳＳＩは、無線リンクにおいて利用可能な空間ダイバーシティの測定量である。ＳＳＩは、ＵＥに加えて、ＢＴＳの空間特性に依存する。本発明の一例示的な実施形態では、スケジューラはＳＳＩを全てのＵＥから取得し、特定のスケジューリング基準に従って「最適の」ＳＳＩでＵＥをスケジューリングする。ＢＴＳがアクティブＢＴＳよりも多く利用可能である場合、上述のユーザ選択基準は、関連米国特許出願第１３／４７５，５９８号、表題「Ｓｙｓｔｅｍｓ  ａｎｄ  Ｍｅｔｈｏｄｓ  ｔｏ  ｅｎｈａｎｃｅ  ｓｐａｔｉａｌ  ｄｉｖｅｒｓｉｔｙ  ｉｎ  ｄｉｓｔｒｉｂｕｔｅｄ−ｉｎｐｕｔ  ｄｉｓｔｒｉｂｕｔｅｄ−ｏｕｔｐｕｔ  ｗｉｒｅｌｅｓｓ  ｓｙｓｔｅｍｓ」に記載のアンテナ選択方法と組み合わされる。本発明の一実施形態では、スケジューラはＢＴＳ及びＵＥの最適なサブセットを、特定のスケジューリング基準に基づいて選択する。
【０１２９】
図９、１０、１１を参照して、特定のシナリオでは、同一のアンテナクラスタ又はアンテナサブクラスタ内の大きな数のＢＴＳを可能とする直交シグナリングシーケンスが十分でない可能性がある。この場合、より大きな数のアクティブＵＥを有する領域を網羅するために追加のＢＴＳがアクティブ化された場合に、いくらかの度合の干渉が発生し得る。本発明の一実施形態では、スケジューラはアンテナクラスタ又はアンテナサブクラスタ間での干渉度合を測定し、その干渉の効果を無線リンク上で最小限にするようにＵＥをスケジューリングする。
【０１３０】
関連米国特許出願第１３／４７５，５９８号、表題「Ｓｙｓｔｅｍｓ  ａｎｄ  Ｍｅｔｈｏｄｓ  ｔｏ  ｅｎｈａｎｃｅ  ｓｐａｔｉａｌ  ｄｉｖｅｒｓｉｔｙ  ｉｎ  ｄｉｓｔｒｉｂｕｔｅｄ−ｉｎｐｕｔ  ｄｉｓｔｒｉｂｕｔｅｄ−ｏｕｔｐｕｔ  ｗｉｒｅｌｅｓｓ  ｓｙｓｔｅｍｓ」に記載されるアンテナ選択アルゴリズムは、本発明において、アクティブＢＴＳの最適な組をＳＳＩに基づいて選択するように使用される。しかしながら、このアンテナ選択アルゴリズムは、ＭＵ−ＭＡＳプリコーディング処理がＳＳＩ性能測定基準に基づいて最良のサブセットについての判断をする前に全ての可能なアンテナサブセットの順列に適用されなければならないため、高い計算の複雑さを必要とする可能性がある。協調ＢＴＳの数が大きいＭＵ−ＭＡＳでは、この計算上の負荷は高価となるか、実際の配備において実現できない場合がある。よって、アンテナ選択方法の良好な性能を維持しながらアンテナサブセットの数を減らす代替的な方法を開発することが望ましい。本発明の一実施形態では、ＭＵ−ＭＡＳはアンテナサブセットＩＤ番号のキューに基づく、以下「アンテナシャッフリング法」として参照する方法を使用している。本発明の一実施形態では、アンテナシャッフリング法は可能性のある全てのアンテナサブセットＩＤを含むキュー（つまり、利用可能なＢＴＳの所定の組についてのアクティブＢＴＳの全ての可能な順列）を様々なグループに細分化して、これらのグループに異なる優先度を割り当てる。これらのグループは選択される全てのサブセットＩＤに正当な機会を割り当てるように規定されるが、ＳＳＩ測定基準は制限された数のサブセットのみについて計算される（例えば、最も優先度が高いもの）ため、計算の複雑さを低下させる。一例示的な実施形態では、サブセットＩＤのキューは３つのグループに分けられ、各グループは異なる規則が割り当てられる。ｉ）グループ１は、より高い優先度を有する新しいサブセットが識別されるときにしかグループから引っ張り出されない、最も高い優先度を有するＩＤを含む、ｉｉ）方法のあらゆる繰り返しにて新しいアンテナサブセット（グループ３から選択される）が含まれるグループ２、ｉｉｉ）アンテナサブセットＩＤがラウンドロビン規則に従ってシャッフルされるグループ３。グループ１及び２内のサブセットＩＤは方法の各繰り返しにてその優先度に基づいて分類され、グループ２からのサブセットＩＤがグループ１にアップグレードされる機会が与えられる。ＳＳＩはグループ１及び２内のサブセットのみについて計算され、アンテナ選択アルゴリズムはこれらのサブセットのみにしか適用されない。
【０１３１】
６．ＭＵ−ＭＡＳ  ＬＴＥユーザ機器
本発明はＬＴＥ  ＵＥの様々な設計を含む。一実施形態では、ＵＥは、前に記載し図１３に図示するように、プリコーディングを使用するＭＵ−ＭＡＳと互換性を有するＬＴＥ  ＵＥである。
【０１３２】
異なる実施形態では、図１４に示すように、ＵＥ  １４０１は、第１のネットワークインターフェース１４０４（例えば、Ｗｉ−Ｆｉ、ＵＳＢ、イーサネット（登録商標）、Ｂｌｕｅｔｏｏｔｈ（登録商標）、光ファイバー等）を通して異なるデバイス１４０２及び１４０３に、並びに第２のネットワークインターフェース１４０５を通してＭＵ−ＭＡＳに接続されている。図１４におけるＵＥは２つの異なるネットワークインターフェースが実装されており、各ネットワークインターフェースは１つ以上のアンテナを備える（しかしながら代替的な実施形態では、第１のネットワークインターフェース１４０４はアンテナを有さない有線インターフェースであってもよい）。第１のネットワークインターフェースのアンテナは円で示されており、第２のネットワークインターフェースのアンテナは三角で示されている。同じ実施形態において、第２のネットワークインターフェースはＭＵ−ＭＡＳプリコーディング、ＬＴＥ準拠プロトコルを実装するＭＵ−ＭＡＳ、又はＭＵ−ＭＡＳ（ＬＴＥ準拠プロトコル実装又は未実装）及び代替ネットワークをサポートする。同じ実施形態において、代替ネットワークはセルラネットワーク、ＬＴＥネットワーク又はＷｉ−Ｆｉネットワークである。同じ実施形態において、ＵＥは片方及び／又は両方のＭＵ−ＭＡＳと動作し、並びに／若しくは代替ネットワークとＵＥはいずれかのＭＵ−ＭＡＳ又は代替ネットワークを何かしらの基準に基づいて選択する。同じ実施形態において、基準は、ｉ）１つのネットワークのみが利用可能であり選択されるかどうか、ｉｉ）１つのネットワークがよりよい性能を有するか、ｉｉｉ）１つのネットワークがより経済的か、ｉｖ）１つのネットワークがより渋滞していないか、ｖ）１つのネットワークがより少ないＵＥリソースを用いるか、である。
【０１３３】
本発明の一実施形態では、ＵＥ  １５０１は、図１５に図示するように、ユーザ装置１５０２に物理的に装着されるケースに入っている。同じ実施形態において、ケースはユーザ装置への装飾的な追加を担う。別の実施形態では、ケースはユーザ装置を物理的な損傷から保護する役割を果たす。ＵＥは、バッテリ１５０３、及び１つ以上のネットワークインターフェース１５０４からなる。
【０１３４】
一実施形態では、ＵＥ電子装置はケース内に内蔵されている。同じ実施形態において、ＵＥ電子装置はバッテリ１５０３を含む。バッテリは、物理的な電気接触又は無線接触を通して連結する電力チャージャを含む。例示的な電力連結は、導電性、誘電性、ＲＦ、光、又は熱性であるが、電力連結はこれらの手法に限られない。同じ実施形態において、ＵＥ電子装置はユーザ装置から電力を受けるように連結される。この電力連結は物理的接触を通して、又は誘電性若しくは無線接触を通している。同じ実施形態において、ユーザ装置はＭＵ−ＭＡＳ  ＵＥからの電力を受けるように連結されている。この連結は物理的接触を通す、又は誘電性若しくは無線接触を通す。異なる実施形態では、同一の電力チャージャはユーザ装置とＭＵ＿ＭＡＳ  ＵＥの両方に電力を与える。
【０１３５】
本発明の一実施形態では、ＵＥはユーザ装置と通信するように構成される。同じ実施形態において、ＵＥは、ユーザ装置が最初にＵＥに接続できるように（例えば、スイッチを介して、又は電力を除去することで）リセット可能であり、一度接続が確立されると、ＵＥはユーザ装置によって構成可能となる。このような構成は、プライベートパスワード及び／又はその他のセキュリティプロトコルを構成することを含む。異なる実施形態では、ＵＥはユーザ装置と通信するように構成される手段を含む。このような構成は、別の装置へのＵＳＢである通信ポートを介して、又はＵＥ上の操縦装置及び／若しくはボタンを介して、又はボタン若しくはタッチ入力が使用されるディスプレイを介して行われる。
【０１３６】
別の実施形態では、同じＲＦチェーンが、代替ネットワークに加えてＭＵ−ＭＡＳ通信にも用いられる。別の実施形態では、異なるＲＦチェーンがＭＵ−ＭＡＳ通信及び代替ネットワークで使用される。
【０１３７】
「参考文献」
［１］Ａ．Ｐａｕｌｒａｊ，Ｒ．Ｎａｂａｒ，ａｎｄ  Ｄ．Ｇｏｒｅ，Ｉｎｔｒｏｄｕｃｔｉｏｎ  ｔｏ  Ｓｐａｃｅ−Ｔｉｍｅ  Ｗｉｒｅｌｅｓｓ  Ｃｏｍｍｕｎｉｃａｔｉｏｎｓ，Ｃａｍｂｒｉｄｇｅ  Ｕｎｉｖｅｒｓｉｔｙ  Ｐｒｅｓｓ，４０  Ｗｅｓｔ  ２０ｔｈ  Ｓｔｒｅｅｔ，Ｎｅｗ  Ｙｏｒｋ，ＮＹ，ＵＳＡ，２００３
【０１３８】
［２］Ｄ．Ｇｅｓｂｅｒｔ，Ｍ．Ｓｈａｆｉ，Ｄ．Ｓｈｉｕ，Ｐ．Ｊ．Ｓｍｉｔｈ  ａｎｄ  Ａ．Ｎａｇｕｉｂ，「Ｆｒｏｍ  ｔｈｅｏｒｙ  ｔｏ  ｐｒａｃｔｉｃｅ：ａｎ  ｏｖｅｒｖｉｅｗ  ｏｆ  ＭＩＭＯ  ｓｐａｃｅ−ｔｉｍｅ  ｃｏｄｅｄ  ｗｉｒｅｌｅｓｓ  ｓｙｓｔｅｍｓ」，ＩＥＥＥ  Ｊｏｕｒｎａｌ  ｏｎ  Ｓｅｌｅｃｔｅｄ  Ａｒｅａｓ  ｏｎ  Ｃｏｍｍｕｎｉｃａｔｉｏｎｓ，ｖｏｌ．２，ｎ．３，ｐｐ．２８１〜３０２，Ａｐｒ．２００３
【０１３９】
［３］Ｌ．Ｚｈｅｎｇ  ａｎｄ  Ｄ．Ｎ．Ｃ．Ｔｓｅ，「Ｄｉｖｅｒｓｉｔｙ  ａｎｄ  ｍｕｌｔｉｐｌｅｘｉｎｇ：ａ  ｆｕｎｄａｍｅｎｔａｌ  ｔｒａｄｅｏｆｆ  ｉｎ  ｍｕｌｔｉｐｌｅ−ａｎｔｅｎｎａ  ｃｈａｎｎｅｌｓ」，ＩＥＥＥ  Ｔｒａｎｓ．Ｉｎｆｏ．Ｔｈ．，ｖｏｌ．４９，ｎｏ．５，ｐｐ．１０７３〜１０９６，Ｍａｙ  ２００３
【０１４０】
［４］Ｄ．Ｎ．Ｃ．Ｔｓｅ，Ｐ．Ｖｉｓｗａｎａｔｈ，ａｎｄ  Ｌ．Ｚｈｅｎｇ，「Ｄｉｖｅｒｓｉｔｙ−ｍｕｌｔｉｐｌｅｘｉｎｇ  ｔｒａｄｅｏｆｆ  ｉｎ  ｍｕｌｔｉｐｌｅ−ａｃｃｅｓｓ  ｃｈａｎｎｅｌｓ」，ＩＥＥＥ  Ｔｒａｎｓ．Ｉｎｆｏ．Ｔｈ．，ｖｏｌ．５０，ｎｏ．９，ｐｐ．１８５９〜１８７４，Ｓｅｐｔ．２００４
【０１４１】
［５］Ｅ．Ｖｉｓｏｔｓｋｙ  ａｎｄ  Ｕ．Ｍａｄｈｏｗ，「Ｓｐａｃｅ−ｔｉｍｅ  ｔｒａｎｓｍｉｔ  ｐｒｅｃｏｄｉｎｇ  ｗｉｔｈ  ｉｍｐｅｒｆｅｃｔ  ｆｅｅｄｂａｃｋ」，ＩＥＥＥ  Ｔｒａｎｓ．Ｉｎｆｏ．Ｔｈ．，ｖｏｌ．４７，ｐｐ．２６３２〜２６３９，Ｓｅｐ．２００１
【０１４２】
［６］Ｓ．Ａ．Ｊａｆａｒ，Ｓ．Ｖｉｓｈｗａｎａｔｈ，ａｎｄ  Ａ．Ｇｏｌｄｓｍｉｔｈ，「Ｃｈａｎｎｅｌ  ｃａｐａｃｉｔｙ  ａｎｄ  ｂｅａｍｆｏｒｍｉｎｇ  ｆｏｒ  ｍｕｌｔｉｐｌｅ  ｔｒａｎｓｍｉｔ  ａｎｄ  ｒｅｃｅｉｖｅ  ａｎｔｅｎｎａｓ  ｗｉｔｈ  ｃｏｖａｒｉａｎｃｅ  ｆｅｅｄｂａｃｋ」，Ｐｒｏｃ．ＩＥＥＥ  Ｉｎｔ．Ｃｏｎｆ．ｏｎ  Ｃｏｍｍ．，ｖｏｌ．７，ｐｐ．２２６６〜２２７０，Ｊｕｎ．２００１
【０１４３】
［７］Ｓ．Ａ．Ｊａｆａｒ  ａｎｄ  Ａ．Ｇｏｌｄｓｍｉｔｈ，「Ｔｒａｎｓｍｉｔｔｅｒ  ｏｐｔｉｍｉｚａｔｉｏｎ  ａｎｄ  ｏｐｔｉｍａｌｉｔｙ  ｏｆ  ｂｅａｍｆｏｒｍｉｎｇ  ｆｏｒ  ｍｕｌｔｉｐｌｅ  ａｎｔｅｎｎａ  ｓｙｓｔｅｍｓ」，ＩＥＥＥ  Ｔｒａｎｓ．Ｗｉｒｅｌｅｓｓ  Ｃｏｍｍ．，ｖｏｌ．３，ｐｐ．１１６５〜１１７５，Ｊｕｌｙ  ２００４
【０１４４】
［８］Ｅ．Ａ．Ｊｏｒｓｗｉｅｃｋ  ａｎｄ  Ｈ．Ｂｏｃｈｅ，「Ｃｈａｎｎｅｌ  ｃａｐａｃｉｔｙ  ａｎｄ  ｃａｐａｃｉｔｙ−ｒａｎｇｅ  ｏｆ  ｂｅａｍｆｏｒｍｉｎｇ  ｉｎ  ＭＩＭＯ  ｗｉｒｅｌｅｓｓ  ｓｙｓｔｅｍｓ  ｕｎｄｅｒ  ｃｏｒｒｅｌａｔｅｄ  ｆａｄｉｎｇ  ｗｉｔｈ  ｃｏｖａｒｉａｎｃｅ  ｆｅｅｄｂａｃｋ」，ＩＥＥＥ  Ｔｒａｎｓ．Ｗｉｒｅｌｅｓｓ  Ｃｏｍｍ．，ｖｏｌ．３，ｐｐ．１５４３〜１５５３，Ｓｅｐ．２００４
【０１４５】
［９］Ａ．Ｌ．Ｍｏｕｓｔａｋａｓ  ａｎｄ  Ｓ．Ｈ．Ｓｉｍｏｎ，「Ｏｐｔｉｍｉｚｉｎｇ  ｍｕｌｔｉｐｌｅ−ｉｎｐｕｔ  ｓｉｎｇｌｅ−ｏｕｔｐｕｔ（ＭＩＳＯ）ｃｏｍｍｕｎｉｃａｔｉｏｎ  ｓｙｓｔｅｍｓ  ｗｉｔｈ  ｇｅｎｅｒａｌ  Ｇａｕｓｓｉａｎ  ｃｈａｎｎｅｌｓ：ｎｏｎｔｒｉｖｉａｌ  ｃｏｖａｒｉａｎｃｅ  ａｎｄ  ｎｏｎｚｅｒｏ  ｍｅａｎ」，ＩＥＥＥ  Ｔｒａｎｓ．Ｉｎｆｏ．Ｔｈ．，ｖｏｌ．４９，ｐｐ．２７７０〜２７８０，Ｏｃｔ．２００３。
【０１４６】
［１０］Ｍ．Ｋａｎｇ  ａｎｄ  Ｍ．Ｓ．Ａｌｏｕｉｎｉ，「Ｗａｔｅｒ−ｆｉｌｌｉｎｇ  ｃａｐａｃｉｔｙ  ａｎｄ  ｂｅａｍｆｏｒｍｉｎｇ  ｐｅｒｆｏｒｍａｎｃｅ  ｏｆ  ＭＩＭＯ  ｓｙｓｔｅｍｓ  ｗｉｔｈ  ｃｏｖａｒｉａｎｃｅ  ｆｅｅｄｂａｃｋ」，ＩＥＥＥ  Ｗｏｒｋ．ｏｎ  Ｓｉｇｎ．Ｐｒｏｃ．Ａｄｖ．ｉｎ  Ｗｉｒｅ．Ｃｏｍｍ．，ｐｐ．５５６〜５６０，Ｊｕｎｅ  ２００３。
【０１４７】
［１１］Ｓ．Ｈ．Ｓｉｍｏｎ  ａｎｄ  Ａ．Ｌ．Ｍｏｕｓｔａｋａｓ，「Ｏｐｔｉｍｉｚｉｎｇ  ＭＩＭＯ  ａｎｔｅｎｎａ  ｓｙｓｔｅｍｓ  ｗｉｔｈ  ｃｈａｎｎｅｌ  ｃｏｖａｒｉａｎｃｅ  ｆｅｅｄｂａｃｋ」，ＩＥＥＥ  Ｊｏｕｒ．Ｓｅｌｅｃｔ．Ａｒｅａｓ  ｉｎ  Ｃｏｍｍ．，ｖｏｌ．２１，ｐｐ．４０６〜４１７，Ａｐｒ．２００３。
【０１４８】
［１２］Ｓ．Ｍ．Ａｌａｍｏｕｔｉ，「Ａ  ｓｉｍｐｌｅ  ｔｒａｎｓｍｉｔ  ｄｉｖｅｒｓｉｔｙ  ｔｅｃｈｎｉｑｕｅ  ｆｏｒ  ｗｉｒｅｌｅｓｓ  ｃｏｍｍｕｎｉｃａｔｉｏｎｓ」，ＩＥＥＥ  Ｊｏｕｒ．Ｓｅｌｅｃｔ．Ａｒｅａｓ  ｉｎ  Ｃｏｍｍ．，ｖｏｌ．１６，ｎｏ．８，ｐｐ．１４５２〜１４５８，Ｏｃｔ．１９９８。
【０１４９】
［１３］Ｖ．Ｔａｒｏｋｈ，Ｎ．Ｓｅｓｈａｄｒｉ，ａｎｄ  Ａ．Ｒ．Ｃａｌｄｅｒｂａｎｋ，「Ｓｐａｃｅ−ｔｉｍｅ  ｃｏｄｅｓ  ｆｏｒ  ｈｉｇｈ  ｄａｔａ  ｒａｔｅ  ｗｉｒｅｌｅｓｓ  ｃｏｍｍｕｎｉｃａｔｉｏｎ：Ｐｅｒｆｏｒｍａｎｃｅ  ｃｒｉｔｅｒｉｏｎ  ａｎｄ  ｃｏｄｅ  ｃｏｎｓｔｒｕｃｔｉｏｎ」，ＩＥＥＥ  Ｔｒａｎｓ．Ｉｎｆｏ．Ｔｈ．，ｖｏｌ．４４，ｐｐ．７４４〜６５，Ｍａｒ．１９９８。
【０１５０】
［１４］Ｖ．Ｔａｒｏｋｈ，Ｈ．Ｊａｆａｒｋｈａｎｉ，ａｎｄ  Ａ．Ｒ．Ｃａｌｄｅｒｂａｎｋ，「Ｓｐａｃｅ−ｔｉｍｅ  ｂｌｏｃｋ  ｃｏｄｅｓ  ｆｒｏｍ  ｏｒｔｈｏｇｏｎａｌ  ｄｅｓｉｇｎｓ」，ＩＥＥＥ  Ｔｒａｎｓ．Ｉｎｆｏ．Ｔｈ．，ｖｏｌ．４５，ｐｐ．１４５６〜４６７，Ｊｕｌｙ  １９９９。
【０１５１】
［１５］Ｅ．Ｎ．Ｏｎｇｇｏｓａｎｕｓｉ，Ａ．Ｇ．Ｄａｂａｋ，ａｎｄ  Ｔ．Ａ．Ｓｃｈｍｉｄｌ，「Ｈｉｇｈ  ｒａｔｅ  ｓｐａｃｅ−ｔｉｍｅ  ｂｌｏｃｋ  ｃｏｄｅｄ  ｓｃｈｅｍｅ：ｐｅｒｆｏｒｍａｎｃｅ  ａｎｄ  ｉｍｐｒｏｖｅｍｅｎｔ  ｉｎ  ｃｏｒｒｅｌａｔｅｄ  ｆａｄｉｎｇ  ｃｈａｎｎｅｌｓ」，Ｐｒｏｃ．ＩＥＥＥ  Ｗｉｒｅｌｅｓｓ  Ｃｏｍｍ．ａｎｄ  Ｎｅｔ．Ｃｏｎｆ．，ｖｏｌ．１，ｐｐ．１９４〜１９９，Ｍａｒ．２００２。
【０１５２】
［１６］Ｇ．Ｄ．Ｄｕｒｇｉｎ，Ｓｐａｃｅ−Ｔｉｍｅ  Ｗｉｒｅｌｅｓｓ  Ｃｈａｎｎｅｌｓ，Ｐｒｅｎｔｉｃｅ  Ｈａｌｌ，Ｕｐｐｅｒ  Ｓａｄｄｌｅ  Ｒｉｖｅｒ，ＮＪ，ＵＳＡ，２００３
【０１５３】
［１７］Ｄ．−Ｓ．Ｓｈｉｕ，Ｇ．Ｊ．Ｆｏｓｃｈｉｎｉ，Ｍ．Ｊ．Ｇａｎｓ，ａｎｄ  Ｊ．Ｍ．Ｋａｈｎ，「Ｆａｄｉｎｇ  ｃｏｒｒｅｌａｔｉｏｎ  ａｎｄ  ｉｔｓ  ｅｆｆｅｃｔ  ｏｎ  ｔｈｅ  ｃａｐａｃｉｔｙ  ｏｆ  ｍｕｌｔｉｅｌｅｍｅｎｔ  ａｎｔｅｎｎａ  ｓｙｓｔｅｍｓ」，ＩＥＥＥ  Ｔｒａｎｓ．Ｃｏｍｍ．，ｖｏｌ．４８，ｎｏ．３，ｐｐ．５０２〜５１３，Ｍａｒ．２０００。
【０１５４】
［１８］Ａ．Ｆｏｒｅｎｚａ  ａｎｄ  Ｒ．Ｗ．Ｈｅａｔｈ  Ｊｒ．，「Ｉｍｐａｃｔ  ｏｆ  ａｎｔｅｎｎａ  ｇｅｏｍｅｔｒｙ  ｏｎ  ＭＩＭＰ  ｃｏｍｍｕｎｉｃａｔｉｏｎ  ｉｎ  ｉｎｄｏｏｒ  ｃｌｕｓｔｅｒｅｄ  ｃｈａｎｎｅｌｓ」，Ｐｒｏｃ．ＩＥＥＥ  Ａｎｔｅｎｎａｓ  ａｎｄ  Ｐｒｏｐ．Ｓｙｍｐ．，ｖｏｌ．２，ｐｐ．１７００〜１７０３，Ｊｕｎｅ  ２００４。
【０１５５】
［１９］Ｅ．Ａ．Ｊｏｒｓｗｉｅｃｋ  ａｎｄ  Ｈ．Ｂｏｃｈｅ，「Ｃｈａｎｎｅｌ  ｃａｐａｃｉｔｙ  ａｎｄ  ｃａｐａｃｉｔｙ−ｒａｎｇｅ  ｏｆ  ｂｅａｍｆｏｒｍｉｎｇ  ｉｎ  ＭＩＭＯ  ｗｉｒｅｌｅｓｓ  ｓｙｓｔｅｍｓ  ｕｎｄｅｒ  ｃｏｒｒｅｌａｔｅｄ  ｆａｄｉｎｇ  ｗｉｔｈ  ｃｏｖａｒｉａｎｃｅ  ｆｅｅｄｂａｃｋ，」ＩＥＥＥ  Ｔｒａｎｓ．Ｗｉｒｅｌｅｓｓ  Ｃｏｍｍ．，ｖｏｌ．３，ｐｐ．１５４３〜１５５３，Ｓｅｐ．２００４
【０１５６】
［２０］Ｒ．Ｗ．Ｈｅａｔｈ  Ｊｒ．ａｎｄ  Ａ．Ｐａｕｌｒａｊ，「Ｓｗｉｔｃｈｉｎｇ  ｂｅｔｗｅｅｎ  ｍｕｌｔｉｐｌｅｘｉｎｇ  ａｎｄ  ｄｉｖｅｒｓｉｔｙ  ｂａｓｅｄ  ｏｎ  ｃｏｎｓｔｅｌｌａｔｉｏｎ  ｄｉｓｔａｎｃｅ，」Ｐｒｏｃ．ｏｆ  Ａｌｌｅｒｔｏｎ  Ｃｏｎｆ．ｏｎ  ２０８，Ｃｏｍｍ．Ｃｏｎｔｒｏｌ  ａｎｄ  Ｃｏｍｐ．，Ｓｅｐ．２０００。
【０１５７】
［２１］Ｓ．Ｃａｔｒｅｕｘ，Ｖ．Ｅｒｃｅｇ，Ｄ．Ｇｅｓｂｅｒｔ，ａｎｄ  Ｒ．Ｗ．Ｈｅａｔｈ  Ｊｒ．，「Ａｄａｐｔｉｖｅ  ｍｏｄｕｌａｔｉｏｎ  ａｎｄ  ＭＩＭＯ  ｃｏｄｉｎｇ  ｆｏｒ  ｂｒｏａｄｂａｎｄ  ｗｉｒｅｌｅｓｓ  ｄａｔａ  ｎｅｔｗｏｒｋｓ，」ＩＥＥＥ  Ｃｏｍｍ．Ｍａｇ．，ｖｏｌ．２，ｐｐ．１０８〜１１５，Ｊｕｎｅ  ２００２。
【０１５８】
［２２］Ａ．Ｆｏｒｅｎｚａ，Ａ．Ｐａｎｄｈａｒｉｐａｎｄｅ，Ｈ．Ｋｉｍ，ａｎｄ  Ｒ．Ｗ．Ｈｅａｔｈ  Ｊｒ．，「Ａｄａｐｔｉｖｅ  ＭＩＭＯ  ｔｒａｎｓｍｉｓｓｉｏｎ  ｓｃｈｅｍｅ：Ｅｘｐｌｏｉｔｉｎｇ  ｔｈｅ  ｓｐａｔｉａｌ  ｓｅｌｅｃｔｉｖｉｔｙ  ｏｆ  ｗｉｒｅｌｅｓｓ  ｃｈａｎｎｅｌｓ」，Ｐｒｏｃ．ＩＥＥＥ  Ｖｅｈ．Ｔｅｃｈｎｏｌ．Ｃｏｎｆ．，ｖｏｌ．５，ｐｐ．３１８８〜３１９２，Ｍａｙ  ２００５。
【０１５９】
［２３］Ｃ．Ｂ．Ｃｈａｅ，Ａ．Ｆｏｒｅｎｚａ，Ｒ．Ｗ．Ｈｅａｔｈ，Ｊｒ．，Ｍ．Ｒ．ＭｃＫａｙ，ａｎｄ  Ｉ．Ｂ．Ｃｏｌｌｉｎｇｓ，「Ａｄａｐｔｉｖｅ  ＭＩＭＯ  Ｔｒａｎｓｍｉｓｓｉｏｎ  Ｔｅｃｈｎｉｑｕｅｓ  ｆｏｒ  Ｂｒｏａｄｂａｎｄ  Ｗｉｒｅｌｅｓｓ  Ｃｏｍｍｕｎｉｃａｔｉｏｎ  Ｓｙｓｔｅｍｓ」，ＩＥＥＥ  Ｃｏｍｍｕｎｉｃａｔｉｏｎｓ  Ｍａｇａｚｉｎｅ，ｖｏｌ．４８，ｎｏ．５，ｐｐ．１１２〜１１８，Ｍａｙ  ２０１０
【０１６０】
［２４］ＦＣＣ，「Ｂｒｏａｄｂａｎｄ  ａｃｔｉｏｎ  ａｇｅｎｄａ」，Ｎａｔｉｏｎａｌ  Ｂｒｏａｄｂａｎｄ  Ｐｌａｎ，２０１０  ｈｔｔｐ：／／ｗｗｗ．ｂｒｏａｄｂａｎｄ．ｇｏｖ／ｐｌａｎ／ｎａｔｉｏｎａｌ−ｂｒｏａｄｂａｎｄ−ｐｌａｎ−ａｃｔｉｏｎ−ａｇｅｎｄａ．ｐｄｆ
【０１６１】
［２５］，Ｎ．Ｄｅｌｆａｓ，Ｆ．Ｍｅｕｎｉｅｒ，Ｓ．Ｆｌａｎｎｅｒｙ，Ｔ．Ｔｓｕｓａｋａ，Ｅ．Ｇｅｌｂｌｕｍ  ａｎｄ  Ｓ．Ｋｏｖｌｅｒ，「Ｍｏｂｉｌｅ  ｄａｔａ  ｗａｖｅ：ｗｈｏ  ｄａｒｅｓ  ｔｏ  ｉｎｖｅｓｔ，ｗｉｎｓ」，Ｍｏｒｇａｎ  Ｓｔａｎｌｅｙ  Ｒｅｓｅａｒｃｈ  Ｇｌｏｂａｌ，Ｊｕｎｅ  １３，２０１２
【０１６２】
［２６］Ｄ．Ｇｏｌｄｍａｎ，「Ｓｏｒｒｙ，Ａｍｅｒｉｃａ：ｙｏｕｒ  ｗｉｒｅｌｅｓｓ  ａｉｒｗａｖｅｓ  ａｒｅ  ｆｕｌｌ」，ＣＮＮ  Ｍｏｎｅｙ
ｈｔｔｐ：／／ｍｏｎｅｙ．ｃｎｎ．ｃｏｍ／２０１２／０２／２１／ｔｅｃｈｎｏｌｏｇｙ／ｓｐｅｃｔｒｕｍ＿ｃｒｕｎｃｈ／ｉｎｄｅｘ．ｈｔｍ
【０１６３】
［２７］Ｐ．Ｒｙｓａｖｙ，「Ｎｏ  ｓｉｌｖｅｒ  ｂｕｌｌｅｔｓ  ｆｏｒ  ＦＣＣ，ＮＴＩＡ  ｓｐｅｃｔｒｕｍ  ｃｈａｌｌａｎｇｅ」，Ｄａｉｌｙ  ｒｅｐｏｒｔ  ｆｏｒ  ｅｘｅｃｕｔｉｖｅｓ，Ｂｌｏｏｍｂｅｒｇ  ＢＮＡ，Ａｕｇ．２０１２
ｈｔｔｐ：／／ｗｗｗ．ｒｙｓａｖｙ．ｃｏｍ／Ａｒｔｉｃｌｅｓ／２０１２＿０９＿Ｎｏ＿Ｓｐｅｃｔｒｕｍ＿Ｓｉｌｖｅｒ＿Ｂｕｌｌｅｔｓ．ｐｄｆ
【０１６４】
［２８］Ｔ．Ｗ．Ｈａｚｌｅｔｔ，「Ｒａｄｉｏ  ｓｐｅｃｔｒｕｍ  ｆｏｒ  ａ  ｈｕｎｇｒｙ  ｗｉｒｅｌｅｓｓ  ｗｏｒｌｄ」，Ｓｅｐｔ．２２，２０１１
【０１６５】
［２９］Ｂ．Ｊ．Ｌｏｖｅ，Ｄ．Ｊ．Ｌｏｖｅ  ａｎｄ  Ｊ．Ｖ．Ｋｒｏｇｍｅｉｅｒ，「Ｌｉｋｅ  ｄｅｃｋ  ｃｈａｉｒｓ  ｏｎ  ｔｈｅ  Ｔｉｔａｎｉｃ：ｗｈｙ  ｓｐｅｃｔｒｕｍ  ｒｅａｌｌｏｃａｔｉｏｎ  ｗｏｎ’ｔ  ａｖｅｒｔ  ｔｈｅ  ｃｏｍｉｎｇ  ｄａｔａ  ｃｒｕｎｃｈ  ｂｕｔ  ｔｅｃｈｎｏｌｏｇｙ  ｍｉｇｈｔ  ｋｅｅｐ  ｔｈｅ  ｗｉｒｅｌｅｓｓ  ｉｎｄｕｓｔｒｙ  ａｆｌｏａｔ」，Ｆｅｂ．２０１２
【０１６６】
［３０］Ｑｕａｌｃｏｍｍ，「Ｔｈｅ  １０００ｘ  ｄａｔａ  ｃｈａｌｌｅｎｇｅ，ｔｈｅ  ｌａｔｅｓｔ  ｏｎ  ｗｉｒｅｌｅｓｓ，ｖｏｉｃｅ，ｓｅｒｖｉｃｅｓ  ａｎｄ  ｃｈｉｐｓｅｔ  ｅｖｏｌｕｔｉｏｎ」，４Ｇ  Ｗｏｒｌｄ，Ｏｃｔ．３１ｓｔ，２０１２
【０１６７】
［３１］Ｊ．Ｌｅｅ，Ｊ．−Ｋ．Ｈａｎ，Ｊ．Ｚｈａｎｇ，「ＭＩＭＯ  ｔｅｃｈｎｏｌｏｇｉｅｓ  ｉｎ  ３ＧＰＰ  ＬＴＥ  ａｎｄ  ＬＴＥ−ａｄｖａｎｃｅｄ」，ＥＵＲＡＳＩＰ  Ｊｏｕｒｎａｌ  ｏｎ  Ｗｉｒｅｌｅｓｓ  Ｃｏｍｍｕｎｉｃａｔｉｏｎｓ  ａｎｄ  Ｎｅｔｗｏｒｋｉｎｇ，Ｈｉｎｄａｗｉ，Ｍａｙ  ２００９
【０１６８】
［３２］３ＧＰＰ，ＴＳ  ３６．２０１，「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；ＬＴＥ  Ｐｈｙｓｉｃａｌ  Ｌａｙｅｒ−Ｇｅｎｅｒａｌ  Ｄｅｓｃｒｉｐｔｉｏｎ（Ｒｅｌｅａｓｅ  ８）」
【０１６９】
［３３］３ＧＰＰ，ＴＳ  ３６．２１１，「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  ８）」
【０１７０】
［３４］３ＧＰＰ，ＴＳ  ３６．２１２，「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｍｕｌｔｉｐｌｅｘｉｎｇ  ａｎｄ  ｃｈａｎｎｅｌ  ｃｏｄｉｎｇ（Ｒｅｌｅａｓｅ  ８）」
【０１７１】
［３５］３ＧＰＰ，ＴＳ  ３６．２１３，「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｌａｙｅｒ  ｐｒｏｃｅｄｕｒｅｓ（Ｒｅｌｅａｓｅ  ８）」
【０１７２】
［３６］Ｔ．Ｙｏｏ，Ｎ．Ｊｉｎｄａｌ，ａｎｄ  Ａ．Ｇｏｌｄｓｍｉｔｈ，「Ｍｕｌｔｉ−ａｎｔｅｎｎａ  ｂｒｏａｄｃａｓｔ  ｃｈａｎｎｅｌｓ  ｗｉｔｈ  ｌｉｍｉｔｅｄ  ｆｅｅｄｂａｃｋ  ａｎｄ  ｕｓｅｒ  ｓｅｌｅｃｔｉｏｎ」，ＩＥＥＥ  Ｊｏｕｒｎａｌ  ｏｎ  Ｓｅｌ．Ａｒｅａｓ  ｉｎ  Ｃｏｍｍｕｎｉｃａｔｉｏｎｓ，ｖｏｌ．２５，ｐｐ．１４７８〜９１，Ｊｕｌｙ  ２００７。
【０１７３】
［３７］Ｐ．Ｄｉｎｇ，Ｄ．Ｊ．Ｌｏｖｅ，ａｎｄ  Ｍ．Ｄ．Ｚｏｌｔｏｗｓｋｉ，「Ｏｎ  ｔｈｅ  ｓｕｍ  ｒａｔｅ  ｏｆ  ｃｈａｎｎｅｌ  ｓｕｂｓｐａｃｅ  ｆｅｅｄｂａｃｋ  ｆｏｒ  ｍｕｌｔｉ−ａｎｔｅｎｎａ  ｂｒｏａｄｃａｓｔ  ｃｈａｎｎｅｌｓ，」ｉｎ  Ｐｒｏｃ．，ＩＥＥＥ  Ｇｌｏｂｅｃｏｍ，ｖｏｌ．５，ｐｐ．２６９９〜２７０３，Ｎｏｖｅｍｂｅｒ  ２００５。
【０１７４】
［３８］Ｎ．Ｊｉｎｄａｌ，［ＭＩＭＯ  ｂｒｏａｄｃａｓｔ  ｃｈａｎｎｅｌｓ  ｗｉｔｈ  ｆｉｎｉｔｅ−ｒａｔｅ  ｆｅｅｄｂａｃｋ」，ＩＥＥＥ  Ｔｒａｎｓ．ｏｎ  Ｉｎｆｏ．Ｔｈｅｏｒｙ，ｖｏｌ．５２，ｐｐ．５０４５〜６０，Ｎｏｖｅｍｂｅｒ  ２００６。
【０１７５】
［３９］Ｄ．Ｊ．Ｌｏｖｅ，Ｒ．Ｗ．Ｈｅａｔｈ，Ｊｒ．，Ｖ．Ｋ．Ｎ．Ｌａｕ，Ｄ．Ｇｅｓｂｅｒｔ，Ｂ．Ｄ．Ｒａｏ，ａｎｄ  Ｍ．Ａｎｄｒｅｗｓ，「Ａｎ  Ｏｖｅｒｖｉｅｗ  ｏｆ  Ｌｉｍｉｔｅｄ  Ｆｅｅｄｂａｃｋ  ｉｎ  Ｗｉｒｅｌｅｓｓ  Ｃｏｍｍｕｎｉｃａｔｉｏｎ  Ｓｙｓｔｅｍｓ」，ＩＥＥＥ  Ｊｏｕｒｎａｌ  ｏｎ  Ｓｅｌ．Ａｒｅａｓ  ｉｎ  Ｃｏｍｍ．，Ｓｐｅｃｉａｌ  Ｉｓｓｕｅ  ｏｎ  Ｅｘｐｌｏｉｔｉｎｇ  Ｌｉｍｉｔｅｄ  Ｆｅｅｄｂａｃｋ  ｉｎ  Ｔｏｍｏｒｒｏｗ’ｓ  Ｗｉｒｅｌｅｓｓ  Ｃｏｍｍｕｎｉｃａｔｉｏｎ  Ｎｅｔｗｏｒｋｓ，ｖｏｌ．２６，ｎｏ．８，ｐｐ．１３４１〜１３６５，Ｏｃｔ．２００８。
【０１７６】
Ｒ．Ｗ．Ｈｅａｔｈ，Ｊｒ．，Ｄ．Ｊ．Ｌｏｖｅ，Ｖ．Ｋ．Ｎ．Ｌａｕ，Ｄ．Ｇｅｓｂｅｒｔ，Ｂ．Ｄ．Ｒａｏ，ａｎｄ  Ｍ．Ａｎｄｒｅｗｓ，「Ｅｘｐｌｏｉｔｉｎｇ  Ｌｉｍｉｔｅｄ  Ｆｅｅｄｂａｃｋ  ｉｎ  Ｔｏｍｏｒｒｏｗ’ｓ  Ｗｉｒｅｌｅｓｓ  Ｃｏｍｍｕｎｉｃａｔｉｏｎ  Ｎｅｔｗｏｒｋｓ」，ＩＥＥＥ  Ｊｏｕｒｎａｌ  ｏｎ  Ｓｅｌ．Ａｒｅａｓ  Ｉｎ  Ｃｏｍｍ．，Ｓｐｅｃｉａｌ  Ｉｓｓｕｅ  ｏｎ  Ｅｘｐｌｏｉｔｉｎｇ  Ｌｉｍｉｔｅｄ  Ｆｅｅｄｂａｃｋ  ｉｎ  Ｔｏｍｏｒｒｏｗ’ｓ  Ｗｉｒｅｌｅｓｓ  Ｃｏｍｍｕｎｉｃａｔｉｏｎ  Ｎｅｔｗｏｒｋｓ，ｖｏｌ．２６，ｎｏ．８，ｐｐ．１３３７〜１３４０，Ｏｃｔ．２００８。
【０１７７】
［４１］Ｄ．Ｊ．Ｌｏｖｅ，Ｒ．Ｗ．Ｈｅａｔｈ，Ｊｒ．，ａｎｄ  Ｔ．Ｓｔｒｏｈｍｅｒ，「Ｇｒａｓｓｍａｎｎｉａｎ  Ｂｅａｍｆｏｒｍｉｎｇ  ｆｏｒ  Ｍｕｌｔｉｐｌｅ−Ｉｎｐｕｔ  Ｍｕｌｔｉｐｌｅ−Ｏｕｔｐｕｔ  Ｗｉｒｅｌｅｓｓ  Ｓｙｓｔｅｍｓ」，ＩＥＥＥ  Ｔｒａｎｓ．ｏｎ  Ｉｎｆｏ．Ｔｈｅｏｒｙ  ｓｐｅｃｉａｌ  ｉｓｓｕｅ  ｏｎ  ＭＩＭＯ  Ｃｏｍｍｕｎｉｃａｔｉｏｎ，ｖｏｌ．４９，ｐｐ．２７３５〜２７４７，Ｏｃｔ．２００３。
【０１７８】
［４２］Ｃ．Ｂ．Ｃｈａｅ，Ｄ．Ｍａｚｚａｒｅｓｅ，Ｎ．Ｊｉｎｄａｌ  ａｎｄ  Ｒ．Ｗ．Ｈｅａｔｈ，Ｊｒ．，「Ｃｏｏｒｄｉｎａｔｅｄ  Ｂｅａｍｆｏｒｍｉｎｇ  ｗｉｔｈ  Ｌｉｍｉｔｅｄ  Ｆｅｅｄｂａｃｋ  ｉｎ  ｔｈｅ  ＭＩＭＯ  Ｂｒｏａｄｃａｓｔ  Ｃｈａｎｎｅｌ」，ＩＥＥＥ  Ｊｏｕｒｎａｌ  ｏｎ  Ｓｅｌ．Ａｒｅａｓ  ｉｎ  Ｃｏｍｍ．，Ｓｐｅｃｉａｌ  Ｉｓｓｕｅ  ｏｎ  Ｅｘｐｌｏｉｔｉｎｇ  Ｌｉｍｉｔｅｄ  Ｆｅｅｄｂａｃｋ  ｉｎ  Ｔｏｍｏｒｒｏｗ’ｓ  Ｗｉｒｅｌｅｓｓ  Ｃｏｍｍ．Ｎｅｔｗｏｒｋｓ，ｖｏｌ．２６，ｎｏ．８，ｐｐ．１５０５〜１５１５，Ｏｃｔ．２００８。
【０１７９】
［４３］Ａ．Ｐａｕｌｒａｊ，「Ｉｓ  ＯＦＤＭＡ，ＭＩＭＯ  ａｎｄ  ＯＳ  ｔｈｅ  ｒｉｇｈｔ  ｓｔｕｆｆ  ｆｏｒ  ｍｏｂｉｌｅ  ｂｒｏａｄ−ｂａｎｄ？」  ｈｔｔｐ：／／ｗｗｗ．ｉｅｅｅｖｔｃ．ｏｒｇ／ｖｔｃ２００５ｆａｌｌ／ｐｒｅｓｅｎｔａｔｉｏｎｓ／ｐａｕｌｒａｊ．ｐｄｆ，Ｓｅｐｔ．２００５
【０１８０】
［４４］Ｊ．Ｗａｎｎｓｔｒｏｍ，「Ｃａｒｒｉｅｒ  ａｇｇｒｅｇａｔｉｏｎ  ｅｘｐｌａｉｎｅｄ」，３ＧＰＰ
ｈｔｔｐ：／／ｗｗｗ．３ｇｐｐ．ｏｒｇ／Ｃａｒｒｉｅｒ−Ａｇｇｒｅｇａｔｉｏｎ−ｅｘｐｌａｉｎｅｄ
【０１８１】
［４５］３ＧＰＰ，ＴＳ  ３６．８０８，「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｃａｒｒｉｅｒ  Ａｇｇｒｅｇａｔｉｏｎ（Ｒｅｌｅａｓｅ  １０）」，ｖ１０．０．０，Ｊｕｎｅ  ２０１２
【０１８２】
［４６］Ｎｏｋｉａ  Ｓｉｅｍｅｎｓ  Ｎｅｔｗｏｒｋｓ，「２０２０：ｂｅｙｏｎｄ  ４Ｇ，ｒａｄｉｏ  ｅｖｏｌｕｔｉｏｎ  ｆｏｒ  ｔｈｅ  ｇｉｇａｂｉｔ  ｅｘｐｅｒｉｅｎｃｅ」，Ｗｈｉｔｅ  Ｐａｐｅｒ，２０１１，ｗｗｗ．ｎｏｋｉａｓｉｅｍｅｎｓｎｅｔｗｏｒｋｓ．ｃｏｍ
【０１８３】
［４７］Ｓ．Ｍａｒｅｋ，「ＡＴ＆Ｔ’ｓ  Ｒｉｎｎｅ  ｔａｌｋｓ  ａｂｏｕｔ  ｃａｒｒｉｅｒ  ａｇｇｒｅｇａｔｉｏｎ  ｔｒｉａｌｓ，ｓｍａｌｌ  ｃｅｌｌｓ  ａｎｄ  ｍｏｒｅ」，ｈｔｔｐ：／／ｗｗｗ．ｆｉｅｒｃｅｂｒｏａｄｂａｎｄｗｉｒｅｌｅｓｓ．ｃｏｍ／ｓｔｏｒｙ／ａｔｔｓ−ｒｉｎｎｅ−ｔａｌｋｓ−ａｂｏｕｔ−ｃａｒｒｉｅｒ−ａｇｇｒｅｇａｔｉｏｎ−ｔｒｉａｌｓ−ｓｍａｌｌ−ｃｅｌｌｓ−ａｎｄ−ｍｏｒｅ／２０１２−１１−０８
【０１８４】
［４８］Ｍ．Ｒｅｅｄ，「ＩｎｔｅｒｆｅｒｅＸ」，Ｔｅｃｈ２３，２０１１
ｈｔｔｐ：／／ｗｗｗ．ｙｏｕｔｕｂｅ．ｃｏｍ／ｗａｔｃｈ？ｖ＝ＹＰｐＥＬｍ６ｉｉｐ８
【０１８５】
［４９］ＮＩＣＴＡ，「ＩｎｔｅｒｆｅｒｅＸ」，
ｈｔｔｐ：／／ｗｗｗ．ｎｉｃｔａ．ｃｏｍ．ａｕ／ｒｅｓｅａｒｃｈ／ａｒｃｈｉｖｅ／ｒｅｓｅａｒｃｈ＿ｔｈｅｍｅｓ／ｎｅｔｗｏｒｋｅｄ＿ｓｙｓｔｅｍｓ／ｉｎｔｅｒｅｒｅｘ
【０１８６】
［５０］Ｊ．Ｄｕｐｌｉｃｉｔｙ，ｅｔ  ａｌ．，「ＭＵ−ＭＩＭＯ  ｉｎ  ＬＴＥ  ｓｙｓｔｅｍｓ」，ＥＵＲＡＳＩＰ  Ｊｏｕｒｎａｌ  ｏｎ  Ｗｉｒｅｌｅｓｓ  Ｃｏｍｍｕｎｉｃａｔｉｏｎｓ  ａｎｄ  Ｎｅｔｏｗｒｋｉｎｇ，Ｍａｒ．２０１１
【０１８７】
［５１］Ｓ．Ｆｅｎｇ  ａｎｄ  Ｅ．Ｓｅｉｄｅｌ，「Ｓｅｌｆ−ｏｒｇａｎｉｚｉｎｇ  ｎｅｔｗｏｒｋｓ（ＳＯＮ）ｉｎ  ３ＧＰＰ  ＬＴＥ」，Ｎｏｍｏｒ  ｒｅｓｅａｒｃｈ，Ｍａｙ  ２００８
【０１８８】
［５２］ＮＥＣ，「Ｓｅｌｆ  ｏｒｇａｎｉｚｉｎｇ  ｎｅｔｗｏｒｋｓ」，Ｗｈｉｔｅ  ｐａｐｅｒ，Ｆｅｂ．２００９
【０１８９】
［５３］Ｕ．Ｓ．Ｐａｔｅｎｔ  Ｎｏ．５，８０９，４２２，ｉｓｓｕｅｄ  Ｓｅｐｔｅｍｂｅｒ  １５，１９９８，ｅｎｔｉｔｌｅｄ「Ｄｉｓｔｒｉｂｕｔｅｄ  ｍｉｃｒｏｃｅｌｌｕｌａｒ  ｃｏｍｍｕｎｉｃａｔｉｏｎｓ  ｓｙｓｔｅｍ」，Ｇ．Ｒ．Ｒａｌｅｉｇｈ，Ｍ．Ａ．Ｐｏｌｌａｃｋ
【０１９０】
［５４］Ｇ．Ｊ．Ｆｏｓｃｈｉｎｉ，Ｈ．Ｃ．Ｈｕａｎｇ，Ｋ．Ｋａｒａｋａｙａｌｉ，Ｒ．Ａ．Ｖａｌｅｎｚｕｅｌａ，ａｎｄ  Ｓ，Ｖｅｎｋａｔｅｓａｎ．Ｔｈｅ  Ｖａｌｕｅ  ｏｆ  Ｃｏｈｅｒｅｎｔ  Ｂａｓｅ  Ｓｔａｔｉｏｎ  Ｃｏｏｒｄｉｎａｔｉｏｎ．Ｉｎ  Ｃｏｎｆｅｒｅｎｃｅ  ｏｎ  Ｉｎｆｏｒｍａｔｉｏｎ  Ｓｃｉｅｎｃｅｓ  ａｎｄ  Ｓｙｓｔｅｍｓ（ＣＩＳＳ  ２００５），Ｍａｒ．２００５。
【０１９１】
［５５］Ｍ．Ｋ．Ｋａｒａｋａｙａｌｉ，Ｇ．Ｊ．Ｆｏｓｃｈｉｎｉ，Ｒ．Ａ．Ｖａｌｅｎｚｕｅｌａ，ａｎｄ  Ｒ．Ｄ．Ｙａｔｅｓ，「Ｏｎ  ｔｈｅ  ｍａｘｉｍｕｍ  ｃｏｍｍｏｎ  ｒａｔｅ  ａｃｈｉｅｖａｂｌｅ  ｉｎ  ａ  ｃｏｏｒｄｉｎａｔｅｄ  ｎｅｔｗｏｒｋ」，Ｐｒｏｃ．ｏｆ  ｔｈｅ  Ｉｎｔ’ｌ  Ｃｏｎｆ．ｏｎ  Ｃｏｍｍｕｎｉｃａｔｉｏｎｓ（ＩＣＣ’０６），ｖｏｌ．９，ｐｐ．４３３３〜４３３８，Ｊｕｎｅ  ２００６。
【０１９２】
［５６］Ｍ．Ｋ．Ｋａｒａｋａｙａｌｉ，Ｇ．Ｊ．Ｆｏｓｃｈｉｎｉ，ａｎｄ  Ｒ．Ａ．Ｖａｌｅｎｚｕｅｌａ，「Ｎｅｔｗｏｒｋ  ｃｏｏｒｄｉｎａｔｉｏｎ  ｆｏｒ  ｓｐｅｃｔｒａｌｌｙ  ｅｆｆｉｃｉｅｎｔ  ｃｏｍｍｕｎｉｃａｔｉｏｎｓ  ｉｎ  ｃｅｌｌｕｌａｒ  ｓｙｓｔｅｍｓ」，ＩＥＥＥ  Ｗｉｒｅｌｅｓｓ  Ｃｏｍｍｕｎｉｃａｔｉｏｎｓ  Ｍａｇａｚｉｎｅ，ｖｏｌ．１３，ｎｏ．４，ｐｐ．５６〜６１，Ａｕｇ．２００６。
【０１９３】
［５７］Ｇ．Ｊ．Ｆｏｓｃｈｉｎｉ，Ｍ．Ｋ．Ｋａｒａｋａｙａｌｉ，ａｎｄ  Ｒ．Ａ．Ｖａｌｅｎｚｕｅｌａ，「Ｃｏｏｒｄｉｎａｔｉｎｇ  ｍｕｌｔｉｐｌｅ  ａｎｔｅｎｎａ  ｃｅｌｌｕｌａｒ  ｎｅｔｗｏｒｋｓ  ｔｏ  ａｃｈｉｅｖｅ  ｅｎｏｒｍｏｕｓ  ｓｐｅｃｔｒａｌ  ｅｆｆｉｃｉｅｎｃｙ」，Ｐｒｏｃｅｅｄｉｎｇｓ  ｏｆ  ｔｈｅ  ＩＥＥＥ，ｖｏｌ．１５３，ｎｏ．４，ｐｐ．５４８〜５５５，Ａｕｇ．２００６。
【０１９４】
［５８］Ｓ．Ｖｅｎｋａｔｅｓａｎ，Ａ．Ｌｏｚａｎｏ，ａｎｄ  Ｒ．Ｖａｌｅｎｚｕｅｌａ，「Ｎｅｔｗｏｒｋ  ＭＩＭＯ：ｏｖｅｒｃｏｍｉｎｇ  ｉｎｔｅｒ−ｃｅｌｌ  ｉｎｔｅｒｆｅｒｅｎｃｅ  ｉｎ  ｉｎｄｏｏｒ  ｗｉｒｅｌｅｓｓ  ｓｙｓｔｅｍｓ」，Ｐｒｏｃ．ｏｆ  Ａｓｉｌｏｍａｒ  ｃｏｎｆ．，ｐｐ．８３〜８７，Ｎｏｖ．２００７
【０１９５】
［５９］Ｓ．Ｖｅｎｋａｔｅｓａｎ，Ｈ．Ｈｕａｎｇ，Ａ．Ｌｏｚａｎｏ，ａｎｄ  Ｒ．Ｖａｌｅｎｚｕｅｌａ，「Ａ  ＷｉＭＡＸ−ｂａｓｅｄ  ｉｍｐｌｅｍｅｎｔａｔｉｏｎ  ｏｆ  ｎｅｔｗｏｒｋ  ＭＩＭＯ  ｆｏｒ  ｉｎｄｏｏｒ  ｗｉｒｅｌｅｓｓ  ｓｙｓｔｅｍｓ」，ＥＵＲＡＳＩＰ  Ｊｏｕｒｎａｌ  ｏｎ  Ａｄｖａｎｃｅｓ  ｉｎ  Ｓｉｇｎａｌ  Ｐｒｏｃｅｓｓｉｎｇ，Ｓｅｐ．２００９
【０１９６】
［６０］Ｙ．Ｌｉａｎｇ，Ｒ．Ｖａｌｅｎｚｕｅｌａ，Ｇ．Ｆｏｓｃｈｉｎｉ，Ｄ．Ｃｈｉｚｈｉｋ，ａｎｄ  Ａ．Ｇｏｌｄｓｍｉｔｈ，「Ｉｎｔｅｒｆｅｒｅｎｃｅ  ｓｕｐｐｒｅｓｓｉｏｎ  ｉｎ  ｗｉｒｅｌｅｓｓ  ｃｅｌｌｕｌａｒ  ｎｅｔｗｏｒｋｓ  ｔｈｒｏｕｇｈ  ｐｉｃｏｃｅｌｌｓ」，ＡＣＳＳＣ，ｐｐ．１０４１〜１０４５，Ｎｏｖ．２００７
【０１９７】
［６１］Ａ．Ｐａｐａｄｏｇｉａｎｎｉｓ，Ｈ．Ｊ．Ｂａｎｇ，Ｄ．Ｇｅｓｂｅｒｔ，ａｎｄ  Ｅ．Ｈａｒｄｏｕｉｎ，「Ｅｆｆｉｃｉｅｎｔ  ｓｅｌｅｃｔｉｖｅ  ｆｅｅｄｂａｃｋ  ｄｅｓｉｇｎ  ｆｏｒ  ｍｕｌｔｉｃｅｌｌ  ｃｏｏｐｅｒａｔｉｖｅ  ｎｅｔｗｏｒｋｓ」，ＩＥＥＥ  Ｔｒａｎｓ．Ｏｎ  Ｖｅｈｉｃｕｌａｒ  Ｔｅｃｈｎ．，ｐｐ．１９６〜２０５，ｖｏｌ．６０，ｎ．１，Ｊａｎ．２０１１
【０１９８】
［６２］Ｉ．Ｆ．Ａｋｙｉｌｄｉｚ，Ｄ．Ｍ．Ｇｕｔｅｒｒｅｚ−Ｅｓｔｅｖｅｚ，Ｅ．Ｃ．Ｒｅｙｅｓ，「Ｔｈｅ  ｅｖｏｌｕｔｉｏｎ  ｔｏ  ４Ｇ  ｃｅｌｌｕｌａｒ  ｓｙｓｔｅｍｓ：ＬＴＥ−Ａｄｖａｎｃｅｄ」，Ｐｈｙｓｉｃａｌ  Ｃｏｍｍ．，Ｅｌｓｅｖｉｅｒ，ｐｐ．２１７〜２４４，２０１０。
【０１９９】
［６３］Ａ．Ｂａｒｂｉｅｒｉ，Ｐ．Ｇａａｌ，Ｓ．Ｇｅｉｒｈｏｆｅｒ，Ｔ．Ｊｉ，Ｄ．Ｍａｌｌａｄｉ，Ｙ．Ｗｅｉ，ａｎｄ  Ｆ．Ｘｕｅ，「Ｃｏｏｒｄｉｎａｔｅｄ  ｄｏｗｎｌｉｎｋ  ｍｕｌｔｉ−ｐｏｉｎｔ  ｃｏｍｍｕｎｉｃａｔｉｏｎｓ  ｉｎ  ｈｅｔｅｒｏｇｅｎｅｏｕｓ  ｃｅｌｌｕｌａｒ  ｎｅｔｗｏｒｋｓ」，（Ｑｕａｌｃｏｍｍ），Ｉｎｆｏｒｍａｔｉｏｎ  Ｔｈｅｏｒｙ  ａｎｄ  Ａｐｐ．Ｗｏｒｋｓｈｏｐ，ｐｐ．７〜１６，Ｆｅｂ．２０１２
【０２００】
［６４］Ｓ．Ｐａｒｋｖａｌｌ，Ｅ．Ｄａｈｌｍａｎ，Ａ．Ｆｕｒｕｓｋａｒ，Ｙ．Ｊａｄｉｎｇ，Ｍ．Ｏｌｓｓｏｎ，Ｓ．Ｗａｎｓｔｅｄｔ，ａｎｄ  Ｋ．Ｚａｎｇｉ，「ＬＴＥ−Ａｄｖａｎｃｅｄ−ｅｖｏｌｖｉｎｇ  ＬＴＥ  ｔｏｗａｒｄｓ  ＩＭＴ−Ａｄｖａｎｃｅｄ」，（Ｅｒｉｃｓｓｏｎ）ＩＥＥＥ  ＶＴＣ，ｐｐ．１〜５，Ｓｅｐ．２００８
【０２０１】
［６５］Ｒ．Ａ．Ｍｏｎｚｉａｎｏ  ａｎｄ  Ｔ．Ｗ．Ｍｉｌｌｅｒ，Ｉｎｔｒｏｄｕｃｔｉｏｎ  ｔｏ  Ａｄａｐｔｉｖｅ  Ａｒｒａｙｓ，Ｎｅｗ  Ｙｏｒｋ：Ｗｉｌｅｙ，１９８０。
【０２０２】
［６６］Ｋ．Ｋ．Ｗｏｎｇ，Ｒ．Ｄ．Ｍｕｒｃｈ，ａｎｄ  Ｋ．Ｂ．Ｌｅｔａｉｅｆ，「Ａ  ｊｏｉｎｔ  ｃｈａｎｎｅｌ  ｄｉａｇｏｎａｌｉｚａｔｉｏｎ  ｆｏｒ  ｍｕｌｔｉｕｓｅｒ  ＭＩＭＯ  ａｎｔｅｎｎａ  ｓｙｓｔｅｍｓ」，ＩＥＥＥ  Ｔｒａｎｓ．Ｗｉｒｅｌｅｓｓ  Ｃｏｍｍ．，ｖｏｌ．２，ｐｐ．７７３〜７８６，Ｊｕｌ  ２００３；
【０２０３】
［６７］Ｒ．Ｃｈｅｎ，Ｒ．Ｗ．Ｈｅａｔｈ，Ｊｒ．，ａｎｄ  Ｊ．Ｇ．Ａｎｄｒｅｗｓ，「Ｔｒａｎｓｍｉｔ  Ｓｅｌｅｃｔｉｏｎ  Ｄｉｖｅｒｓｉｔｙ  ｆｏｒ  Ｕｎｉｔａｒｙ  Ｐｒｅｃｏｄｅｄ  Ｍｕｌｔｉｕｓｅｒ  Ｓｐａｔｉａｌ  Ｍｕｌｔｉｐｌｅｘｉｎｇ  Ｓｙｓｔｅｍｓ  ｗｉｔｈ  Ｌｉｎｅａｒ  Ｒｅｃｅｉｖｅｒｓ」，ＩＥＥＥ  Ｔｒａｎｓ．ｏｎ  Ｓｉｇｎａｌ  Ｐｒｏｃ．，ｖｏｌ．５５，ｎｏ．３，ｐｐ．１１５９〜１１７１，Ｍａｒ．２００７。
【０２０４】
［６８］Ｍ．Ｃｏｓｔａ，「Ｗｒｉｔｉｎｇ  ｏｎ  ｄｉｒｔｙ  ｐａｐｅｒ」，ＩＥＥＥ  Ｔｒａｎｓａｃｔｉｏｎｓ  ｏｎ  Ｉｎｆｏｒｍａｔｉｏｎ  Ｔｈｅｏｒｙ，Ｖｏｌ．２９，Ｎｏ．３，Ｐａｇｅ（ｓ）：４３９〜４４１，Ｍａｙ  １９８３。
【０２０５】
［６９］Ｇ．Ｃａｉｒｅ  ａｎｄ  Ｓ．Ｓｈａｍａｉ，「Ｏｎ  ｔｈｅ  ａｃｈｉｅｖａｂｌｅ  ｔｈｒｏｕｇｈｐｕｔ  ｏｆ  ａ  ｍｕｌｔｉａｎｔｅｎｎａ  Ｇａｕｓｓｉａｎ  ｂｒｏａｄｃａｓｔ  ｃｈａｎｎｅｌ」，ＩＥＥＥ  Ｔｒａｎｓ．Ｉｎｆｏ．Ｔｈ．，ｖｏｌ．４９，ｐｐ．１６９１〜１７０６，Ｊｕｌｙ  ２００３。
【０２０６】
［７０］Ｎ．Ｊｉｎｄａｌ  ＆  Ａ．Ｇｏｌｄｓｍｉｔｈ，「Ｄｉｒｔｙ  Ｐａｐｅｒ  Ｃｏｄｉｎｇ  ｖｓ．ＴＤＭＡ  ｆｏｒ  ＭＩＭＯ  Ｂｒｏａｄｃａｓｔ  Ｃｈａｎｎｅｌｓ」，ＩＥＥＥ  Ｔｒａｎｓ．ｏｎ  Ｉｎｆｏ．Ｔｈｅｏｒｙ，ｖｏｌ．５１，ｐｐ．１７８３〜１７９４，Ｍａｙ  ２００５。
【０２０７】
［７１］Ｍ．Ｔｏｍｌｉｎｓｏｎ，「Ｎｅｗ  ａｕｔｏｍａｔｉｃ  ｅｑｕａｌｉｚｅｒ  ｅｍｐｌｏｙｉｎｇ  ｍｏｄｕｌｏ  ａｒｉｔｈｍｅｔｉｃ」，Ｅｌｅｃｔｒｏｎｉｃｓ  Ｌｅｔｔｅｒｓ，Ｐａｇｅ（ｓ）：１３８〜１３９，Ｍａｒｃｈ  １９７１。
【０２０８】
［７２］Ｈ．Ｍｉｙａｋａｗａ  ａｎｄ  Ｈ．Ｈａｒａｓｈｉｍａ，「Ａ  ｍｅｔｈｏｄ  ｏｆ  ｃｏｄｅ  ｃｏｎｖｅｒｓｉｏｎ  ｆｏｒ  ｄｉｇｉｔａｌ  ｃｏｍｍｕｎｉｃａｔｉｏｎ  ｃｈａｎｎｅｌｓ  ｗｉｔｈ  ｉｎｔｅｒｓｙｍｂｏｌ  ｉｎｔｅｒｆｅｒｅｎｃｅ，」Ｔｒａｎｓ．ｏｆ  ｔｈｅ  Ｉｎｓｔ．ｏｆ  Ｅｌｅｃｔｒｏｎｉｃ
【０２０９】
［７３］Ｕ．Ｅｒｅｚ，Ｓ．Ｓｈａｍａｉ（Ｓｈｉｔｚ），ａｎｄ  Ｒ．Ｚａｍｉｒ，「Ｃａｐａｃｉｔｙ  ａｎｄ  ｌａｔｔｉｃｅ−ｓｔｒａｔｅｇｉｅｓ  ｆｏｒ  ｃａｎｃｅｌｌｉｎｇ  ｋｎｏｗｎ  ｉｎｔｅｒｆｅｒｅｎｃｅ」，Ｐｒｏｃｅｅｄｉｎｇｓ  ｏｆ  Ｉｎｔｅｒｎａｔｉｏｎａｌ  Ｓｙｍｐｏｓｉｕｍ  ｏｎ  Ｉｎｆｏｒｍａｔｉｏｎ  Ｔｈｅｏｒｙ，Ｈｏｎｏｌｕｌｕ，Ｈａｗａｉｉ，Ｎｏｖ．２０００。
【０２１０】
［７４］Ｗ．Ｙｕ  ａｎｄ  Ｊ．Ｍ．Ｃｉｏｆｆｉ，「Ｔｒｅｌｌｉｓ  Ｐｒｅｃｏｄｉｎｇ  ｆｏｒ  ｔｈｅ  Ｂｒｏａｄｃａｓｔ  Ｃｈａｎｎｅｌ」，ＩＥＥＥ  Ｇｌｏｂｅｃｏｍ，ｖｏｌ．２，ｐｐ．１３４４〜１３４８，２００１
【０２１１】
［７５］Ｂ．Ｍ．Ｈｏｃｈｗａｌｄ，Ｃ．Ｂ．Ｐｅｅｌ，ａｎｄ  Ａ．Ｌ．Ｓｗｉｎｄｌｅｈｕｒｓｔ，「Ａ  Ｖｅｃｔｏｒ−Ｐｅｒｔｕｒｂａｔｉｏｎ  Ｔｅｃｈｎｉｑｕｅ  ｆｏｒ  Ｎｅａｒ−Ｃａｐａｃｉｔｙ  Ｍｕｌｔｉａｎｔｅｎｎａ  Ｍｕｌｔｉｕｓｅｒ  Ｃｏｍｍｕｎｉｃａｔｉｏｎ−Ｐａｒｔ  Ｉ：Ｃｈａｎｎｅｌ  Ｉｎｖｅｒｓｉｏｎ  ａｎｄ  Ｒｅｇｕｌａｒｉｚａｔｉｏｎ」，ＩＥＥＥ  Ｔｒａｎｓ．Ｏｎ  Ｃｏｍｍｕｎｉｃａｔｉｏｎｓ，ｖｏｌ．５３，ｎ．１，ｐｐ．１９５〜２０２，Ｊａｎ．２００５
【０２１２】
［７６］Ｂ．Ｍ．Ｈｏｃｈｗａｌｄ，Ｃ．Ｂ．Ｐｅｅｌ，ａｎｄ  Ａ．Ｌ．Ｓｗｉｎｄｌｅｈｕｒｓｔ，「Ａ  Ｖｅｃｔｏｒ−Ｐｅｒｔｕｒｂａｔｉｏｎ  Ｔｅｃｈｎｉｑｕｅ  ｆｏｒ  Ｎｅａｒ−Ｃａｐａｃｉｔｙ  Ｍｕｌｔｉａｎｔｅｎｎａ  Ｍｕｌｔｉｕｓｅｒ  Ｃｏｍｍｕｎｉｃａｔｉｏｎ−Ｐａｒｔ  ＩＩ：Ｐｅｒｔｕｒｂａｔｉｏｎ」，ＩＥＥＥ  Ｔｒａｎｓ．Ｏｎ  Ｃｏｍｍｕｎｉｃａｔｉｏｎｓ，ｖｏｌ．５３，ｎ．３，ｐｐ．５３７〜５４４，Ｍａｒ．２００５
【０２１３】
［７７］Ｓ．Ｐｅｒｌｍａｎ  ａｎｄ  Ａ．Ｆｏｒｅｎｚａ，「Ｄｉｓｔｒｉｂｕｔｅｄ−ｉｎｐｕｔ  ｄｉｓｔｒｉｂｕｔｅｄ−ｏｕｔｐｕｔ（ＤＩＤＯ）ｗｉｒｅｌｅｓｓ  ｔｅｃｈｎｏｌｏｇｙ：ａ  ｎｅｗ  ａｐｐｒｏａｃｈ  ｔｏ  ｍｕｌｔｉｕｓｅｒ  ｗｉｒｅｌｅｓｓ」，Ｒｅａｒｄｅｎ  Ｌａｂｓ  Ｗｈｉｔｅ  Ｐａｐｅｒ，Ｊｕｌｙ  ２０１１，ｈｔｔｐ：／／ｗｗｗ．ｒｅａｒｄｅｎｗｉｒｅｌｅｓｓ．ｃｏｍ／１１０７２７−ＤＩＤＯ−Ａ％２０Ｎｅｗ％２０Ａｐｐｒｏａｃｈ％２０ｔｏ％２０Ｍｕｌｔｉｕｓｅｒ％２０Ｗｉｒｅｌｅｓｓ．ｐｄｆ
【０２１４】
［７８］Ａ．Ｖａｎｃｅ，「Ｓｔｅｖｅ  Ｐｅｒｌｍａｎ’ｓ  ｗｉｒｅｌｅｓｓ  ｆｉｘ」，Ｂｕｓｉｎｅｓｓｗｅｅｋ，Ｊｕｌｙ  ２０１１  ｈｔｔｐ：／／ｗｗｗ．ｂｕｓｉｎｅｓｓｗｅｅｋ．ｃｏｍ／ｍａｇａｚｉｎｅ／ｔｈｅ−ｅｄｉｓｏｎ−ｏｆ−ｓｉｌｉｃｏｎ−ｖａｌｌｅｙ−０７２７２０１１．ｈｔｍｌ
【０２１５】
［７９］Ｍ．Ｌｉｎｄｓｔｒｏｍ（Ｅｒｉｃｓｓｏｎ），「ＬＴＥ−Ａｄｖａｎｃｅｄ  Ｒａｄｉｏ  Ｌａｙｅｒ  ２  ａｎｄ  ＲＲＣ  ａｓｐｅｃｔｓ」，３ＧＰＰ  ＴＳＧ−ＲＡＮ  ＷＧ２
【０２１６】
［８０］Ａｎｒｉｔｓｕ，「ＬＴＥ  ｒｅｓｏｕｒｃｅ  ｇｕｉｄｅ」，ｗｗｗ．ｕｓ．ａｎｒｉｔｓｕ．ｃｏｍ
【０２１７】
［８１］３ＧＰＰ，「Ｓｐａｔｉａｌ  Ｃｈａｎｎｅｌ  Ｍｏｄｅｌ  ＡＨＧ（Ｃｏｍｂｉｎｅｄ  ａｄ−ｈｏｃ  ｆｒｏｍ  ３ＧＰＰ  ＆  ３ＧＰＰ２）」，ＳＣＭ  Ｔｅｘｔ  Ｖ６．０，Ａｐｒｉｌ  ２２，２００３
【０２１８】
［８２］Ｊ．Ｌｅｅ，「Ｉｎｔｒｏｄｕｃｔｉｏｎ  ｏｆ  ＬＴＥ−Ａｄｖａｎｃｅｄ  ＤＬ／ＵＬ  ＭＩＭＯ」，Ｓａｍｓｕｎｇ  Ｅｌｅｃｔｒｏｎｉｃｓ，Ｓｅｐ．２００９
【０２１９】
［８３］Ｅ．Ｄａｈｌｍａｎ，Ｓ．Ｐａｒｋｖａｌｌ  ａｎｄ  Ｊ．Ｓｋｏｌｄ，「４Ｇ：ＬＴＥ／ＬＴＥ−Ａｄｖａｎｃｅｄ  ｆｏｒ  ｍｏｂｉｌｅ  ｂｒｏａｄｂａｎｄ」，Ｅｌｓｅｖｉｅｒ，２０１１。
【０２２０】
［８４］Ｊ．Ｓｙｒｅｎ，「Ｏｖｅｒｖｉｅｗ  ｏｎ  ｔｈｅ  ３ＧＰＰ  ｌｏｎｇ  ｔｅｒｍ  ｅｖｏｌｕｔｉｏｎ  ｐｈｙｓｉｃａｌ  ｌａｙｅｒ」，Ｆｒｅｅｓｃａｌｅ  Ｗｈｉｔｅ  Ｐａｐｅｒ，Ｊｕｌｙ  ２００７
【０２２１】
［８５］Ｍ．Ｂａｋｅｒ，「ＬＴＥ−Ａｄｖａｎｃｅｄ  ｐｈｙｓｉｃａｌ  ｌａｙｅｒ」，Ａｌｃａｔｅｌ−Ｌｕｃｅｎｔ，Ｄｅｃ．２００９
【０２２２】
［８６］Ｊ．Ｘｕ，「ＬＴＥ−Ａｄｖａｎｃｅｄ  ｓｉｇｎａｌ  ｇｅｎｅｒａｔｉｏｎ  ａｎｄ  ｍｅａｓｕｒｅｍｅｎｔｓ  ｕｓｉｎｇ  ＳｙｓｔｅｍＶｕｅ」，Ａｇｉｌｅｎｔ  Ｔｅｃｈｎｏｌｏｇｉｅｓ
【０２２３】
［８７］Ｘ．Ｈｏｕ  ａｎｄ  Ｈ．Ｋａｙａｍａ，「Ｄｅｍｏｄｕｌａｔｉｏｎ  ｒｅｆｅｒｅｎｃｅ  ｓｉｇｎａｌ  ｄｅｓｉｇｎ  ａｎｄ  ｃｈａｎｎｅｌ  ｅｓｔｉｍａｔｉｏｎ  ｆｏｒ  ＬＴＥ−Ａｄｖａｎｃｅｄ  ｕｐｌｉｎｋ」，ＤＯＣＯＭＯ，Ａｄｖ．ｉｎ  Ｖｅｈｉｃ．Ｎｅｔｗ．Ｔｅｃｈ．，Ａｐｒ．２０１１
【０２２４】
［８８］Ｄ．Ｃ．Ｃｈｕ，「Ｐｏｌｙｐｈａｓｅ  ｃｏｄｅｓ  ｗｉｔｈ  ｇｏｏｄ  ｐｅｒｉｏｄｉｃ  ｃｏｒｒｅｌａｔｉｏｎ  ｐｒｏｐｅｒｔｉｅｓ」，ＩＥＥＥ  Ｔｒａｎｓ．Ｉｎｆｏ．Ｔｈｅｏｒｙ，ｖｏｌ．１８，ｎ．４，ｐｐ．５３１〜５３２，Ｊｕｌｙ  １９７２。
【０２２５】
［８９］Ａ．Ｌｏｚａｎｏ，Ｒ．Ｗ．Ｈｅａｔｈ  ａｎｄ  Ｊ．Ａｎｄｒｅｗｓ，「Ｆｕｎｄａｍｅｎｔａｌ  ｌｉｍｉｔｓ  ｏｆ  ｃｏｏｐｅｒａｔｉｏｎ」，Ｍａｒ．２０１２．ｈｔｔｐ：／／ａｒｘｉｖ．ｏｒｇ／ｐｄｆ／１２０４．００１１．ｐｄｆ
【０２２６】
［９０］Ｊ．Ｇ．Ａｎｄｒｅｗｓ，「Ｓｅｖｅｎ  ｗａｙｓ  ｔｈａｔ  ＨｅｔＮｅｔ  ａｒｅ  ａ  ｃｅｌｌｕｌａｒ  ｐａｒａｄｉｇｍ  ｓｈｉｆｔ」
ｈｔｔｐ：／／ｕｓｅｒｓ．ｅｃｅ．ｕｔｅｘａｓ．ｅｄｕ／〜ｊａｎｄｒｅｗｓ／ｐｕｂｓ／Ａｎｄ＿ＨｅｔＮｅｔ＿ＣｏｍｍＭａｇ２０１２＿ｖ３．ｐｄｆ
【図１】
2019216477.tif 000003
【図２ａ】
2019216477.tif 000004
【図２ｂ】
2019216477.tif 000005
【図２ｃ】
2019216477.tif 000006
【図３】
2019216477.tif 000007
【図４】
2019216477.tif 000008
【図５】
2019216477.tif 000009
【図６】
2019216477.tif 000010
【図７ａ】
2019216477.tif 000011
【図７ｂ】
2019216477.tif 000012
【図８ａ】
2019216477.tif 000013
【図８ｂ】
2019216477.tif 000014
【図９】
2019216477.tif 000015
【図１０】
2019216477.tif 000016
【図１１】
2019216477.tif 000017
【図１２】
2019216477.tif 000018
【図１３】
2019216477.tif 000019
【図１４】
2019216477.tif 000020
【図１５】
2019216477.tif 000021
【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
マルチユーザ（ＭＵ）送信を有する複数アンテナシステム（ＭＡＳ）（「ＭＵ−ＭＡＳ」）であって、
すべてが同一のセル識別子（セルＩＤ）を共有する、セルのないカバレッジ領域の全体にわたって配置された複数のアンテナ又は無線送受信装置（ＢＴＳｓ）と、
前記ＢＴＳｓに通信的に連結された複数の無線ユーザ装置（ＵＥｓ）と、を含み、
前記ＭＵ−ＭＡＳは、前記ＵＥｓとＢＴＳｓの間の空間ダイバーシティに基づいてダウンリンク及びアップリンクデータ通信のための第１のＵＥｓのサブセットを選択し、
前記ＭＵ−ＭＡＳは、前記ＢＴＳｓの間の干渉を利用して同じ周波数帯内で前記ＢＴＳｓと前記第１のＵＥｓのサブセットの間に制御チャネルリンクを含む複数の同時の非干渉ダウンリンク（ＤＬ）又はアップリンク（ＵＬ）データリンクを生成する空間処理ユニットを含む、システム。
【請求項２】
マルチユーザ（ＭＵ）送信を有する複数アンテナシステム（ＭＡＳ）（「ＭＵ−ＭＡＳ」）であって、
すべてが同一のセル識別子（セルＩＤ）を共有する、セルのないカバレッジ領域の全体にわたって配置された複数のアンテナ又は無線送受信装置（ＢＴＳｓ）と、
前記ＢＴＳｓに通信的に連結された複数の無線ユーザ装置（ＵＥｓ）と、を含み、
前記ＭＵ−ＭＡＳは、前記ＵＥｓとＢＴＳｓの間の空間ダイバーシティに基づいてダウンリンク及びアップリンクデータ通信のための第１のＢＴＳｓのサブセットを選択し、
前記ＭＵ−ＭＡＳは、前記ＢＴＳｓの間の干渉を利用して同じ周波数帯内で前記第１のＢＴＳｓのサブセットと前記ＵＥｓの間に制御チャネルリンクを含む複数の同時の非干渉ダウンリンク（ＤＬ）又はアップリンク（ＵＬ）データリンクを生成する空間処理ユニットを含む、システム。
【請求項３】
マルチユーザ（ＭＵ）送信を有する複数アンテナシステム（ＭＡＳ）（「ＭＵ−ＭＡＳ」）であって、
すべてが同一のセル識別子（セルＩＤ）を共有する、セルのないカバレッジ領域の全体にわたって配置された複数のアンテナ又は無線送受信装置（ＢＴＳｓ）と、
前記ＢＴＳｓに通信的に連結された複数の無線ユーザ装置（ＵＥｓ）と、を含み、
前記ＭＵ−ＭＡＳは、前記ＵＥｓとＢＴＳｓの間の空間ダイバーシティに基づいてダウンリンク及びアップリンクデータ通信のための第１のＵＥｓのサブセット及び第１のＢＴＳｓのサブセットを選択し、
前記ＭＵ−ＭＡＳは、前記ＢＴＳｓの間の干渉を利用して同じ周波数帯内で前記第１のＵＥｓのサブセットと前記第１のＢＴＳｓのサブセットの間に制御チャネルリンクを含む複数の同時の非干渉ダウンリンク（ＤＬ）又はアップリンク（ＵＬ）データリンクを生成する空間処理ユニットを含む、システム。
【請求項４】
無線ネットワークシステムであって、
処理ユニットに通信的に連結されたカバレッジ領域の全体にわたって配置された複数のアンテナ又は無線送受信装置（ＢＴＳｓ）と、
前記ＢＴＳｓに通信的に連結された複数の無線ユーザ装置（ＵＥｓ）と、
第１のＵＥｓのサブセットとＢＴＳｓの間の空間ダイバーシティに基づいて同時のデータ通信のための前記第１のＵＥｓのサブセットを選択する前記処理ユニットと、
を含む、システム。
【請求項５】
無線ネットワークシステムであって、
処理ユニットに通信的に連結されたカバレッジ領域の全体にわたって配置された複数のアンテナ又は無線送受信装置（ＢＴＳｓ）と、
前記ＢＴＳｓに通信的に連結された複数の無線ユーザ装置（ＵＥｓ）と、
前記ＵＥｓと第１のＢＴＳｓのサブセットの間の空間ダイバーシティに基づいて同時のデータ通信のための前記第１のＢＴＳｓのサブセットを選択する前記処理ユニットと、
を含む、システム。
【請求項６】
無線ネットワークシステムであって、
処理ユニットに通信的に連結されたカバレッジ領域の全体にわたって配置された複数のアンテナ又は無線送受信装置（ＢＴＳｓ）と、
前記ＢＴＳｓに通信的に連結された複数の無線ユーザ装置（ＵＥｓ）と、
第１のＵＥｓのサブセットと第１のＢＴＳｓのサブセットの間の空間ダイバーシティに基づいて同時の無線通信のための前記第１のＵＥｓのサブセット及び前記第１のＢＴＳｓのサブセットを選択する前記処理ユニットと、
を含む、システム。
【請求項７】
無線電力伝送システムであって、
処理ユニットに通信的に連結されたカバレッジ領域の全体にわたって配置された複数のアンテナ又は無線送受信装置（ＢＴＳｓ）と、
前記ＢＴＳｓに通信的に連結された複数の無線ユーザ装置（ＵＥｓ）と、
第１のＵＥｓのサブセットとＢＴＳｓの間の空間ダイバーシティに基づいて同時の無線電力伝送のための前記第１のＵＥｓのサブセットを選択する前記処理ユニットと、
を含む、システム。
【請求項８】
無線電力伝送システムであって、
処理ユニットに通信的に連結されたカバレッジ領域の全体にわたって配置された複数のアンテナ又は無線送受信装置（ＢＴＳｓ）と、
前記ＢＴＳｓに通信的に連結された複数の無線ユーザ装置（ＵＥｓ）と、
ＵＥｓと第１のＢＴＳｓのサブセットの間の空間ダイバーシティに基づいて同時の無線電力伝送のための前記第１のＢＴＳｓのサブセットを選択する前記処理ユニットと、
を含む、システム。
【請求項９】
無線電力伝送システムであって、
処理ユニットに通信的に連結されたカバレッジ領域の全体にわたって配置された複数のアンテナ又は無線送受信装置（ＢＴＳｓ）と、
前記ＢＴＳｓに通信的に連結された複数の無線ユーザ装置（ＵＥｓ）と、
第１のＵＥｓのサブセットと第１のＢＴＳｓのサブセットの間の空間ダイバーシティに基づいて同時の無線電力伝送のための前記第１のＵＥｓのサブセット及び前記第１のＢＴＳｓのサブセットを選択する前記処理ユニットと、
を含む、システム。
【請求項１０】
前記ＭＵ−ＭＡＳは、前記第１のＵＥｓのサブセットを選択してデータ通信をスケジュールする、請求項１に記載のシステム。
【請求項１１】
前記ＭＵ−ＭＡＳのデータ通信容量は、前記複数のＵＥｓの間で共有される、請求項１に記載のシステム。
【請求項１２】
前記ＭＵ−ＭＡＳは、前記ＭＵ−ＭＡＳが前記第１のＵＥｓのサブセットを選択するときとは異なる時間間隔で第２のＵＥｓのサブセットを選択する、請求項１に記載のシステム。
【請求項１３】
前記第１のＵＥｓのサブセット及び前記第２のＵＥｓのサブセットは、共通の要素を持たない、請求項１２に記載のシステム。
【請求項１４】
前記第１のＵＥｓのサブセット及び前記第２のＵＥｓのサブセットは、少なくとも１つの共通のＵＥを含む、請求項１２に記載のシステム。
【請求項１５】
前記ＭＵ−ＭＡＳは、前記第１のＢＴＳｓのサブセットを選択してデータ通信をスケジュールする、請求項２に記載のシステム。
【請求項１６】
前記ＭＵ−ＭＡＳのデータ通信容量は、前記複数のＵＥｓの間で共有される、請求項３に記載のシステム。
【請求項１７】
前記処理ユニットは、前記処理ユニットが前記第１のＵＥｓのサブセットを選択するときとは異なる時間間隔で第２のＵＥｓのサブセットを選択する、請求項４に記載のシステム。
【請求項１８】
前記処理ユニットは、前記処理ユニットが前記第１のＵＥｓのサブセットを選択するときとは異なる時間間隔で第２のＵＥｓのサブセット及び第２のＢＴＳｓのサブセットを選択する、請求項６に記載のシステム。
【請求項１９】
前記処理ユニットは、前記第１のＵＥｓのサブセットを選択して電力伝送をスケジュールする、請求項７に記載のシステム。
【請求項２０】
前記無線ネットワークの電力伝送容量は、前記複数のＵＥｓの間で共有される、請求項７に記載のシステム。
【請求項２１】
前記処理ユニットは、前記処理ユニットが前記第１のＵＥｓのサブセットを選択するときとは異なる時間間隔で第２のＵＥｓのサブセットを選択する、請求項７に記載のシステム。
【請求項２２】
前記第１のＵＥｓのサブセット及び前記第２のＵＥｓのサブセットは、共通の要素を持たない、請求項２１に記載のシステム。
【請求項２３】
前記第１のＵＥｓのサブセット及び前記第２のＵＥｓのサブセットは、少なくとも１つの共通のＵＥを含む、請求項２１に記載のシステム。
【請求項２４】
前記処理ユニットは、前記第１のＢＴＳｓのサブセットを選択して電力伝送をスケジュールする、請求項８に記載のシステム。
【請求項２５】
前記処理ユニットは、前記処理ユニットが前記第１のＵＥｓのサブセットを選択するときとは異なる時間間隔で第２のＵＥｓのサブセット及び第２のＢＴＳｓのサブセットを選択する、請求項９に記載のシステム。
【請求項２６】
ＭＵ−ＭＡＳ内にて実装される方法であって、
前記ＭＵ−ＭＡＳは、
すべてが同一のセルＩＤを共有する、セルのないカバレッジ領域の全体にわたって配置された複数のＢＴＳｓと、
前記ＢＴＳｓに通信的に連結された複数のＵＥｓと、を含み、
前記方法は、
前記ＭＵ−ＭＡＳが、前記ＵＥｓとＢＴＳｓの間の空間ダイバーシティに基づいてダウンリンク及びアップリンクデータ通信のためのＵＥｓのサブセットを選択することと、
空間処理ユニットが、前記ＢＴＳｓの間の干渉を利用して同じ周波数帯内で前記ＢＴＳｓと前記ＵＥｓのサブセットの間に制御チャネルリンクを含む複数の同時の非干渉ＤＬ又はＵＬデータリンクを生成することと、
を含む、方法。
【請求項２７】
ＭＵ−ＭＡＳ内にて実装される方法であって、
前記ＭＵ−ＭＡＳは、
すべてが同一のセルＩＤを共有する、セルのないカバレッジ領域の全体にわたって配置された複数のＢＴＳｓと、
前記ＢＴＳｓに通信的に連結された複数のＵＥｓと、を含み、
前記方法は、
前記ＭＵ−ＭＡＳが、前記ＵＥｓとＢＴＳｓの間の空間ダイバーシティに基づいてダウンリンク及びアップリンクデータ通信のためのＢＴＳｓのサブセットを選択することと、
空間処理ユニットが、前記ＢＴＳｓの間の干渉を利用して同じ周波数帯内で前記ＢＴＳｓと前記ＵＥｓのサブセットの間に制御チャネルリンクを含む複数の同時の非干渉ＤＬ又はＵＬデータリンクを生成することと、
を含む、方法。
【請求項２８】
ＭＵ−ＭＡＳ内にて実装される方法であって、
前記ＭＵ−ＭＡＳは、
すべてが同一のセルＩＤを共有する、セルのないカバレッジ領域の全体にわたって配置された複数のＢＴＳｓと、
前記ＢＴＳｓに通信的に連結された複数のＵＥｓと、を含み、
前記方法は、
前記ＭＵ−ＭＡＳが、前記ＵＥｓとＢＴＳｓの間の空間ダイバーシティに基づいてダウンリンク及びアップリンクデータ通信のためのＵＥｓのサブセット及びＢＴＳｓのサブセットを選択することと、
空間処理ユニットが、前記ＢＴＳｓの間の干渉を利用して同じ周波数帯内で前記ＢＴＳｓと前記ＵＥｓのサブセットの間に制御チャネルリンクを含む複数の同時の非干渉ＤＬ又はＵＬデータリンクを生成することと、
を含む、方法。
【請求項２９】
無線ネットワークシステム内にて実装される方法であって、
前記無線ネットワークシステムは、
処理ユニットに通信的に連結されたカバレッジ領域の全体にわたって配置された複数のアンテナ又は無線送受信装置（ＢＴＳｓ）と、
前記ＢＴＳｓに通信的に連結された複数の無線ユーザ装置（ＵＥｓ）と、を含み、
前記方法は、
前記処理ユニットが、前記ＵＥｓとＢＴＳｓの間の空間ダイバーシティに基づいて同時のデータ通信のためのＵＥｓのサブセットを選択することを含む、方法。
【請求項３０】
無線ネットワークシステム内にて実装される方法であって、
前記無線ネットワークシステムは、
処理ユニットに通信的に連結されたカバレッジ領域の全体にわたって配置された複数のアンテナ又は無線送受信装置（ＢＴＳｓ）と、
前記ＢＴＳｓに通信的に連結された複数の無線ユーザ装置（ＵＥｓ）と、を含み、
前記方法は、
前記処理ユニットが、前記ＵＥｓとＢＴＳｓの間の空間ダイバーシティに基づいて同時のデータ通信のためのＢＴＳｓのサブセットを選択することを含む、方法。
【請求項３１】
無線ネットワークシステム内にて実装される方法であって、
前記無線ネットワークシステムは、
処理ユニットに通信的に連結されたカバレッジ領域の全体にわたって配置された複数のアンテナ又は無線送受信装置（ＢＴＳｓ）と、
前記ＢＴＳｓに通信的に連結された複数の無線ユーザ装置（ＵＥｓ）と、を含み、
前記方法は、
前記処理ユニットが、前記ＵＥｓとＢＴＳｓの間の空間ダイバーシティに基づいて同時の無線通信のためのＵＥｓのサブセット及びＢＴＳｓのサブセットを選択することを含む、方法。
【請求項３２】
無線電力伝送システム内にて実装される方法であって、
前記無線ネットワークシステムは、
処理ユニットに通信的に連結されたカバレッジ領域の全体にわたって配置された複数のアンテナ又は無線送受信装置（ＢＴＳｓ）と、
前記ＢＴＳｓに通信的に連結された複数の無線ユーザ装置（ＵＥｓ）と、を含み、
前記方法は、
前記処理ユニットが、前記ＵＥｓとＢＴＳｓの間の空間ダイバーシティに基づいて同時の無線電力伝送のためのＵＥｓのサブセットを選択することを含む、方法。
【請求項３３】
無線電力伝送システム内にて実装される方法であって、
前記無線ネットワークシステムは、
処理ユニットに通信的に連結されたカバレッジ領域の全体にわたって配置された複数のアンテナ又は無線送受信装置（ＢＴＳｓ）と、
前記ＢＴＳｓに通信的に連結された複数の無線ユーザ装置（ＵＥｓ）と、を含み、
前記方法は、
前記処理ユニットが、前記ＵＥｓとＢＴＳｓの間の空間ダイバーシティに基づいて同時の無線電力伝送のためのＢＴＳｓのサブセットを選択することを含む、方法。
【請求項３４】
無線電力伝送システム内にて実装される方法であって、
前記無線ネットワークシステムは、
処理ユニットに通信的に連結されたカバレッジ領域の全体にわたって配置された複数のアンテナ又は無線送受信装置（ＢＴＳｓ）と、
前記ＢＴＳｓに通信的に連結された複数の無線ユーザ装置（ＵＥｓ）と、を含み、
前記方法は、
前記処理ユニットが、前記ＵＥｓとＢＴＳｓの間の空間ダイバーシティに基づいて同時の無線電力伝送のためのＵＥｓのサブセット及びＢＴＳｓのサブセットを選択することを含む、方法。
【請求項３５】
前記ＭＵ−ＭＡＳは、前記第１のＵＥｓのサブセットを選択してデータ通信をスケジュールする、請求項２６に記載の方法。
【請求項３６】
前記ＭＵ−ＭＡＳは、そのデータ通信容量を前記複数のＵＥｓの間で共有する、請求項２６に記載の方法。
【請求項３７】
前記ＭＵ−ＭＡＳは、前記ＭＵ−ＭＡＳが前記第１のＵＥｓのサブセットを選択するときとは異なる時間間隔で第２のＵＥｓのサブセットを選択する、請求項２６に記載の方法。
【請求項３８】
前記第１のＵＥｓのサブセット及び前記第２のＵＥｓのサブセットは、共通の要素を持たない、請求項３７に記載の方法。
【請求項３９】
前記第１のＵＥｓのサブセット及び前記第２のＵＥｓのサブセットは、少なくとも１つの共通のＵＥを含む、請求項３７に記載の方法。
【請求項４０】
前記ＭＵ−ＭＡＳは、前記第１のＢＴＳｓのサブセットを選択してデータ通信をスケジュールする、請求項２７に記載の方法。
【請求項４１】
前記ＭＵ−ＭＡＳは、そのデータ通信容量を前記複数のＵＥｓの間で共有する、請求項２８に記載の方法。
【請求項４２】
前記処理ユニットは、前記処理ユニットが前記第１のＵＥｓのサブセットを選択するときとは異なる時間間隔で第２のＵＥｓのサブセットを選択する、請求項２９に記載の方法。
【請求項４３】
前記処理ユニットは、前記処理ユニットが前記第１のＵＥｓのサブセットを選択するときとは異なる時間間隔で第２のＵＥｓのサブセット及び第２のＢＴＳｓのサブセットを選択する、請求項３１に記載の方法。
【請求項４４】
前記処理ユニットは、前記第１のＵＥｓのサブセットを選択して電力伝送をスケジュールする、請求項３２に記載の方法。
【請求項４５】
前記無線ネットワークは、その電力伝送容量を前記複数のＵＥｓの間で共有する、請求項３２に記載の方法。
【請求項４６】
前記処理ユニットは、前記処理ユニットが前記第１のＵＥｓのサブセットを選択するときとは異なる時間間隔で第２のＵＥｓのサブセットを選択する、請求項３２に記載の方法。
【請求項４７】
前記第１のＵＥｓのサブセット及び前記第２のＵＥｓのサブセットは、共通の要素を持たない、請求項４６に記載の方法。
【請求項４８】
前記第１のＵＥｓのサブセット及び前記第２のＵＥｓのサブセットは、少なくとも１つの共通のＵＥを含む、請求項４６に記載の方法。
【請求項４９】
前記処理ユニットは、前記第１のＢＴＳｓのサブセットを選択して電力伝送をスケジュールする、請求項３３に記載の方法。
【請求項５０】
前記処理ユニットは、前記処理ユニットが前記第１のＵＥｓのサブセットを選択するときとは異なる時間間隔で第２のＵＥｓのサブセット及び第２のＢＴＳｓのサブセットを選択する、請求項３４に記載の方法。